(57)【特許請求の範囲】
【請求項１】
方法であって、
基地局分散ユニットが、基地局中央ユニットから、無線装置の少なくとも１つのベアラのパケットデータ収束プロトコル（ＰＤＣＰ）パケット複製のアクティブ化を示す少なくとも１つの情報要素を受信することと、
前記基地局分散ユニットが、前記アクティブ化に基づいて、
前記少なくとも１つのベアラのＰＤＣＰパケットと、
前記少なくとも１つのベアラの複製ＰＤＣＰパケットと
を前記基地局中央ユニットに送信することと
を含む、方法。
【請求項２】
前記方法は、前記基地局分散ユニットが、前記ＰＤＣＰパケット複製の前記アクティブ化を示す前記少なくとも１つの情報要素に基づいて、前記少なくとも１つのベアラの前記ＰＤＣＰパケット複製の前記アクティブ化を示すメディアアクセスコントロール制御要素を前記無線装置に送信することをさらに含む、請求項１に記載の方法。
【請求項３】
前記少なくとも１つのベアラは、
シグナリング無線ベアラ、または
データ無線ベアラ
のうちの少なくとも１つを含む、請求項１または請求項２に記載の方法。
【請求項４】
前記方法は、
前記基地局分散ユニットが、前記基地局中央ユニットから、前記無線装置の前記少なくとも１つのベアラの前記ＰＤＣＰパケット複製の非アクティブ化を示す少なくとも第２の情報要素を受信することと、
前記基地局分散ユニットが、前記非アクティブ化に基づいて、前記少なくとも１つのベアラの複製ＰＤＣＰパケットを送信することを停止することと
をさらに含む、請求項１〜３のいずれかに記載の方法。
【請求項５】
基地局分散ユニットであって、
１つ以上のプロセッサ（４０３）と、
命令（４０５）を記憶するメモリ（４０４）と
を備え、
前記命令は、前記１つ以上のプロセッサによって実行されると、
基地局中央ユニットから、無線装置の少なくとも１つのベアラのパケットデータ収束プロトコル（ＰＤＣＰ）パケット複製のアクティブ化を示す少なくとも１つの情報要素を受信することと、
前記アクティブ化に基づいて、
前記少なくとも１つのベアラのＰＤＣＰパケットと、
前記少なくとも１つのベアラの複製ＰＤＣＰパケットと
を前記基地局中央ユニットに送信することと
を前記基地局分散ユニットに行わせる、基地局分散ユニット。
【請求項６】
前記命令は、前記１つ以上のプロセッサによって実行されると、前記ＰＤＣＰパケット複製の前記アクティブ化を示す前記少なくとも１つの情報要素に基づいて、前記少なくとも１つのベアラの前記ＰＤＣＰパケット複製の前記アクティブ化を示すメディアアクセスコントロール制御要素を前記無線装置に送信することを前記基地局分散ユニットにさらに行わせる、請求項５に記載の基地局分散ユニット。
【請求項７】
前記少なくとも１つのベアラは、
シグナリング無線ベアラ、または
データ無線ベアラ
のうちの少なくとも１つを含む、請求項５または請求項６に記載の基地局分散ユニット。
【請求項８】
前記命令は、前記１つ以上のプロセッサによって実行されると、
前記基地局中央ユニットから、前記無線装置の前記少なくとも１つのベアラの前記ＰＤＣＰパケット複製の非アクティブ化を示す少なくとも第２の情報要素を受信することと、
前記非アクティブ化に基づいて、前記少なくとも１つのベアラの複製ＰＤＣＰパケットを送信することを停止することと
を前記基地局分散ユニットにさらに行わせる、請求項５〜７のいずれかに記載の基地局分散ユニット。
【請求項９】
方法であって、
基地局中央ユニットが、無線装置の少なくとも１つのベアラのパケットデータ収束プロトコル（ＰＤＣＰ）パケット複製のアクティブ化を示す少なくとも１つの情報要素を基地局分散ユニットに送信することと、
前記基地局中央ユニットが、前記基地局分散ユニットから、前記アクティブ化に基づいて、
前記少なくとも１つのベアラのＰＤＣＰパケットと、
前記少なくとも１つのベアラの複製ＰＤＣＰパケットと
を受信することと
を含む、方法。
【請求項１０】
前記方法は、前記基地局中央ユニットが、前記ＰＤＣＰパケット複製が前記少なくとも１つのベアラのために構成されていることを示す少なくとも１つのベアラ構成情報要素を前記基地局分散ユニットに送信することをさらに含む、請求項９に記載の方法。
【請求項１１】
前記少なくとも１つのベアラは、
シグナリング無線ベアラ、または
データ無線ベアラ
のうちの少なくとも１つを含む、請求項９または請求項１０に記載の方法。
【請求項１２】
前記方法は、前記基地局中央ユニットが、前記無線装置の前記少なくとも１つのベアラの前記ＰＤＣＰパケット複製の非アクティブ化を示す少なくとも第２の情報要素を前記基地局分散ユニットに送信することをさらに含む、請求項９〜１１のいずれかに記載の方法。
【請求項１３】
基地局中央ユニットであって、
１つ以上のプロセッサ（４０３）と、
命令（４０５）を記憶するメモリ（４０４）と
を備え、
前記命令は、前記１つ以上のプロセッサによって実行されると、
無線装置の少なくとも１つのベアラのパケットデータ収束プロトコル（ＰＤＣＰ）パケット複製のアクティブ化を示す少なくとも１つの情報要素を基地局分散ユニットに送信することと、
前記基地局分散ユニットから、前記アクティブ化に基づいて、
前記少なくとも１つのベアラのＰＤＣＰパケットと、
前記少なくとも１つのベアラの複製ＰＤＣＰパケットと
を受信することと
を前記基地局中央ユニットに行わせる、基地局中央ユニット。
【請求項１４】
前記命令は、前記１つ以上のプロセッサによって実行されると、前記ＰＤＣＰパケット複製が前記少なくとも１つのベアラのために構成されていることを示す少なくとも１つのベアラ構成情報要素を前記基地局分散ユニットに送信することを前記基地局中央ユニットにさらに行わせる、請求項１３に記載の基地局中央ユニット。
【請求項１５】
前記少なくとも１つのベアラは、
シグナリング無線ベアラ、または
データ無線ベアラ
のうちの少なくとも１つを含む、請求項１３または請求項１４に記載の基地局中央ユニット。
【発明の詳細な説明】
【背景技術】
【０００１】
（関連出願の相互参照）
本特許出願は、参照によりそれらの全体が本明細書に組み込まれる、２０１７年９月２８日に出願された米国仮特許出願第６２／５６４，７３８号および２０１７年９月２８日に出願された米国仮特許出願第６２／５６４，７２０号の利益を主張している。
【発明の概要】
【課題を解決するための手段】
【０００２】
本発明の例示的な実施形態は、無線通信システムの動作を可能にする。本明細書で開示される技術の実施形態は、マルチキャリア通信システムの技術分野で用いられてもよい。より具体的には、本明細書で開示される技術の実施形態は、マルチキャリア通信システムにおけるセルラ無線システムに関係し得る。
【０００３】
本発明の例示的な実施形態は、様々な物理レイヤ変調および送信メカニズムを使用して実装されてもよい。例示的な送信メカニズムには、ＣＤＭＡ、ＯＦＤＭ、ＴＤＭＡ、ウェーブレット技術などが含まれるが、これらに限定されない。ＴＤＭＡ／ＣＤＭＡ、およびＯＦＤＭ／ＣＤＭＡなどのハイブリッド送信メカニズムも用いられ得る。物理レイヤでの信号送信には、様々な変調方式を適用できる。変調方式の例には、位相、振幅、コード、これらの組み合わせなどが含まれるが、これらに限定されない。例示的な無線送信方法は、ＢＰＳＫ、ＱＰＳＫ、１６−ＱＡＭ、６４−ＱＡＭ、２５６−ＱＡＭなどを使用してＱＡＭを実装してもよい。物理的な無線送信は、送信要件と無線条件に応じて変調およびコーディング方式を動的または半動的に変更することにより強化できる。
本願明細書は、例えば、以下の項目も提供する。
（項目１）
方法において、
基地局中央ユニットから基地局分散ユニットにより、情報要素を受信することであって、情報要素が、
パケットデータ収束プロトコル（ＰＤＣＰ）パケット複製が無線装置の少なくとも１つの第１のベアラについて構成されていることを示す少なくとも１つのベアラ構成情報要素と、
前記少なくとも１つの第１のベアラの前記ＰＤＣＰパケット複製のアクティブ化を示す少なくとも１つの情報要素と、を含む、受信することと、
前記基地局分散ユニットにより、前記ＰＤＣＰパケット複製の前記アクティブ化を示す前記少なくとも１つの情報要素に応答して、前記少なくとも１つの第１のベアラの前記ＰＤＣＰパケット複製の前記アクティブ化を示すメディアアクセスコントロール制御要素を前記無線装置に送信することと、
前記基地局分散ユニットにより、前記メディアアクセスコントロール制御要素に基づいて、
前記少なくとも１つの第１のベアラのＰＤＣＰパケットと、
前記少なくとも１つの第１のベアラの複製ＰＤＣＰパケットと、
を受信することとを含む、方法。
（項目２）
さらに、前記無線装置により、前記メディアアクセスコントロール制御要素に応答して、前記少なくとも１つの第１のベアラの前記ＰＤＣＰパケットを複製することによって前記少なくとも１つの第１のベアラの前記複製ＰＤＣＰパケットを生成することを含む、項目１に記載の方法。
（項目３）
前記少なくとも１つのベアラ構成情報要素が、
前記ＰＤＣＰパケットの第１のトンネルと、
前記複製ＰＤＣＰパケットについての第２のトンネルと、を示す、項目１から２のいずれか一項に記載の方法。
（項目４）
さらに、前記少なくとも１つのベアラ構成情報要素に応答して、前記基地局分散ユニットと前記基地局中央ユニットとの間の前記第１のトンネルおよび前記第２のトンネルを確立することを含む、項目３に記載の方法。
（項目５）
さらに、前記基地局分散ユニットにより、
１つ以上の第１のセルを介した前記ＰＤＣＰパケットと、
１つ以上の第２のセルを介した前記複製ＰＤＣＰパケットと、を受信することを含む、項目１から４のいずれか一項に記載の方法。
（項目６）
前記１つ以上の第１のセルが、前記１つ以上の第２のセルとは異なる、項目５に記載の方法。
（項目７）
前記ＰＤＣＰパケット複製の前記アクティブ化を示す前記少なくとも１つの情報要素が、前記基地局中央ユニットのトラフィック負荷ステータスに基づいている、項目１から６のいずれか一項に記載の方法。
（項目８）
さらに、前記基地局分散ユニットにより、前記少なくとも１つの第１のベアラのＰＤＣＰパケットをアクティブ化または非アクティブ化するための複製アクティブ化または非アクティブ化要求を示す要求メッセージを前記基地局中央ユニットに送信することを含む、項目１から７のいずれか一項に記載の方法。
（項目９）
前記複製アクティブ化または非アクティブ化要求が、
ダウンリンクＰＤＣＰパケット、または
アップリンクＰＤＣＰパケット、の少なくとも一方についてのものである、項目８に記載の方法。
（項目１０）
前記複製アクティブ化または非アクティブ化要求が、前記基地局分散ユニットのステータス情報に基づいており、前記ステータス情報が、
トラフィック負荷ステータス、
無線チャネルステータス、または
パケット送信ポリシー、のうちの少なくとも１つを含む、項目８から９のいずれか一項に記載の方法。
（項目１１）
前記基地局中央ユニットが、前記要求メッセージに基づいて、前記ＰＤＣＰパケット複製の前記アクティブ化を示す前記少なくとも１つの情報要素を送信する、項目８から１０のいずれか一項に記載の方法。
（項目１２）
さらに、前記基地局中央ユニットから前記基地局分散ユニットにより、
ダウンリンクＰＤＣＰパケット、または
アップリンクＰＤＣＰパケット、の少なくとも１つについての前記少なくとも１つの第１のベアラの前記ＰＤＣＰパケット複製の非アクティブ化を示す少なくとも１つの第２のパラメータを受信することを含む、項目１から１１のいずれか一項に記載の方法。
（項目１３）
前記少なくとも１つの第２のパラメータが、前記少なくとも１つの第１のベアラのユーザプレーンデータパケットのエンドマーカーパケットを含む、項目１２に記載の方法。
（項目１４）
前記基地局中央ユニットが、第２の要求メッセージに基づいて、前記少なくとも１つの第２のパラメータを送信し、前記第２の要求メッセージは、
フィールドであって、
ダウンリンクＰＤＣＰパケット、または
アップリンクＰＤＣＰパケット、
のうちの少なくとも１つについて、前記少なくとも１つの第１のベアラのＰＤＣＰパケットの複製を非アクティブ化する複製非アクティブ化要求を示すフィールド、
トラフィック負荷ステータス、
無線チャネルステータス、または
パケット送信ポリシー、のうちの少なくとも１つを含む、項目１２から１３のいずれか一項に記載の方法。
（項目１５）
さらに、
前記基地局中央ユニットから前記基地局分散ユニットにより、前記少なくとも１つの第１のベアラの前記ＰＤＣＰパケット複製の非アクティブ化を示す少なくとも１つの第２のパラメータを受信することと、
前記基地局分散ユニットにより、前記少なくとも１つの第２のパラメータに応答して、前記少なくとも１つの第１のベアラの前記ＰＤＣＰパケット複製の前記非アクティブ化を示す第２のメディアアクセスコントロール制御要素を送信することと、
前記基地局分散ユニットにより、前記第２のメディアアクセスコントロール制御要素に応答して、
前記１つ以上の第１のセル、および
前記１つ以上の第２のセル、のうちの少なくとも１つを介して前記少なくとも１つの第１のベアラの少なくとも１つのＰＤＣＰパケットを受信することと、を含む、項目６から１４のいずれか一項に記載の方法。
（項目１６）
基地局が、前記基地局中央ユニットおよび前記基地局分散ユニットを備える、項目１から１５のいずれか一項に記載の方法。
（項目１７）
前記基地局中央ユニットが、
前記無線装置の無線リソースコントロール機能、または
前記無線装置についてのパケットデータ収束プロトコル機能、
のうちの少なくとも１つを備え、
前記基地局分散ユニットが、
前記無線装置についてのメディアアクセス制御レイヤ機能、または
前記無線装置についての物理レイヤ機能のうちの少なくとも１つを備える、項目１から１６のいずれか一項に記載の方法。
（項目１８）
前記情報要素が、Ｆ１インターフェースを介して受信される、項目１から１７のいずれか一項に記載の方法。
（項目１９）
前記少なくとも１つの第１のベアラの前記複製ＰＤＣＰパケットがアップリンクＰＤＣＰパケットを含む、項目１から１８のいずれか一項に記載の方法。
（項目２０）
方法において、
基地局中央ユニットから基地局分散ユニットにより、情報要素を受信することであって、情報要素が、
パケットデータ収束プロトコル（ＰＤＣＰ）パケット複製が無線装置の少なくとも１つの第１のベアラについて構成されていることを示す少なくとも１つのベアラ構成情報要素と、
前記少なくとも１つの第１のベアラの前記ＰＤＣＰパケット複製のアクティブ化を示す少なくとも１つの情報要素と、を含む、受信することと、
前記基地局分散ユニットにより、前記ＰＤＣＰパケット複製が前記少なくとも１つの第１のベアラについて構成されていることを示す少なくとも１つの構成パラメータを含む無線リソースコントロールメッセージを前記無線装置に送信することと、
前記基地局分散ユニットにより、前記ＰＤＣＰパケット複製の前記アクティブ化に基づいて、
前記少なくとも１つの第１のベアラのＰＤＣＰパケット、および
前記少なくとも１つの第１のベアラの複製ＰＤＣＰパケット、を受信することと、を含む、方法。
（項目２１）
方法において、
基地局中央ユニットから基地局分散ユニットにより、無線装置の第１のベアラのパケットデータ収束プロトコル（ＰＤＣＰ）パケット複製についてのベアラ構成パラメータを含む第１のメッセージを受信することと、
前記基地局中央ユニットから前記基地局分散ユニットにより、前記第１のベアラの前記ＰＤＣＰパケット複製のアクティブ化を示す少なくとも１つのパラメータを含む第２のメッセージを受信することと、
前記基地局分散ユニットにより、ＰＤＣＰパケット複製の前記アクティブ化に基づいて、
前記第１のベアラのＰＤＣＰパケット、および
前記第１のベアラの複製ＰＤＣＰパケット、を送信することと、を含む、方法。
（項目２２）
さらに、前記基地局中央ユニットにより、前記第１のベアラの前記ＰＤＣＰパケットを複製することにより、前記第１のベアラの前記複製ＰＤＣＰパケットを生成することを含む、項目２１に記載の方法。
（項目２３）
前記基地局分散ユニットによる前記送信が、前記無線装置に対するものである、項目２１から２２のいずれか一項に記載の方法。
（項目２４）
前記基地局分散ユニットによる前記送信が、前記基地局中央ユニットに対するものである、項目２１から２３のいずれか一項に記載の方法。
（項目２５）
前記第１のメッセージが、
前記ＰＤＣＰパケットの第１のトンネルと、
前記複製ＰＤＣＰパケットについての第２のトンネルと、を示す、項目２１から２４のいずれか一項に記載の方法。
（項目２６）
さらに、前記第１のメッセージに応答して、前記基地局分散ユニットと前記基地局中央ユニットとの間で前記第１のトンネルおよび前記第２のトンネルを確立することを含む、項目２５に記載の方法。
（項目２７）
さらに、前記基地局分散ユニットにより、
１つ以上の第１のセルを介した前記ＰＤＣＰパケットと、
１つ以上の第２のセルを介した前記複製ＰＤＣＰパケットと、を送信することを含む、項目２１から２６のいずれか一項に記載の方法。
（項目２８）
前記１つ以上の第１のセルが、前記１つ以上の第２のセルとは異なる、項目２７に記載の方法。
（項目２９）
さらに、前記基地局分散ユニットにより、前記第２のメッセージを受信することに応答して、前記第１のベアラの前記ＰＤＣＰパケット複製のアクティブ化を示すメディアアクセスコントロール制御要素を前記無線装置に送信することを含む、項目２１から２８のいずれか一項に記載の方法。
（項目３０）
前記ベアラ構成パラメータが、さらに、
前記第１のベアラのＰＤＣＰパケット複製のアクティブ化を示す複製アクティブ化パラメータ、または
前記第１のベアラのＰＤＣＰパケット複製の非アクティブ化を示す複製非アクティブ化パラメータ、のうちの少なくとも１つを含む、項目２１から２９のいずれか一項に記載の方法。
（項目３１）
前記ベアラ構成パラメータが、さらに、
前記第１のベアラのＰＤＣＰパケット複製のアクティブ化、または
前記第１のベアラのＰＤＣＰパケット複製の非アクティブ化、のうちの少なくとも１つを示す複製パラメータを含む、項目２１から３０のいずれか一項に記載の方法。
（項目３２）
前記第２のメッセージの前記少なくとも１つのパラメータが、前記基地局中央ユニットのトラフィック負荷ステータスに基づいている、項目２１から３１のいずれか一項に記載の方法。
（項目３３）
さらに、前記基地局分散ユニットにより、前記第１のベアラのＰＤＣＰパケットの複製をアクティブ化または非アクティブ化するための複製アクティブ化または非アクティブ化要求を示す要求メッセージを前記基地局中央ユニットに送信することを含む、項目２１から３２のいずれか一項に記載の方法。
（項目３４）
前記複製アクティブ化または非アクティブ化要求が、
ダウンリンクＰＤＣＰパケット、または
アップリンクＰＤＣＰパケット、のうちの少なくとも１つについてのものである、項目３３に記載の方法。
（項目３５）
前記複製アクティブ化または非アクティブ化要求が、前記基地局分散ユニットのステータス情報に基づいており、前記ステータス情報が、
トラフィック負荷ステータス、
無線チャネルステータス、または
パケット送信ポリシー、のうちの少なくとも１つを含む、項目３３から３４のいずれか一項に記載の方法。
（項目３６）
前記基地局中央ユニットが、前記要求メッセージに基づいて前記第２のメッセージを送信する、項目３３から３５のいずれか一項に記載の方法。
（項目３７）
さらに、前記基地局中央ユニットから前記基地局分散ユニットにより、
ダウンリンクＰＤＣＰパケット、または
アップリンクＰＤＣＰパケット、のうちの少なくとも１つについての前記第１のベアラの前記ＰＤＣＰパケット複製の非アクティブ化を示す少なくとも１つの第２のパラメータを受信することを含む、項目２１から３６のいずれか一項に記載の方法。
（項目３８）
前記少なくとも１つの第２のパラメータが、前記第１のベアラのユーザプレーンデータパケットのエンドマーカーパケットを含む、項目３７に記載の方法。
（項目３９）
前記基地局中央ユニットが、
フィールドであって、
ダウンリンクＰＤＣＰパケット、または
アップリンクＰＤＣＰパケット、
のうちの少なくとも１つについての前記第１のベアラのＰＤＣＰパケットの複製を非アクティブ化するための複製非アクティブ化要求を示すフィールド、
トラフィック負荷ステータス、
無線チャネルステータス、または
パケット送信ポリシー、のうちの少なくとも１つを含む第２の要求メッセージに基づいて、前記少なくとも１つの第２のパラメータを送信する、項目３７から３８のいずれか一項に記載の方法。
（項目４０）
さらに、
前記基地局中央ユニットから前記基地局分散ユニットにより、前記第１のベアラのＰＤＣＰパケット複製の非アクティブ化を示す少なくとも１つの第２のパラメータを受信することと、
前記基地局分散ユニットにより、前記少なくとも１つの第２のパラメータの受信に応答して、
前記１つ以上の第１のセル、および
前記１つ以上の第２のセル、のうちの少なくとも１つを介して、前記少なくとも１つの第１のベアラの少なくとも１つのＰＤＣＰパケットを送信することと、を含む、項目２８から３９のいずれか一項に記載の方法。
（項目４１）
基地局が、前記基地局中央ユニットおよび前記基地局分散ユニットを備える、項目２１から４０のいずれか一項に記載の方法。
（項目４２）
前記基地局中央ユニットが、
前記無線装置についての無線リソースコントロール機能、または
前記無線装置についてのパケットデータ収束プロトコル機能、
のうちの少なくとも１つを備え、
前記基地局分散ユニットが、
前記無線装置についてのメディアアクセス制御レイヤ機能、または
前記無線装置についての物理レイヤ機能、のうちの少なくとも１つを備える、項目２１から４１のいずれか一項に記載の方法。
（項目４３）
前記第１のメッセージおよび前記第２のメッセージが、Ｆ１インターフェースを介して受信される、項目２１から４２のいずれか一項に記載の方法。
（項目４４）
前記第１のベアラの前記複製ＰＤＣＰパケットが、
アップリンクＰＤＣＰパケット、または
ダウンリンクＰＤＣＰパケット、のうちの少なくとも１つを含む、項目２１から４３のいずれか一項に記載の方法。
（項目４５）
方法において、
基地局中央ユニットから基地局分散ユニットにより、無線装置の第１のベアラのパケットデータ収束プロトコル（ＰＤＣＰ）パケット複製についてのベアラ構成パラメータを含む第１のメッセージを受信することと、
前記基地局中央ユニットから前記基地局分散ユニットにより、前記第１のベアラの前記ＰＤＣＰパケット複製のアクティブ化を示す少なくとも１つのパラメータを含む第２のメッセージを受信することと、
前記基地局分散ユニットにより、前記第２のメッセージに応答して、前記第１のベアラの前記ＰＤＣＰパケット複製の前記アクティブ化を示すメディアアクセスコントロール制御要素を前記無線装置に送信することと、
前記無線装置から前記基地局分散ユニットにより、前記第１のベアラの複製ＰＤＣＰパケットを受信することと、を含む、方法。
（項目４６）
方法において、
基地局中央ユニットから基地局分散ユニットにより、無線装置についてのベアラのパケットデータ収束プロトコル（ＰＤＣＰ）パケット複製についてのベアラ構成パラメータを含む第１のメッセージを受信することと、
前記基地局中央ユニットから前記基地局分散ユニットにより、第１のベアラの前記ＰＤＣＰパケット複製の非アクティブ化を示す少なくとも１つのパラメータを含む第２のメッセージを受信することと、
前記基地局分散ユニットにより、前記ＰＤＣＰパケット複製の前記非アクティブ化に基づいて、前記第１のベアラの少なくとも１つの複製ＰＤＣＰパケットの前記無線装置への送信を停止することと、を含む、方法。
（項目４７）
方法において、
基地局中央ユニットから基地局分散ユニットにより、無線装置の第１のベアラのパケットデータ収束プロトコル（ＰＤＣＰ）パケット複製についてのベアラ構成パラメータを含む第１のメッセージを受信することと、
前記基地局中央ユニットから前記基地局分散ユニットにより、前記第１のベアラの前記ＰＤＣＰパケット複製の非アクティブ化を示す少なくとも１つのパラメータを含む第２のメッセージを受信することと、
前記基地局分散ユニットにより、前記ＰＤＣＰパケット複製の前記非アクティブ化に基づいて、前記第１のベアラの少なくとも１つの複製ＰＤＣＰパケットの前記基地局中央ユニットへの送信を停止することと、を含む、方法。
（項目４８）
方法において、
基地局中央ユニットにより、無線装置の第１のベアラのパケットデータ収束プロトコル（ＰＤＣＰ）パケット複製についてのベアラ構成パラメータを含む第１のメッセージを基地局分散ユニットに送信することと、
前記基地局中央ユニットにより、前記第１のベアラの前記ＰＤＣＰパケット複製のアクティブ化を示す少なくとも１つのパラメータを含む第２のメッセージを前記基地局分散ユニットに送信することと、
前記基地局中央ユニットにより、前記ＰＤＣＰパケット複製の前記アクティブ化に基づいて、前記第１のベアラの複製ＰＤＣＰパケットを前記基地局分散ユニットに送信することと、を含む、方法。
（項目４９）
方法において、
基地局中央ユニットから基地局分散ユニットにより、無線装置の第１のベアラのパケットデータ収束プロトコル（ＰＤＣＰ）パケット複製についてのベアラ構成パラメータを含む第１のメッセージを受信することと、
前記基地局中央ユニットから前記基地局分散ユニットにより、前記第１のベアラの前記ＰＤＣＰパケット複製のアクティブ化を示す少なくとも１つのパラメータを含む第２のメッセージを受信することと、
前記基地局分散ユニットにより、ＰＤＣＰパケット複製の前記アクティブ化に基づいて、前記第１のベアラの複製ＰＤＣＰパケットを送信することと、を含む、方法。
（項目５０）
方法において、
基地局中央ユニットから基地局分散ユニットにより、パケットデータ収束プロトコル（ＰＤＣＰ）パケット複製が無線装置の少なくとも１つの第１のベアラについて構成されていることを示す少なくとも１つのベアラ構成パラメータを含む第１のメッセージを受信することと、
前記基地局中央ユニットから前記基地局分散ユニットにより、前記少なくとも１つの第１のベアラの前記ＰＤＣＰパケット複製のアクティブ化を示す少なくとも１つのパラメータを含む第２のメッセージを受信することと、
前記基地局分散ユニットにより、前記ＰＤＣＰパケット複製の前記アクティブ化を示す前記少なくとも１つのパラメータに基づいて、
前記少なくとも１つの第１のベアラのＰＤＣＰパケットと、
前記少なくとも１つの第１のベアラの複製ＰＤＣＰパケットと、
を送信することと、を含む、方法。
（項目５１）
方法において、
基地局中央ユニットから基地局分散ユニットにより、情報要素を受信することであって、情報要素が、
パケットデータ収束プロトコル（ＰＤＣＰ）パケット複製が無線装置の少なくとも１つの第１のベアラについて構成されていることを示す少なくとも１つのベアラ構成情報要素と、
前記少なくとも１つの第１のベアラの前記ＰＤＣＰパケット複製のアクティブ化を示す少なくとも１つの情報要素と、を含む、受信することと、
前記基地局分散ユニットにより、前記情報要素に基づいて、
前記少なくとも１つの第１のベアラのＰＤＣＰパケットと、
前記少なくとも１つの第１のベアラの複製ＰＤＣＰパケットと、
を送信することと、を含む、方法。
（項目５２）
さらに、前記基地局中央ユニットにより、前記少なくとも１つの第１のベアラの前記ＰＤＣＰパケットを複製することにより、前記少なくとも１つの第１のベアラの前記複製ＰＤＣＰパケットを生成することを含む、項目５１に記載の方法。
（項目５３）
前記基地局分散ユニットによる前記送信が、前記無線装置に対するものである、項目５１から５２のいずれか一項に記載の方法。
（項目５４）
前記基地局分散ユニットによる前記送信が、前記基地局中央ユニットに対するものである、項目５１から５３のいずれか一項に記載の方法。
（項目５５）
前記少なくとも１つのベアラ構成情報要素が、
前記ＰＤＣＰパケットの第１のトンネルと、
前記複製ＰＤＣＰパケットについての第２のトンネルと、を示す、項目５１から５４のいずれか一項に記載の方法。
（項目５６）
さらに、前記少なくとも１つのベアラ構成情報要素に応答して、前記基地局分散ユニットと前記基地局中央ユニットとの間の前記第１のトンネルおよび前記第２のトンネルを確立することを含む、項目５５に記載の方法。
（項目５７）
さらに、前記基地局分散ユニットにより、
１つ以上の第１のセルを介した前記ＰＤＣＰパケットと、
１つ以上の第２のセルを介した前記複製ＰＤＣＰパケットと、を送信することを含む、項目５１から５６のいずれか一項に記載の方法。
（項目５８）
前記１つ以上の第１のセルが、前記１つ以上の第２のセルとは異なる、項目５７に記載の方法。
（項目５９）
さらに、前記基地局分散ユニットにより、前記ＰＤＣＰパケット複製の前記アクティブ化を示す前記少なくとも１つの情報要素の受信に応答して、前記少なくとも１つの第１のベアラの前記ＰＤＣＰパケット複製の前記アクティブ化を示すメディアアクセスコントロール制御要素を前記無線装置に送信することを含む、項目５１から５８のいずれか一項に記載の方法。
（項目６０）
前記ＰＤＣＰパケット複製の前記アクティブ化を示す前記少なくとも１つの情報要素が、基地局中央ユニットのトラフィック負荷ステータスに基づいている、項目５１から５９のいずれか一項に記載の方法。
（項目６１）
さらに、前記基地局分散ユニットにより、前記少なくとも１つの第１のベアラのＰＤＣＰパケットの複製をアクティブ化または非アクティブ化するための複製アクティブ化または非アクティブ化要求を示す要求メッセージを前記基地局中央ユニットに送信することを含む、項目５１から６０のいずれか一項に記載の方法。
（項目６２）
前記複製アクティブ化または非アクティブ化要求が、
ダウンリンクＰＤＣＰパケット、または
アップリンクＰＤＣＰパケット、のうちの少なくとも１つについてのものである、項目６１に記載の方法。
（項目６３）
前記複製アクティブ化または非アクティブ化要求が、前記基地局分散ユニットのステータス情報に基づいており、前記ステータス情報が、
トラフィック負荷ステータス、
無線チャネルステータス、または
パケット送信ポリシー、のうちの少なくとも１つを含む、項目６１から６２のいずれか一項に記載の方法。
（項目６４）
前記基地局中央ユニットが、前記要求メッセージに基づいて、前記ＰＤＣＰパケット複製の前記アクティブ化を示す前記少なくとも１つの情報要素を送信する、項目６１から６２のいずれか一項に記載の方法。
（項目６５）
さらに、前記基地局中央ユニットから前記基地局分散ユニットにより、
ダウンリンクＰＤＣＰパケット、または
アップリンクＰＤＣＰパケット、のうちの少なくとも１つについての前記少なくとも１つの第１のベアラの前記ＰＤＣＰパケット複製の非アクティブ化を示す少なくとも１つの第２のパラメータを受信することを含む、項目５１から６４のいずれか一項に記載の方法。
（項目６６）
前記少なくとも１つの第２のパラメータが、前記少なくとも１つの第１のベアラのユーザプレーンデータパケットのエンドマーカーパケットを含む、項目６５に記載の方法。
（項目６７）
前記基地局中央ユニットが、
フィールドであって、
ダウンリンクＰＤＣＰパケット、または
アップリンクＰＤＣＰパケット、
のうちの少なくとも１つについての前記少なくとも１つの第１のベアラのＰＤＣＰパケットの複製を非アクティブ化するための複製非アクティブ化要求を示すフィールド、
トラフィック負荷ステータス、
無線チャネルステータス、または
パケット送信ポリシー、のうちの少なくとも１つを含む第２の要求メッセージに基づいて、前記少なくとも１つの第２のパラメータを送信する、項目６５から６６のいずれか一項に記載の方法。
（項目６８）
さらに、
前記基地局中央ユニットから前記基地局分散ユニットにより、前記少なくとも１つの第１のベアラの前記ＰＤＣＰパケット複製の非アクティブ化を示す少なくとも１つの第２のパラメータを受信することと、
前記基地局分散ユニットにより、前記少なくとも１つの第２のパラメータの受信に応答して、
前記１つ以上の第１のセル、および
前記１つ以上の第２のセル、のうちの少なくとも１つを介して、前記少なくとも１つの第１のベアラの少なくとも１つのＰＤＣＰパケットを送信することと、を含む、項目５８から６７のいずれか一項に記載の方法。
（項目６９）
基地局が、前記基地局中央ユニットおよび前記基地局分散ユニットを備える、項目５１から６８のいずれか一項に記載の方法。
（項目７０）
前記基地局中央ユニットが、
前記無線装置についての無線リソースコントロール機能、または
前記無線装置についてのパケットデータ収束プロトコル機能、
のうちの少なくとも１つを備え、
前記基地局分散ユニットが、
前記無線装置についてのメディアアクセス制御レイヤ機能、または
前記無線装置についての物理レイヤ機能、のうちの少なくとも１つを備える、項目５１から６９のいずれか一項に記載の方法。
（項目７１）
前記情報要素が、Ｆ１インターフェースを介して受信される、項目５１から７０のいずれか一項に記載の方法。
（項目７２）
前記少なくとも１つの第１のベアラの前記複製ＰＤＣＰパケットが、
アップリンクＰＤＣＰパケット、または
ダウンリンクＰＤＣＰパケット、のうちの少なくとも１つを含む、項目５１から７１のいずれか一項に記載の方法。
（項目７３）
方法において、
基地局中央ユニットから基地局分散ユニットにより、情報要素を受信することであって、情報要素が、
パケットデータ収束プロトコル（ＰＤＣＰ）パケット複製が無線装置の少なくとも１つの第１のベアラについて構成されていることを示す少なくとも１つのベアラ構成情報要素と、
前記少なくとも１つの第１のベアラの前記ＰＤＣＰパケット複製のアクティブ化を示す少なくとも１つの情報要素と、を含む、受信することと、
前記基地局分散ユニットにより、前記ＰＤＣＰパケット複製の前記アクティブ化を示す前記少なくとも１つの情報要素に基づいて、
前記少なくとも１つの第１のベアラのＰＤＣＰパケットと、
前記少なくとも１つの第１のベアラの複製ＰＤＣＰパケットと、
を送信することとを含む、方法。
（項目７４）
方法において、
基地局中央ユニットから基地局分散ユニットにより、情報要素を受信することであって、情報要素が、
パケットデータ収束プロトコル（ＰＤＣＰ）パケット複製が無線装置の少なくとも１つの第１のベアラについて構成されていることを示す少なくとも１つのベアラ構成情報要素と、
前記少なくとも１つの第１のベアラの前記ＰＤＣＰパケット複製のアクティブ化を示す少なくとも１つの情報要素と、を含む、受信することと、
前記基地局分散ユニットにより、前記ＰＤＣＰパケット複製が前記少なくとも１つの第１のベアラについて構成されていることを示す少なくとも１つの構成パラメータを含む無線リソースコントロールメッセージを前記無線装置に送信することと、
前記基地局分散ユニットにより、前記ＰＤＣＰパケット複製の前記アクティブ化を示す前記少なくとも１つの情報要素に応答して、前記少なくとも１つの第１のベアラの前記ＰＤＣＰパケット複製の前記アクティブ化を示すメディアアクセスコントロール制御要素を前記無線装置に送信することと、
前記基地局分散ユニットにより、前記メディアアクセスコントロール制御要素に基づいて、
前記少なくとも１つの第１のベアラのＰＤＣＰパケットと、
前記少なくとも１つの第１のベアラの複製ＰＤＣＰパケットと、
を受信することと、を含む、方法。
（項目７５）
さらに、前記無線装置により、前記メディアアクセスコントロール制御要素に応答して、前記少なくとも１つの第１のベアラの前記ＰＤＣＰパケットを複製することによって前記少なくとも１つの第１のベアラの前記複製ＰＤＣＰパケットを生成することを含む、項目７４に記載の方法。
（項目７６）
前記少なくとも１つのベアラ構成情報要素が、
前記ＰＤＣＰパケットの第１のトンネルと、
前記複製ＰＤＣＰパケットについての第２のトンネルと、を示す、項目７４から７５のいずれか一項に記載の方法。
（項目７７）
さらに、前記少なくとも１つのベアラ構成情報要素に応答して、前記基地局分散ユニットと前記基地局中央ユニットとの間の前記第１のトンネルおよび前記第２のトンネルを確立することを含む、項目７６に記載の方法。
（項目７８）
さらに、前記基地局分散ユニットにより、
１つ以上の第１のセルを介した前記ＰＤＣＰパケットと、
１つ以上の第２のセルを介した前記複製ＰＤＣＰパケットと、を受信することを含む、項目７４から７７のいずれか一項に記載の方法。
（項目７９）
前記１つ以上の第１のセルが、前記１つ以上の第２のセルとは異なる、項目７８に記載の方法。
（項目８０）
前記ＰＤＣＰパケット複製の前記アクティブ化を示す前記少なくとも１つの情報要素が、基地局中央ユニットのトラフィック負荷ステータスに基づいている、項目７４から７９のいずれか一項に記載の方法。
（項目８１）
さらに、前記基地局分散ユニットにより、前記少なくとも１つの第１のベアラのＰＤＣＰパケットの複製をアクティブ化または非アクティブ化するための複製アクティブ化または非アクティブ化要求を示す要求メッセージを前記基地局中央ユニットに送信することを含む、項目７４から８０のいずれか一項に記載の方法。
（項目８２）
前記複製アクティブ化または非アクティブ化要求が、
ダウンリンクＰＤＣＰパケット、または
アップリンクＰＤＣＰパケット、のうちの少なくとも１つについてのものである、項目８１に記載の方法。
（項目８３）
前記複製アクティブ化または非アクティブ化要求が、前記基地局分散ユニットのステータス情報に基づいており、前記ステータス情報が、
トラフィック負荷ステータス、
無線チャネルステータス、または
パケット送信ポリシー、のうちの少なくとも１つを含む、項目８１から８２のいずれか一項に記載の方法。
（項目８４）
前記基地局中央ユニットが、前記要求メッセージに基づいて、前記ＰＤＣＰパケット複製の前記アクティブ化を示す前記少なくとも１つの情報要素を送信する、項目８１から８３のいずれか一項に記載の方法。
（項目８５）
さらに、前記基地局中央ユニットから前記基地局分散ユニットにより、
ダウンリンクＰＤＣＰパケット、または
アップリンクＰＤＣＰパケット、のうちの少なくとも１つについての前記少なくとも１つの第１のベアラの前記ＰＤＣＰパケット複製の非アクティブ化を示す少なくとも１つの第２のパラメータを受信することを含む、項目７４から８４のいずれか一項に記載の方法。
（項目８６）
前記少なくとも１つの第２のパラメータが、前記少なくとも１つの第１のベアラのユーザプレーンデータパケットのエンドマーカーパケットを含む、項目８５に記載の方法。
（項目８７）
前記基地局中央ユニットが、
フィールドであって、
ダウンリンクＰＤＣＰパケット、または
アップリンクＰＤＣＰパケット、
のうちの少なくとも１つについての前記少なくとも１つの第１のベアラのＰＤＣＰパケットの複製を非アクティブ化するための複製非アクティブ化要求を示すフィールド、
トラフィック負荷ステータス、
無線チャネルステータス、または
パケット送信ポリシー、のうちの少なくとも１つを含む第２の要求メッセージに基づいて、前記少なくとも１つの第２のパラメータを送信する、項目８５から８６のいずれか一項に記載の方法。
（項目８８）
さらに、
前記基地局中央ユニットから前記基地局分散ユニットにより、前記少なくとも１つの第１のベアラの前記ＰＤＣＰパケット複製の非アクティブ化を示す少なくとも１つの第２のパラメータを受信することと、
前記基地局分散ユニットにより、前記少なくとも１つの第２のパラメータに応答して、前記少なくとも１つの第１のベアラの前記ＰＤＣＰパケット複製の前記非アクティブ化を示す第２のメディアアクセスコントロール制御要素を送信することと、
前記基地局分散ユニットにより、前記第２のメディアアクセスコントロール制御要素に応答して、
前記１つ以上の第１のセル、および
前記１つ以上の第２のセル、のうちの少なくとも１つを介して、前記少なくとも１つの第１のベアラの少なくとも１つのＰＤＣＰパケットを受信することと、を含む、項目７９から８７のいずれか一項に記載の方法。
（項目８９）
基地局が、前記基地局中央ユニットおよび前記基地局分散ユニットを備える、項目７４から８８のいずれか一項に記載の方法。
（項目９０）
前記基地局中央ユニットが、
前記無線装置についての無線リソースコントロール機能、または
前記無線装置についてのパケットデータ収束プロトコル機能、
のうちの少なくとも１つを備え、
前記基地局分散ユニットが、
前記無線装置についてのメディアアクセス制御レイヤ機能、または
前記無線装置についての物理レイヤ機能、のうちの少なくとも１つを備える、項目７４から８９のいずれか一項に記載の方法。
（項目９１）
前記情報要素が、Ｆ１インターフェースを介して受信される、項目７４から９０のいずれか一項に記載の方法。
（項目９２）
前記少なくとも１つの第１のベアラの前記複製ＰＤＣＰパケットがアップリンクＰＤＣＰパケットを含む、項目７４から９１のいずれか一項に記載の方法。
（項目９３）
方法において、
基地局中央ユニットから基地局分散ユニットにより、無線装置の少なくとも１つの第１のベアラのパケットデータ収束プロトコル（ＰＤＣＰ）パケット複製のアクティブ化を示す少なくとも１つの情報要素を受信することと、
前記基地局分散ユニットにより、前記ＰＤＣＰパケット複製の前記アクティブ化を示す前記少なくとも１つの情報要素に応答して、前記少なくとも１つの第１のベアラの前記ＰＤＣＰパケット複製の前記アクティブ化を示すメディアアクセスコントロール制御要素を前記無線装置に送信することと、
前記基地局分散ユニットにより、前記メディアアクセスコントロール制御要素に基づいて、
前記少なくとも１つの第１のベアラのＰＤＣＰパケットと、
前記少なくとも１つの第１のベアラの複製ＰＤＣＰパケットと、
を受信することとを含む、方法。
（項目９４）
方法において、
基地局中央ユニットから基地局分散ユニットにより、無線装置の少なくとも１つの第１のベアラのパケットデータ収束プロトコル（ＰＤＣＰ）パケット複製のアクティブ化を示す少なくとも１つの情報要素を受信することと、
前記基地局分散ユニットにより、前記アクティブ化に基づいて、
前記少なくとも１つの第１のベアラのＰＤＣＰパケットと、
前記少なくとも１つの第１のベアラの複製ＰＤＣＰパケットと、
を送信することとを含む、方法。
（項目９５）
方法において、
基地局中央ユニットから基地局分散ユニットにより、パケットデータ収束プロトコル（ＰＤＣＰ）パケット複製が無線装置の少なくとも１つの第１のベアラについて構成されていることを示す少なくとも１つのベアラ構成パラメータを含む第１のメッセージを受信することと、
前記基地局中央ユニットから前記基地局分散ユニットにより、前記少なくとも１つの第１のベアラの前記ＰＤＣＰパケット複製の非アクティブ化を示す少なくとも１つのパラメータを含む第２のメッセージを受信することと、
前記基地局分散ユニットにより、前記ＰＤＣＰパケット複製の前記非アクティブ化を示す前記少なくとも１つのパラメータに基づいて、前記少なくとも１つの第１のベアラの複製ＰＤＣＰパケットの送信を停止することと、を含む、方法。
（項目９６）
方法において、
基地局中央ユニットから基地局分散ユニットにより、情報要素を受信することであって、情報要素が、
パケットデータ収束プロトコル（ＰＤＣＰ）パケット複製が無線装置の少なくとも１つの第１のベアラについて構成されていることを示す少なくとも１つのベアラ構成情報要素と、
前記少なくとも１つの第１のベアラの前記ＰＤＣＰパケット複製の非アクティブ化を示す少なくとも１つの情報要素と、を含む、受信することと、
前記基地局分散ユニットにより、前記ＰＤＣＰパケット複製の前記非アクティブ化を示す前記少なくとも１つの情報要素に基づいて、前記少なくとも１つの第１のベアラの複製ＰＤＣＰパケットの送信を停止することと、を含む、方法。
（項目９７）
方法において、
基地局中央ユニットから基地局分散ユニットにより、情報要素を受信することであって、情報要素が、
パケットデータ収束プロトコル（ＰＤＣＰ）パケット複製が無線装置の少なくとも１つの第１のベアラについて構成されていることを示す少なくとも１つのベアラ構成情報要素と、
前記少なくとも１つの第１のベアラの前記ＰＤＣＰパケット複製の非アクティブ化を示す少なくとも１つの情報要素と、を含む、受信することと、
前記基地局分散ユニットにより、前記ＰＤＣＰパケット複製が前記少なくとも１つの第１のベアラについて構成されていることを示す少なくとも１つの構成パラメータを含む無線リソースコントロールメッセージを前記無線装置に送信することと、
前記基地局分散ユニットにより、前記ＰＤＣＰパケット複製の前記非アクティブ化を示す前記少なくとも１つの情報要素に応答して、前記少なくとも１つの第１のベアラの前記ＰＤＣＰパケット複製の前記非アクティブ化を示すメディアアクセスコントロール制御要素を前記無線装置に送信することと、
前記基地局分散ユニットにより、前記ＰＤＣＰパケット複製の前記非アクティブ化に基づいて、前記少なくとも１つの第１のベアラの複製ＰＤＣＰパケットの送信を停止することと、を含む、方法。
（項目９８）
方法において、
基地局中央ユニットから基地局分散ユニットにより、無線装置の少なくとも１つの第１のベアラのパケットデータ収束プロトコル（ＰＤＣＰ）パケット複製の非アクティブ化を示す少なくとも１つの情報要素を受信することと、
前記基地局分散ユニットにより、前記ＰＤＣＰパケット複製の前記非アクティブ化を示す前記少なくとも１つの情報要素に応答して、前記少なくとも１つの第１のベアラの前記ＰＤＣＰパケット複製の前記非アクティブ化を示すメディアアクセスコントロール制御要素を前記無線装置に送信することと、
前記基地局分散ユニットにより、前記メディアアクセスコントロール制御要素に基づいて、前記少なくとも１つの第１のベアラの複製ＰＤＣＰパケットの送信を停止することと、を含む、方法。
（項目９９）
方法において、
基地局中央ユニットから基地局分散ユニットにより、無線装置の少なくとも１つの第１のベアラのパケットデータ収束プロトコル（ＰＤＣＰ）パケット複製の非アクティブ化を示す少なくとも１つの情報要素を受信することと、
前記基地局分散ユニットにより、前記非アクティブ化に基づいて、前記少なくとも１つの第１のベアラの複製ＰＤＣＰパケットの送信を停止することと、を含む、方法。
（項目１００）
方法において、
第２の基地局から第１の基地局により、無線装置についての少なくとも１つの第１のメッセージを受信することであって、前記少なくとも１つの第１のメッセージが、
前記第１の基地局における前記無線装置の第１の集約最大ビットレートと、
第１のパケットフローが複製ＰＤＣＰパケットを含むことを示すパケットデータ収束プロトコル（ＰＤＣＰ）パケット複製パラメータと、を含む、受信することと、
前記第２の基地局から前記第１の基地局により、前記第１のパケットフローの前記複製ＰＤＣＰパケットを受信することと、
前記第１の基地局により、前記複製ＰＤＣＰパケットを前記無線装置に送信することと、
前記第１の基地局により、前記無線装置と前記第１の基地局との間のビットレートが前記第１の集約最大ビットレートを超えることを判定し、前記判定が、前記ＰＤＣＰパケット複製パラメータに基づいて、前記複製ＰＤＣＰパケットを無視することと、
前記第１の基地局により、前記判定に基づいて前記無線装置と前記第１の基地局との間の前記ビットレートを制限することとを含む、方法。
（項目１０１）
前記第１の基地局が、前記無線装置についてのセカンダリ基地局を備える、項目１００に記載の方法。
（項目１０２）
前記第２の基地局が、前記無線装置についてのマスタ基地局を備える、項目１００から１０１のいずれか一項に記載の方法。
（項目１０３）
前記制限することが、前記ビットレートが前記第１の集約最大ビットレートを超えることを防止する、項目１００から１０２のいずれか一項に記載の方法。
（項目１０４）
さらに、前記無線装置から前記第１の基地局により、前記第１のパケットフローのパケットを受信することを含む、項目１００から１０３のいずれか一項に記載の方法。
（項目１０５）
さらに、
前記無線装置から前記第１の基地局により、前記第１のパケットフローのアップリンクパケットを受信することと、
前記第１の基地局により、前記アップリンクパケットを前記第２の基地局に送信することと、を含む、項目１００から１０４のいずれか一項に記載の方法。
（項目１０６）
さらに、前記無線装置と前記第１の基地局との間の前記ビットレートを前記第１の集約最大ビットレートに制限するとき、前記第１の基地局により、前記アップリンクパケットを無視することを含む、項目１０５に記載の方法。
（項目１０７）
さらに、
前記第２の基地局から前記第１の基地局により、前記第１のパケットフローのダウンリンクパケットを受信することと、
前記第１の基地局により、前記ダウンリンクパケットを前記無線装置に送信することと、
前記無線装置と前記第１の基地局との間の前記ビットレートを前記第１の集約最大ビットレートに制限するとき、前記ダウンリンクパケットを無視することとを含む、項目１００から１０６のいずれか一項に記載の方法。
（項目１０８）
前記少なくとも１つの第１のメッセージが、さらに、
セカンダリ基地局追加要求メッセージ、または
セカンダリ基地局変更要求メッセージ、のうちの少なくとも１つを含む、項目１００から１０７のいずれか一項に記載の方法。
（項目１０９）
前記第１のパケットフローが、
無線リンクコントロールチャネル、
論理チャネル、
無線ベアラ、
サービス品質フロー、または
パケットデータユニットセッション、のうちの少なくとも１つを含む、項目１００から１０８のいずれか一項に記載の方法。
（項目１１０）
前記第１の集約最大ビットレートが、セカンダリ基地局ユーザ機器の集約最大ビットレートを含む、項目１００から１０９のいずれか一項に記載の方法。
（項目１１１）
前記少なくとも１つの第１のメッセージが、さらに、
セカンダリセルグループベアラ、
スプリットベアラ、
セカンダリセルグループスプリットベアラ、
複製ＰＤＣＰベアラ、または
ＰＤＣＰ複製についての元のＰＤＣＰベアラ、のうちの少なくとも１つについて構成された１つ以上のパケットフロー構成パラメータを含む、項目１００から１１０のいずれか一項に記載の方法。
（項目１１２）
前記少なくとも１つの第１のメッセージが、さらに、
前記無線装置の識別子、
無線装置セキュリティ機能情報、
セカンダリ基地局セキュリティキー情報、
前記無線装置のサービング公衆陸上モバイルネットワーク情報、
前記無線装置の無線リソースコントロール構成情報、
前記無線装置のセカンダリセルグループ構成情報、または
前記無線装置のクローズドセルグループメンバーシップステータス情報、のうちの少なくとも１つを含む、項目１００から１１１のいずれか一項に記載の方法。
（項目１１３）
前記少なくとも１つの第１のメッセージが、さらに、
パケットデータユニットセッションのパケットデータユニットセッション識別子、
前記パケットデータユニットセッションのサービスパラメータの品質、または
前記パケットデータユニットセッションのアップリンク一般パケット無線サービストンネリングプロトコルトンネルエンドポイント識別子、のうちの少なくとも１つを含む、項目１００から１１２のいずれか一項に記載の方法。
（項目１１４）
さらに、前記第２の基地局から前記第１の基地局により、前記第１のパケットフローのＰＤＣＰパケット複製のアクティブ化を示す第２のメッセージを受信することを含む、項目１００から１１３のいずれか一項に記載の方法。
（項目１１５）
さらに、
前記第１の基地局により、前記第２のメッセージに応答して、前記第１のパケットフローのダウンリンクパケットを前記無線装置に送信することと、
前記無線装置と前記第１の基地局との間の前記ビットレートを前記第１の集約最大ビットレートに制限するとき、前記ダウンリンクパケットを無視することとを含む、項目１１４に記載の方法。
（項目１１６）
さらに、前記第２の基地局から前記第１の基地局により、前記第１のパケットフローについてのＰＤＣＰパケット複製の非アクティブ化を示す第２のメッセージを受信することを含む、項目１００から１１５のいずれか一項に記載の方法。
（項目１１７）
さらに、前記第１の基地局により、前記第２のメッセージに応答して、前記第１のパケットフローのダウンリンクパケットの前記無線装置への送信を停止することを含む、項目１１６に記載の方法。
（項目１１８）
さらに、前記第２の基地局により、前記第１のパケットフローの元のＰＤＣＰパケットを前記無線装置に送信することを含む、項目１００から１１７のいずれか一項に記載の方法。
（項目１１９）
さらに、前記無線装置から前記第２の基地局により、前記第１のパケットフローの元のＰＤＣＰパケットを受信することを含む、項目１００から１１８のいずれか一項に記載の方法。
（項目１２０）
方法において、
第２の基地局から第１の基地局により、無線装置についての少なくとも１つの第１のメッセージを受信することであって、前記少なくとも１つの第１のメッセージが、
前記第１の基地局における前記無線装置の第１の集約最大ビットレートと、
前記第１のパケットフローが複製ＰＤＣＰパケットについてのものであることを示すパケットデータ収束プロトコル（ＰＤＣＰ）パケット複製パラメータと、を含む、受信することと、
前記第２の基地局から前記第１の基地局により、前記第１のパケットフローのパケットを受信することと、
前記第１の基地局により、前記パケットを前記無線装置に送信することと、
前記第１の基地局により、前記無線装置のビットレートが前記第１の集約最大ビットレートを超えることを判定し、前記判定が、前記ＰＤＣＰパケット複製パラメータに基づいて、前記第１のパケットフローの前記パケットを無視することと、
前記第１の基地局により、前記判定に基づいて前記無線装置へのデータ転送のビットレートを制限することと、を含む、方法。
（項目１２１）
前記第１の基地局が、前記無線装置についてのセカンダリ基地局を備える、項目１２０に記載の方法。
（項目１２２）
前記第２の基地局が、前記無線装置についてのマスタ基地局を備える、項目１２０から１２１のいずれか一項に記載の方法。
（項目１２３）
前記制限することが、前記ビットレートが前記第１の集約最大ビットレートを超えることを防止する、項目１２０から１２２のいずれか一項に記載の方法。
（項目１２４）
さらに、前記無線装置から前記第１の基地局により、前記第１のパケットフローのパケットを受信することを含む、項目１２０から１２４のいずれか一項に記載の方法。
（項目１２５）
さらに、
前記無線装置から前記第１の基地局により、前記第１のパケットフローのアップリンクパケットを受信することと、
前記第１の基地局により、前記アップリンクパケットを前記第２の基地局に送信することと、を含む、項目１２０から１２４のいずれか一項に記載の方法。
（項目１２６）
さらに、前記無線装置と前記第１の基地局との間の前記ビットレートを前記第１の集約最大ビットレートに制限するとき、前記第１の基地局により、前記アップリンクパケットを無視することを含む、項目１２５に記載の方法。
（項目１２７）
さらに、
前記第２の基地局から前記第１の基地局により、前記第１のパケットフローのダウンリンクパケットを受信することと、
前記第１の基地局により、前記ダウンリンクパケットを前記無線装置に送信することと、
前記無線装置と前記第１の基地局との間の前記ビットレートを前記第１の集約最大ビットレートに制限するとき、前記ダウンリンクパケットを無視することとを含む、項目１２０から１２６のいずれか一項に記載の方法。
（項目１２８）
前記少なくとも１つの第１のメッセージが、さらに、
セカンダリ基地局追加要求メッセージ、または
セカンダリ基地局変更要求メッセージ、のうちの少なくとも１つを含む、項目１２０から１２７のいずれか一項に記載の方法。
（項目１２９）
前記第１のパケットフローが、
無線リンクコントロールチャネル、
論理チャネル、
無線ベアラ、
サービス品質フロー、または
パケットデータユニットセッション、のうちの少なくとも１つを含む、項目１２０から１２８のいずれか一項に記載の方法。
（項目１３０）
前記第１の集約最大ビットレートが、セカンダリ基地局ユーザ機器の集約最大ビットレートを含む、項目１２０から１２９のいずれか一項に記載の方法。
（項目１３１）
前記少なくとも１つの第１のメッセージが、さらに、
セカンダリセルグループベアラ、
スプリットベアラ、
セカンダリセルグループスプリットベアラ、
複製ＰＤＣＰベアラ、または
ＰＤＣＰ複製についての元のＰＤＣＰベアラ、のうちの少なくとも１つについて構成された１つ以上のパケットフロー構成パラメータを含む、項目１２０から１３０のいずれか一項に記載の方法。
（項目１３２）
前記少なくとも１つの第１のメッセージが、さらに、
前記無線装置の識別子、
無線装置セキュリティ機能情報、
セカンダリ基地局セキュリティキー情報、
前記無線装置のサービング公衆陸上モバイルネットワーク情報、
前記無線装置の無線リソースコントロール構成情報、
前記無線装置のセカンダリセルグループ構成情報、または
前記無線装置のクローズドセルグループメンバーシップステータス情報、のうちの少なくとも１つを含む、項目１２０から１３１のいずれか一項に記載の方法。
（項目１３３）
前記少なくとも１つの第１のメッセージが、さらに、
パケットデータユニットセッションのパケットデータユニットセッション識別子、
前記パケットデータユニットセッションのサービスパラメータの品質、または
前記パケットデータユニットセッションのアップリンク一般パケット無線サービストンネリングプロトコルトンネルエンドポイント識別子、のうちの少なくとも１つを含む、項目１２０から１３２のいずれか一項に記載の方法。
（項目１３４）
さらに、前記第２の基地局から前記第１の基地局により、前記第１のパケットフローのＰＤＣＰパケット複製のアクティブ化を示す第２のメッセージを受信することを含む、項目１２０から１３３のいずれか一項に記載の方法。
（項目１３５）
さらに、
前記第１の基地局により、前記第２のメッセージに応答して、前記第１のパケットフローのダウンリンクパケットを前記無線装置に送信することと、
前記無線装置と前記第１の基地局との間の前記ビットレートを前記第１の集約最大ビットレートに制限するとき、前記ダウンリンクパケットを無視することとを含む、項目１３４に記載の方法。
（項目１３６）
さらに、前記第２の基地局から前記第１の基地局により、前記第１のパケットフローについてのＰＤＣＰパケット複製の非アクティブ化を示す第２のメッセージを受信することを含む、項目１２０から１３５のいずれか一項に記載の方法。
（項目１３７）
さらに、前記第１の基地局により、前記第２のメッセージに応答して、前記第１のパケットフローのダウンリンクパケットの前記無線装置への送信を停止することを含む、項目１２０から１３６のいずれか一項に記載の方法。
（項目１３８）
さらに、前記第２の基地局により、前記第１のパケットフローの元のＰＤＣＰパケットを前記無線装置に送信することを含む、項目１２０から１３７のいずれか一項に記載の方法。
（項目１３９）
さらに、前記無線装置から前記第２の基地局により、前記第１のパケットフローの元のＰＤＣＰパケットを受信することを含む、項目１２０から１３８のいずれか一項に記載の方法。
（項目１４０）
方法において、
第２の基地局から第１の基地局により、無線装置についての少なくとも１つの第１のメッセージを受信することであって、前記少なくとも１つの第１のメッセージが、
前記第１の基地局における前記無線装置の第１の集約最大ビットレートと、
第１のパケットフローが複製ＰＤＣＰパケットを含むことを示すパケットデータ収束プロトコル（ＰＤＣＰ）パケット複製パラメータと、を含む、受信することと、
前記第２の基地局から前記第１の基地局により、前記第１のパケットフローの前記複製ＰＤＣＰパケットを受信することと、
前記第１の基地局により、前記複製ＰＤＣＰパケットを前記無線装置に送信することと、
前記第１の基地局により、前記無線装置のビットレートが前記第１の集約最大ビットレートを超えることを判定し、前記判定が、前記ＰＤＣＰパケット複製パラメータに基づいて、前記複製ＰＤＣＰパケットを無視することと、
前記第１の基地局により、前記判定に基づいて前記無線装置の前記ビットレートを制限することと、を含む、方法。
【０００４】
本発明の様々な実施形態のいくつかの例は、図面を参照して本明細書に記載されている。
【図面の簡単な説明】
【０００５】
【図１】図１は、本発明の実施形態の態様にかかる、ＯＦＤＭサブキャリアの例示的なセットを示す図である。
【０００６】
【図２】図２は、本発明の実施形態の態様にかかる、キャリアグループ内の２つのキャリアの例示的な送信時間および受信時間を示す図である。
【０００７】
【図３】図３は、本発明の実施形態の態様にかかる、ＯＦＤＭ無線リソースを示す図である。
【０００８】
【図４】図４は、本発明の実施形態の態様にかかる、基地局および無線装置のブロック図である。
【０００９】
【図５Ａ】図５Ａは、本発明の実施形態の態様にかかる、アップリンク信号送信の例示的な図である。
【図５Ｂ】図５Ｂは、本発明の実施形態の態様にかかる、アップリンク信号送信の例示的な図である。
【図５Ｃ】図５Ｃは、本発明の実施形態の態様にかかる、ダウンリンク信号送信の例示的な図である。
【図５Ｄ】図５Ｄは、本発明の実施形態の態様にかかる、ダウンリンク信号送信の例示的な図である。
【００１０】
【図６】図６は、本発明の実施形態の態様にかかる、マルチ接続を有するプロトコル構造の例示的な図である。
【００１１】
【図７】図７は、本発明の実施形態の態様にかかる、ＣＡおよびＤＣを有するプロトコル構造の例示的な図である。
【００１２】
【図８】図８は、本発明の実施形態の態様にかかる、ＴＡＧ構成の例を示している。
【００１３】
【図９】図９は、本発明の実施形態の態様にかかる、セカンダリＴＡＧにおけるランダムアクセスプロセスにおける例示的なメッセージフローである。
【００１４】
【図１０Ａ】図１０Ａは、本発明の実施形態の態様にかかる、５Ｇコアネットワーク（例えば、ＮＧＣ）と基地局（例えば、ｇＮＢ）との間のインターフェースの例示的な図である。
【図１０Ｂ】図１０Ｂは、本発明の実施形態の態様にかかる、５Ｇコアネットワーク（例えば、ＮＧＣ）と基地局（例えば、ｅＬＴＥ  ｅＮＢ）との間のインターフェースの例示的な図である。
【００１５】
【図１１Ａ】図１１Ａは、本発明の実施形態の態様にかかる、５Ｇ  ＲＡＮ（例えば、ｇＮＢ）とＬＴＥ  ＲＡＮ（例えば、（ｅ）ＬＴＥ  ｅＮＢ）との間の緊密な相互作用のアーキテクチャの例示的な図である。
【図１１Ｂ】図１１Ｂは、本発明の実施形態の態様にかかる、５Ｇ  ＲＡＮ（例えば、ｇＮＢ）とＬＴＥ  ＲＡＮ（例えば、（ｅ）ＬＴＥ  ｅＮＢ）との間の緊密な相互作用のアーキテクチャの例示的な図である。
【図１１Ｃ】図１１Ｃは、本発明の実施形態の態様にかかる、５Ｇ  ＲＡＮ（例えば、ｇＮＢ）とＬＴＥ  ＲＡＮ（例えば、（ｅ）ＬＴＥ  ｅＮＢ）との間の緊密な相互作用のアーキテクチャの例示的な図である。
【図１１Ｄ】図１１Ｄは、本発明の実施形態の態様にかかる、５Ｇ  ＲＡＮ（例えば、ｇＮＢ）とＬＴＥ  ＲＡＮ（例えば、（ｅ）ＬＴＥ  ｅＮＢ）との間の緊密な相互作用のアーキテクチャの例示的な図である。
【図１１Ｅ】図１１Ｅは、本発明の実施形態の態様にかかる、５Ｇ  ＲＡＮ（例えば、ｇＮＢ）とＬＴＥ  ＲＡＮ（例えば、（ｅ）ＬＴＥ  ｅＮＢ）との間の緊密な相互作用のアーキテクチャの例示的な図である。
【図１１Ｆ】図１１Ｆは、本発明の実施形態の態様にかかる、５Ｇ  ＲＡＮ（例えば、ｇＮＢ）とＬＴＥ  ＲＡＮ（例えば、（ｅ）ＬＴＥ  ｅＮＢ）との間の緊密な相互作用のアーキテクチャの例示的な図である。
【００１６】
【図１２Ａ】図１２Ａは、本発明の実施形態の態様にかかる、緊密な相互作用ベアラの無線プロトコル構造の例示的な図である。
【図１２Ｂ】図１２Ｂは、本発明の実施形態の態様にかかる、緊密な相互作用ベアラの無線プロトコル構造の例示的な図である。
【図１２Ｃ】図１２Ｃは、本発明の実施形態の態様にかかる、緊密な相互作用ベアラの無線プロトコル構造の例示的な図である。
【００１７】
【図１３Ａ】図１３Ａは、本発明の実施形態の態様にかかる、ｇＮＢ配備シナリオの例示的な図である。
【図１３Ｂ】図１３Ｂは、本発明の実施形態の態様にかかる、ｇＮＢ配備シナリオの例示的な図である。
【００１８】
【図１４】図１４は、本発明の実施形態の態様にかかる、中央ｇＮＢ配備シナリオの機能スプリットオプションの例示的な図である。
【００１９】
【図１５】図１５は、本開示の実施形態の態様にかかる例示的な図である。
【００２０】
【図１６】図１６は、本開示の実施形態の態様にかかる例示的な図である。
【００２１】
【図１７】図１７は、本開示の実施形態の態様にかかる例示的な図である。
【００２２】
【図１８】図１８は、本開示の実施形態の態様にかかる例示的な図である。
【００２３】
【図１９】図１９は、本開示の実施形態の態様にかかる例示的な図である。
【００２４】
【図２０】図２０は、本開示の実施形態の態様にかかる例示的な図である。
【００２５】
【図２１】図２１は、本開示の実施形態の態様にかかる例示的な図である。
【００２６】
【図２２】図２２は、本開示の実施形態の態様にかかる例示的な図である。
【００２７】
【図２３】図２３は、本開示の実施形態の態様にかかる例示的な図である。
【００２８】
【図２４】図２４は、本開示の実施形態の態様にかかる例示的な図である。
【００２９】
【図２５】図２５は、本開示の実施形態の態様にかかる例示的な図である。
【００３０】
【図２６】図２６は、本開示の実施形態の態様にかかる例示的な図である。
【００３１】
【図２７】図２７は、本開示の実施形態の態様にかかる例示的な図である。
【００３２】
【図２８】図２８は、本開示の実施形態の態様にかかる例示的な図である。
【００３３】
【図２９】図２９は、本開示の実施形態の態様にかかる例示的な図である。
【００３４】
【図３０】図３０は、本開示の実施形態の態様にかかる例示的な図である。
【００３５】
【図３１】図３１は、本開示の実施形態の態様にかかる例示的な図である。
【００３６】
【図３２】図３２は、本開示の実施形態の態様のフロー図である。
【００３７】
【図３３】図３３は、本開示の実施形態の態様のフロー図である。
【００３８】
【図３４】図３４は、本開示の実施形態の態様のフロー図である。
【００３９】
【図３５】図３５は、本開示の実施形態の態様のフロー図である。
【００４０】
【図３６】図３６は、本開示の実施形態の態様のフロー図である。
【００４１】
【図３７】図３７は、本開示の実施形態の態様のフロー図である。
【００４２】
【図３８】図３８は、本開示の実施形態の態様のフロー図である。
【００４３】
【図３９】図３９は、本開示の実施形態の態様のフロー図である。
【００４４】
【図４０】図４０は、本開示の実施形態の態様のフロー図である。
【００４５】
【図４１】図４１は、本開示の実施形態の態様のフロー図である。
【００４６】
【図４２】図４２は、本開示の実施形態の態様のフロー図である。
【００４７】
【図４３】図４３は、本開示の実施形態の態様のフロー図である。
【００４８】
【図４４】図４４は、本開示の実施形態の態様のフロー図である。
【００４９】
【図４５】図４５は、本開示の実施形態の態様のフロー図である。
【００５０】
【図４６】図４６は、本開示の実施形態の態様のフロー図である。
【００５１】
【図４７】図４７は、本開示の実施形態の態様のフロー図である。
【００５２】
【図４８】図４８は、本開示の実施形態の態様のフロー図である。
【００５３】
【図４９】図４９は、本開示の実施形態の態様のフロー図である。
【００５４】
【図５０】図５０は、本開示の実施形態の態様のフロー図である。
【００５５】
【図５１】図５１は、本開示の実施形態の態様のフロー図である。
【００５６】
【図５２】図５２は、本開示の実施形態の態様のフロー図である。
【００５７】
【図５３】図５３は、本開示の実施形態の態様のフロー図である。
【発明を実施するための形態】
【００５８】
以下の頭字語は、本開示全体で使用される。
ＡＳＩＣ  特定用途向け集積回路
ＢＰＳＫ  二位相偏移変調
ＣＡ  キャリアアグリゲーション
ＣＳＩ  チャネル状態情報
ＣＤＭＡ  符号分割多重アクセス
ＣＳＳ  共通探索空間
ＣＰＬＤ  コンプレックスプログラマブルロジックデバイス
ＣＣ  コンポーネントキャリア
ＣＰ  サイクリックプレフィックス
ＤＬ  ダウンリンク
ＤＣＩ  ダウンリンク制御情報
ＤＣ  デュアル接続
ｅＭＢＢ  高度モバイルブロードバンド
ＥＰＣ  進化したパケットコア
Ｅ−ＵＴＲＡＮ  進化したユニバーサル地上無線アクセスネットワーク
ＦＰＧＡ  フィールドプログラマブルゲートアレイ
ＦＤＤ  周波数分割多重化
ＨＤＬ  ハードウェア記述言語
ＨＡＲＱ  ハイブリッド自動再送要求
ＩＥ  情報要素
ＬＴＥ  ロングタームエボリューション
ＭＣＧ  マスタセルグループ
ＭｅＮＢ  マスタ進化ノードＢ
ＭＩＢ  マスタ情報ブロック
ＭＡＣ  メディアアクセスコントロール
ＭＡＣ  メディアアクセスコントロール
ＭＭＥ  モビリティ管理エンティティ
ｍＭＴＣ  大容量マシンタイプ通信
ＮＡＳ  非アクセス層
ＮＲ  新無線
ＯＦＤＭ  直交周波数分割多重化
ＰＤＣＰ  パケットデータ収束プロトコル
ＰＤＵ  パケットデータユニット
ＰＨＹ  物理レイヤ
ＰＤＣＣＨ  物理ダウンリンクコントロールチャネル
ＰＨＩＣＨ  物理ＨＡＲＱインジケータチャネル
ＰＵＣＣＨ  物理アップリンクコントロールチャネル
ＰＵＳＣＨ  物理アップリンク共有チャネル
ＰＣｅｌｌ  プライマリセル
Ｐｃｅｌｌ  プライマリセル
ＰＣＣ  プライマリコンポーネントキャリア
ＰＳＣｅｌｌ  プライマリセカンダリセル
ｐＴＡＧ  プライマリタイミングアドバンスグループ
ＱＡＭ  直交振幅変調
ＱＰＳＫ  直交位相偏移変調
ＲＢＧ  リソースブロックグループ
ＲＬＣ  無線リンクコントロール
ＲＲＣ  無線リソースコントロール
ＲＡ  ランダムアクセス
ＲＢ  リソースブロック
ＳＣＣ  セカンダリコンポーネントキャリア
ＳＣｅｌｌ  セカンダリセル
ＳＣｅｌｌ  セカンダリセル
ＳＣＧ  セカンダリセルグループ
ＳｅＮＢ  セカンダリ進化ノードＢ
ｓＴＡＧｓ  セカンダリタイミングアドバンスグループ
ＳＤＵ  サービスデータユニット
Ｓ−ＧＷ  サービングゲートウェイ
ＳＲＢ  シグナリング無線ベアラ
ＳＣ−ＯＦＤＭ  シングルキャリアＯＦＤＭ
ＳＦＮ  システムフレーム番号
ＳＩＢ  システム情報ブロック
ＴＡＩ  トラッキングエリア識別子
ＴＡＴ  タイムアライメントタイマ
ＴＤＤ  時分割二重化
ＴＤＭＡ  時間分割多重アクセス
ＴＡ  タイミングアドバンス
ＴＡＧ  タイミングアドバンスグループ
ＴＴＩ  送信時間間隔ＴＢ  トランスポートブロック
ＵＬ  アップリンク
ＵＥ  ユーザ機器
ＵＲＬＬＣ  超高信頼低遅延通信
ＶＨＤＬ  ＶＨＳＩＣハードウェア記述言語
ＣＵ  中央ユニット
ＤＵ  分散ユニット
Ｆｓ−Ｃ  Ｆｓコントロールプレーン
Ｆｓ−Ｕ  Ｆｓユーザプレーン
ｇＮＢ  次世代ノードＢ
ＮＧＣ  次世代コア
ＮＧ  ＣＰ  次世代コントロールプレーンコア
ＮＧ−Ｃ  ＮＧコントロールプレーン
ＮＧ−Ｕ  ＮＧユーザプレーン
ＮＲ  新無線
ＮＲ  ＭＡＣ  新無線ＭＡＣ
ＮＲ  ＰＨＹ  新無線物理レイヤ
ＮＲ  ＰＤＣＰ  新無線ＰＤＣＰ
ＮＲ  ＲＬＣ  新無線ＲＬＣ
ＮＲ  ＲＲＣ  新無線ＲＲＣ
ＮＳＳＡＩ  ネットワークスライス選択支援情報
ＰＬＭＮ  公共地上モバイルネットワーク
ＵＰＧＷ  ユーザプレーンゲートウェイ
Ｘｎ−Ｃ  Ｘｎコントロールプレーン
Ｘｎ−Ｕ  Ｘｎユーザプレーン
Ｘｘ−Ｃ  Ｘｘコントロールプレーン
Ｘｘ−Ｕ  Ｘｘユーザプレーン
【００５９】
本発明の例示的な実施形態は、様々な物理レイヤ変調および送信メカニズムを使用して実装されてもよい。例示的な送信メカニズムには、ＣＤＭＡ、ＯＦＤＭ、ＴＤＭＡ、ウェーブレット技術などが含まれるが、これらに限定されない。ＴＤＭＡ／ＣＤＭＡ、およびＯＦＤＭ／ＣＤＭＡなどのハイブリッド送信メカニズムも用いられ得る。物理レイヤでの信号送信には、様々な変調方式を適用できる。変調方式の例には、位相、振幅、コード、これらの組み合わせなどが含まれるが、これらに限定されない。例示的な無線送信方法は、ＢＰＳＫ、ＱＰＳＫ、１６−ＱＡＭ、６４−ＱＡＭ、２５６−ＱＡＭなどを使用してＱＡＭを実装してもよい。物理的な無線送信は、送信要件と無線条件に応じて変調およびコーディング方式を動的または半動的に変更することにより強化できる。
【００６０】
図１は、本発明の実施形態の態様にかかる、ＯＦＤＭサブキャリアの例示的なセットを示す図である。この例に示すように、図の矢印は、マルチキャリアＯＦＤＭシステムのサブキャリアを示してもよい。ＯＦＤＭシステムは、ＯＦＤＭ技術、ＤＦＴＳ−ＯＦＤＭ、ＳＣ−ＯＦＤＭ技術などの技術を使用してもよい。例えば、矢印１０１は、情報シンボルを送信するサブキャリアを示す。図１は例示を目的とするものであり、典型的なマルチキャリアＯＦＤＭシステムは、キャリアにより多くのサブキャリアを含むことができる。例えば、キャリア内のサブキャリアの数は、１０〜１０，０００個のサブキャリアの範囲にあってもよい。図１は、送信帯域内の２つのガードバンド１０６および１０７を示す。図１に示すように、ガードバンド１０６は、サブキャリア１０３とサブキャリア１０４との間にある。サブキャリアＡ１０２の例示的なセットは、サブキャリア１０３およびサブキャリア１０４を含む。図１は、サブキャリアＢ１０５の例示的なセットも示す。図示のように、例示的なサブキャリアのセットＢ１０５の任意の２つのサブキャリア間にガードバンドはない。マルチキャリアＯＦＤＭ通信システムのキャリアは、連続キャリア、非連続キャリア、または連続キャリアと非連続キャリアの両方の組み合わせであってもよい。
【００６１】
図２は、本発明の実施形態の態様にかかる、２つのキャリアの例示的な送信時間および受信時間を示す図である。マルチキャリアＯＦＤＭ通信システムは、例えば１〜１０キャリアの範囲の１つ以上のキャリアを含んでもよい。キャリアＡ２０４およびキャリアＢ２０５は、同じまたは異なるタイミング構造を有してもよい。図２は２つの同期されたキャリアを示しているが、キャリアＡ２０４とキャリアＢ２０５は互いに同期してもしなくてもよい。ＦＤＤおよびＴＤＤデュプレックスメカニズムでは、異なる無線フレーム構造がサポートされてもよい。図２は、例示的なＦＤＤフレームタイミングを示す。ダウンリンクおよびアップリンク送信は、無線フレーム２０１に編成されてもよい。この例では、無線フレーム期間は１０ミリ秒である。例えば、１〜１００ミリ秒の範囲の他のフレーム期間もサポートされ得る。この例では、各１０ミリ秒無線フレーム２０１は、１０個の同じサイズのサブフレーム２０２に分割されてもよい。０．５ミリ秒、１ミリ秒、２ミリ秒、５ミリ秒など、他のサブフレーム期間もサポートされ得る。サブフレームは、２つ以上のスロット（例えば、スロット２０６および２０７）で構成されてもよい。ＦＤＤの例では、１０ミリ秒間隔ごとに１０個のサブフレームがダウンリンク送信に使用でき、１０個のサブフレームがアップリンク送信に使用できる。アップリンクとダウンリンクの送信は、周波数領域で分離されてもよい。スロットは、通常のＣＰで最大６０ｋＨｚの同じサブキャリア間隔で７または１４ＯＦＤＭシンボルとすることができる。スロットは、通常のＣＰで６０ｋＨｚを超える同じサブキャリア間隔で１４ＯＦＤＭシンボルとすることができる。スロットには、全てのダウンリンク、全てのアップリンク、またはダウンリンク部分とアップリンク部分などを含めることができる。スロットアグリゲーションをサポートでき、例えば、１つまたは複数のスロットにまたがるようにデータ送信をスケジュールできる。一例では、ミニスロットはサブフレーム内のＯＦＤＭシンボルで開始することができる。ミニスロットは、１つ以上のＯＦＤＭシンボルの期間を有することができる。スロットは、複数のＯＦＤＭシンボル２０３を含むことができる。スロット２０６内のＯＦＤＭシンボル２０３の数は、サイクリックプレフィックス長およびサブキャリア間隔に依存してもよい。
【００６２】
図３は、本発明の実施形態の態様にかかる、ＯＦＤＭ無線リソースを示す図である。時間３０４および周波数３０５のリソースグリッド構造が図３に示されている。ダウンリンクサブキャリアまたはＲＢの量は、少なくとも部分的に、セル内で構成されたダウンリンク送信帯域幅３０６に依存してもよい。最小の無線リソースユニットは、リソース要素と呼ばれる場合がある（例えば、３０１）。リソース要素は、リソースブロックにグループ化することができる（例えば、３０２）。リソースブロックは、リソースブロックグループ（ＲＢＧ）と呼ばれるより大きな無線リソースにグループ化することができる（例えば、３０３）。スロット２０６内の送信信号は、複数のサブキャリアおよび複数のＯＦＤＭシンボルの１つまたはいくつかのリソースグリッドによって記述され得る。リソースブロックを使用して、特定の物理チャネルからリソース要素へのマッピングを記述することができる。物理リソース要素の他の事前定義されたグループ化は、無線技術に応じてシステムに実装することができる。例えば、２４のサブキャリアは、５ミリ秒の期間、無線ブロックとしてグループ化することができる。例示的な例では、リソースブロックは、時間領域の１つのスロットと周波数領域の１８０ｋＨｚに対応してもよい（１５ＫＨｚのサブキャリア帯域幅と１２のサブキャリアの場合）。
【００６３】
例示的な実施形態では、複数の数秘術がサポートされ得る。一例では、数秘術は、整数Ｎによって基本サブキャリア間隔をスケーリングすることによって導き出すことができる。一例では、スケーラブルな数秘術は、少なくとも１５ｋＨｚから４８０ｋＨｚのサブキャリア間隔を可能にすることができる。１５ｋＨｚの数秘術と同じＣＰオーバーヘッドを持つ異なるサブキャリア間隔のスケーリングされた数秘術は、ＮＲキャリアで１ミリ秒ごとにシンボル境界に整合してもよい。
【００６４】
図５Ａ、図５Ｂ、図５Ｃおよび図５Ｄは、本発明の実施形態の態様にかかる、アップリンクおよびダウンリンク信号送信の例示的な図である。図５Ａは、例示的なアップリンク物理チャネルを示す。物理アップリンク共有チャネルを表すベースバンド信号は、以下のプロセスを実行してもよい。これらの機能は例として示されており、様々な実施形態で他のメカニズムを実装することができることが予想される。機能には、スクランブリング、スクランブルビットの変調による複素数値シンボルの生成、複素数値変調シンボルの１つまたはいくつかの送信層へのマッピング、プリコーディングの変換による複素数値シンボルの生成、複素数値シンボルのプリコーディング、プリコーディングされた複素数値シンボルのリソース要素へのマッピング、各アンテナポートの複素数値時間領域ＤＦＴＳ−ＯＦＤＭ／ＳＣ−ＦＤＭＡ信号の生成などが含まれてもよい。
【００６５】
各アンテナポートの複素数値ＤＦＴＳ−ＯＦＤＭ／ＳＣ−ＦＤＭＡベースバンド信号および／または複素数値ＰＲＡＣＨベースバンド信号のキャリア周波数への変調およびアップコンバージョンの例を図５Ｂに示す。送信前にフィルタリングを用いることができる。
【００６６】
ダウンリンク送信の構造例は、図５Ｃに示されている。ダウンリンク物理チャネルを表すベースバンド信号は、以下のプロセスを実行してもよい。これらの機能は例として示されており、様々な実施形態で他のメカニズムを実装することができることが予想される。機能には、物理チャネルで送信される各コードワードのコード化ビットのスクランブル、スクランブルビットの変調による複素数値変調シンボルの生成、複素数値変調シンボルの１つまたはいくつかの送信層上へのマッピング、アンテナポートで送信するための各層の複素数値変調シンボルのプリコーディング、各アンテナポートの複素数値変調シンボルのリソース要素へのマッピング、各アンテナポートの複素数値時間領域ＯＦＤＭ信号の生成などが含まれる。
【００６７】
各アンテナポートの複素数値ＯＦＤＭベースバンド信号のキャリア周波数への変調とアップコンバージョンの例を図５Ｄに示す。送信前にフィルタリングを用いることができる。
【００６８】
図４は、本発明の実施形態の態様にかかる、基地局４０１および無線装置４０６の例示的なブロック図である。通信ネットワーク４００は、少なくとも１つの基地局４０１および少なくとも１つの無線装置４０６を含むことができる。基地局４０１は、少なくとも１つの通信インターフェース４０２、少なくとも１つのプロセッサ４０３、および非一時的メモリ４０４に記憶され、少なくとも１つのプロセッサ４０３によって実行可能なプログラムコード命令４０５の少なくとも１つのセットを含むことができる。無線装置４０６は、少なくとも１つの通信インターフェース４０７、少なくとも１つのプロセッサ４０８、および非一時的メモリ４０９に記憶され、少なくとも１つのプロセッサ４０８によって実行可能なプログラムコード命令４１０の少なくとも１つのセットを含むことができる。基地局４０１の通信インターフェース４０２は、少なくとも１つの無線リンク４１１を含む通信経路を介して無線装置４０６の通信インターフェース４０７と通信するように構成されてもよい。無線リンク４１１は、双方向リンクとすることができる。無線装置４０６の通信インターフェース４０７は、基地局４０１の通信インターフェース４０２との通信に従事するように構成されてもよい。基地局４０１および無線装置４０６は、複数の周波数キャリアを使用して無線リンク４１１を介してデータを送受信するように構成されてもよい。実施形態の様々な態様のうちのいくつかによれば、トランシーバが用いられてもよい。トランシーバは、トランスミッタとレシーバの両方を含む装置である。トランシーバは、無線装置、基地局、中継ノードなどの装置で用いることができる。通信インターフェース４０２、４０７および無線リンク４１１に実装される無線技術の例示的な実施形態は、図１、図２、図３、図５、および関連するテキストで示されている。
【００６９】
インターフェースは、ハードウェアインターフェース、ファームウェアインターフェース、ソフトウェアインターフェース、および／またはそれらの組み合わせであってもよい。ハードウェアインターフェースは、コネクタ、ワイヤ、ドライバなどの電子装置、アンプなどを含むことができる。ソフトウェアインターフェースは、プロトコル、プロトコル層、通信ドライバ、装置ドライバ、それらの組み合わせなどを実装するためにメモリ装置に記憶されたコードを含んでもよい。ファームウェアインターフェースには、接続、電子装置動作、プロトコル、プロトコル層、通信ドライバ、装置ドライバ、ハードウェア動作、それらの組み合わせなどを実装するために、メモリ装置に記憶された、および／またはメモリ装置と通信して埋め込まれたハードウェアとコードの組み合わせを含んでもよい。
【００７０】
用語「構成された」は、装置が動作状態にあるか非動作状態にあるかにかかわらず、装置の容量に関連する場合がある。「構成された」とは、装置が動作状態にあるか非動作状態にあるかにかかわらず、装置の動作特性に影響する装置の特定の設定を指す場合もある。換言すれば、ハードウェア、ソフトウェア、ファームウェア、レジスタ、メモリ値などは、装置が特定の特性を提供するために、装置が動作状態または非動作状態にあるかどうかにかかわらず、装置内で「構成」され得る。「装置で発生する制御メッセージ」などの用語は、装置が動作状態か非動作状態かにかかわらず、制御メッセージに装置の特定の特性を構成するために使用できるパラメータがあることを意味する場合がある。
【００７１】
実施形態の様々な態様のいくつかによれば、５Ｇネットワークは多数の基地局を含むことができ、無線装置に向けてユーザプレーンＮＲ  ＰＤＣＰ／ＮＲ  ＲＬＣ／ＮＲ  ＭＡＣ／ＮＲ  ＰＨＹおよび制御プレーン（ＮＲ  ＲＲＣ）プロトコル終端を提供する。基地局は、他の基地局と相互接続することができる（例えば、Ｘｎインターフェースを用いる）。基地局はまた、例えばＮＧＣへのＮＧインターフェースを用いて接続されてもよい。図１０Ａおよび図１０Ｂは、本発明の実施形態の態様にかかる、５Ｇコアネットワーク（例えば、ＮＧＣ）と基地局（例えば、ｇＮＢおよびｅＬＴＥ  ｅＮＢ）との間のインターフェースの例示的な図である。例えば、基地局は、ＮＧ−Ｃインターフェースを用いるＮＧＣ制御プレーン（例えば、ＮＧ  ＣＰ）およびＮＧ−Ｕインターフェースを用いるＮＧＣユーザプレーン（例えば、ＵＰＧＷ）に相互接続されてもよい。ＮＧインターフェースは、５Ｇコアネットワークと基地局間の多対多の関係をサポートすることができる。
【００７２】
基地局には、例えば、１、２、３、４、または６つのセクタなど、多くのセクタが含まれる場合がある。基地局は、例えば１〜５０個以上のセルの範囲の多くのセルを含むことができる。セルは、例えばプライマリセルまたはセカンダリセルに分類できる。ＲＲＣ接続の確立／再確立／ハンドオーバーでは、１つのサービングセルがＮＡＳ（非アクセス層）モビリティ情報（例えば、ＴＡＩ）を提供し、ＲＲＣ接続の再確立／ハンドオーバーでは、１つのサービングセルがセキュリティ入力を提供することができる。このセルは、プライマリセル（ＰＣｅｌｌ）と呼ばれる場合がある。ダウンリンクでは、ＰＣｅｌｌに対応するキャリアはダウンリンクプライマリコンポーネントキャリア（ＤＬ  ＰＣＣ）とし、アップリンクでは、アップリンクプライマリコンポーネントキャリア（ＵＬ  ＰＣＣ）とすることができる。無線装置の機能に応じて、セカンダリセル（ＳＣｅｌｌ）は、ＰＣｅｌｌとサービングセルのセットを一緒に形成するように構成することができる。ダウンリンクでは、ＳＣｅｌｌに対応するキャリアはダウンリンクセカンダリコンポーネントキャリア（ＤＬ  ＳＣＣ）であり、アップリンクではアップリンクセカンダリコンポーネントキャリア（ＵＬ  ＳＣＣ）である。ＳＣｅｌｌには、アップリンクキャリアを有する場合と有しない場合がある。
【００７３】
ダウンリンクキャリアとオプションのアップリンクキャリアを含むセルには、物理セルＩＤとセルインデックスを割り当てることができる。キャリア（ダウンリンクまたはアップリンク）は１つのセルにのみ属することができる。セルＩＤまたはセルインデックスは、セルのダウンリンクキャリアまたはアップリンクキャリアも（使用されるコンテキストに応じて）識別することができる。本明細書では、セルＩＤは、キャリアＩＤと等しく呼ばれてもよく、セルインデックスは、キャリアインデックスと呼ばれてもよい。実装では、物理セルＩＤまたはセルインデックスをセルに割り当てることができる。セルＩＤは、ダウンリンクキャリアで送信される同期信号を使用して決定されてもよい。セルインデックスは、ＲＲＣメッセージを使用して決定されてもよい。例えば、仕様が第１のダウンリンクキャリアの第１の物理セルＩＤを指す場合、仕様は、第１のダウンリンクキャリアを含むセルの第１の物理セルＩＤを意味する場合がある。同じ概念が、例えば、キャリアのアクティブ化に適用される場合がある。仕様が第１のキャリアがアクティブになっていることを示している場合、その仕様は、第１のキャリアを含むセルがアクティブになっていることを等しく意味する場合がある。
【００７４】
実施形態は、必要に応じて動作するように構成されてもよい。開示されたメカニズムは、例えば、無線装置、基地局、無線環境、ネットワーク、上記の組み合わせなどで、特定の基準が満たされたときに実行され得る。例示的な基準は、例えば、トラフィック負荷、初期システム設定、パケットサイズ、トラフィック特性、上記の組み合わせなどに少なくとも部分的に基づいてもよい。１つ以上の基準が満たされると、様々な例示的な実施形態が適用され得る。したがって、開示されたプロトコルを選択的に実装する例示的な実施形態を実装することが可能であり得る。
【００７５】
基地局は、様々な無線装置と通信することができる。無線装置は、複数のテクノロジー、および／または同じテクノロジーの複数のリリースをサポートすることができる。無線装置は、その無線装置のカテゴリおよび／または機能に応じて、特定の機能を有してもよい。基地局は、複数のセクタを含んでもよい。本開示が複数の無線装置と通信する基地局に言及する場合、本開示は、カバレッジエリア内の全無線装置のサブセットに言及し得る。本開示は、例えば、所定の能力を備え、基地局の所定のセクタにある、所定のＬＴＥまたは５Ｇリリースの複数の無線装置に言及し得る。本開示における複数の無線装置は、選択された複数の無線装置、および／または開示された方法などにしたがって実行するカバレッジエリア内の全無線装置のサブセットを指し得る。例えば、それらの無線装置は、ＬＴＥまたは５Ｇ技術の古いリリースに基づいて実行されるため、開示された方法に準拠しない場合があるカバレッジエリアに複数の無線装置が存在し得る。
【００７６】
図６および図７は、本発明の実施形態の態様にかかる、ＣＡおよびマルチ接続性を備えたプロトコル構造の例示的な図である。ＮＲはマルチ接続動作をサポートでき、それにより、ＲＲＣ＿ＣＯＮＮＥＣＴＥＤの複数のＲＸ／ＴＸ  ＵＥは、非理想的または理想的なバックホールを介してＸｎインターフェース経由で接続された複数のｇＮＢにある複数のスケジューラによって提供される無線リソースを利用するように構成することができる。特定のＵＥについてのマルチマルチコネクティビティに関与するｇＮＢは２つの異なる役割を引き受けており、ｇＮＢは、マスタｇＮＢまたはセカンダリｇＮＢのいずれかとして機能することができる。マルチ接続では、ＵＥは１つのマスタｇＮＢと１つ以上のセカンダリｇＮＢに接続される。図７は、マスタセルグループ（ＭＣＧ）およびセカンダリセルグループ（ＳＣＧ）が構成され、実装を制限しない場合の、ＵＥ側ＭＡＣエンティティの構造の一例を示す。メディアブロードキャストマルチキャストサービス（ＭＢＭＳ）受信は、簡単にするためにこの図には示されていない。
【００７７】
マルチ接続では、特定のベアラが使用する無線プロトコルアーキテクチャは、ベアラの設定によって異なる場合がある。図６に示されるように、ＭＣＧベアラ、ＳＣＧベアラ、およびスプリットベアラの３つの代替手段が存在し得る。ＮＲ  ＲＲＣは、マスタｇＮＢに配置することができ、ＳＲＢは、ＭＣＧベアラタイプとして構成することができ、マスタｇＮＢの無線リソースを使用することができる。マルチ接続は、セカンダリｇＮＢによって提供される無線リソースを使用するように構成された少なくとも１つのベアラを有するものとして説明することもできる。本発明の例示的な実施形態では、マルチ接続を構成／実装してもしなくてもよい。
【００７８】
マルチ接続の場合、ＵＥは、複数のＮＲ  ＭＡＣエンティティ（マスタｇＮＢの１つのＮＲ  ＭＡＣエンティティ、およびセカンダリｇＮＢのその他のＮＲ  ＭＡＣエンティティ）で構成することができる。マルチ接続では、ＵＥのサービングセルの構成されたセットは、２つのサブセット（マスタｇＮＢのサービングセルを含むマスタセルグループ（ＭＣＧ）、およびセカンダリｇＮＢのサービングセルを含むセカンダリセルグループ（ＳＣＧ））で構成することができる。ＳＣＧの場合、次の１つ以上、すなわち、ＳＣＧの少なくとも１つのセルが構成されたＵＬ  ＣＣを有し、ＰＳＣｅｌｌ（またはＳＣＧのＰＣｅｌｌ、またはＰＣｅｌｌと呼ばれることもある）という名前のそれらの１つがＰＵＣＣＨリソースとともに構成されている、ＳＣＧが構成されている場合、少なくとも１つのＳＣＧベアラまたは１つのスプリットベアラがある、ＰＳＣｅｌｌでの物理レイヤの問題またはランダムアクセスの問題の検出時、またはＳＣＧに関連付けられたＮＲ  ＲＬＣ再送信の最大数に到達したとき、またはＳＣＧの追加またはＳＣＧの変更中にＰＳＣｅｌｌでアクセス問題が検出されたとき、ＲＲＣ接続の再確立手順がトリガされない場合があり、ＳＣＧのセルへのＵＬ送信が停止され、マスタｇＮＢは、スプリットベアラについて、ＳＣＧ障害タイプをＵＥによって通知される場合があり、マスタｇＮＢを介したＤＬデータ転送が維持される、ＮＲ  ＲＬＣ  ＡＭベアラは、スプリットベアラ用に構成することができる、ＰＣｅｌｌと同様に、ＰＳＣｅｌｌは非アクティブ化できない、ＰＳＣｅｌｌは、ＳＣＧの変更（例えば、セキュリティキーの変更やＲＡＣＨ手順）により変更できる、および／またはスプリットベアラとＳＣＧベアラ間の直接ベアラタイプの変更、またはＳＣＧとスプリットベアラの同時構成は、サポートされる場合とサポートされない場合がある、を適用できる。
【００７９】
マルチ接続のためのマスタｇＮＢとセカンダリｇＮＢとの間の相互作用に関して、次の原則のうちの１つ以上、すなわち、マスタｇＮＢは、ＵＥのＲＲＭ測定構成を維持し、（例えば、受信した測定レポート、またはトラフィック状態、またはベアラタイプに基づいて）、セカンダリｇＮＢにＵＥに追加のリソース（サービングセル）を提供するよう依頼することを決定する、マスタｇＮＢから要求を受信すると、セカンダリｇＮＢは、ＵＥの追加のサービングセルの構成をもたらすコンテナを作成する（または、利用可能なリソースがないと判断する）ことができる、ＵＥ機能調整の場合、マスタｇＮＢはＡＳ構成とＵＥ機能（およびそれらの一部）をセカンダリｇＮＢに提供することができる、マスタｇＮＢとセカンダリｇＮＢは、Ｘｎメッセージで搬送されるＮＲ  ＲＲＣコンテナ（ノード間メッセージ）を用いることにより、ＵＥ構成に関する情報を交換できる、セカンダリｇＮＢは、その既存のサービングセルの再構成を開始することができる（例えば、セカンダリｇＮＢへのＰＵＣＣＨ）、セカンダリｇＮＢは、どのセルがＳＣＧ内のＰＳＣｅｌｌであるかを決定できる、マスタｇＮＢは、セカンダリｇＮＢによって提供されるＮＲ  ＲＲＣ構成の内容を変更する場合としない場合がある、ＳＣＧの追加およびＳＣＧ  ＳＣｅｌｌの追加の場合、マスタｇＮＢはＳＣＧセルの最新の測定結果を提供することができる、マスタｇＮＢおよびセカンダリｇＮＢの両方が、ＯＡＭによって互いのＳＦＮとサブフレームオフセットを知っている場合がある（例えば、ＤＲＸアライメントと測定ギャップの識別のため）、を適用することができる。例では、新しいＳＣＧ  ＳＣｅｌｌを追加するとき、ＳＣＧのＰＳＣｅｌｌのＭＩＢから取得したＳＦＮを除いて、ＣＡに関してセルの必要なシステム情報を送信するために専用ＮＲ  ＲＲＣシグナリングを使用できる。
【００８０】
一例では、サービングセルは、ＴＡグループ（ＴＡＧ）にグループ化することができる。１つのＴＡＧのサービングセルは、同じタイミング基準を使用できる。所定のＴＡＧについて、ユーザ機器（ＵＥ）は少なくとも１つのダウンリンクキャリアをタイミング基準として使用できる。所定のＴＡＧについて、ＵＥは同じＴＡＧに属するアップリンクキャリアのアップリンクサブフレームとフレーム送信タイミングを同期させることができる。一例では、同じＴＡが適用されるアップリンクを有するサービングセルは、同じレシーバによってホストされるサービングセルに対応してもよい。複数のＴＡをサポートするＵＥは、２つ以上のＴＡグループをサポートすることができる。１つのＴＡグループにはＰＣｅｌｌが含まれ、プライマリＴＡＧ（ｐＴＡＧ）と呼ばれる場合がある。複数のＴＡＧ構成では、少なくとも１つのＴＡグループにＰＣｅｌｌが含まれず、セカンダリＴＡＧ（ｓＴＡＧ）と呼ばれる場合がある。一例では、同じＴＡグループ内のキャリアは、同じＴＡ値および／または同じタイミング基準を使用してもよい。ＤＣが構成されている場合、セルグループ（ＭＣＧまたはＳＣＧ）に属するセルは、ｐＴＡＧと１つ以上のｓＴＡＧを含む複数のＴＡＧにグループ化することができる。
【００８１】
図８は、本発明の実施形態の態様にかかる、ＴＡＧ構成の例を示している。例１では、ｐＴＡＧはＰＣｅｌｌを含み、ｓＴＡＧはＳＣｅｌｌ１を含む。例２では、ｐＴＡＧはＰＣｅｌｌとＳＣｅｌｌ１を含み、ｓＴＡＧはＳＣｅｌｌ２とＳＣｅｌｌ３を含む。例３では、ｐＴＡＧはＰＣｅｌｌとＳＣｅｌｌ１を含み、ｓＴＡＧ１はＳＣｅｌｌ２とＳＣｅｌｌ３を含み、ｓＴＡＧ２はＳＣｅｌｌ４を含む。セルグループ（ＭＣＧまたはＳＣＧ）で最大４つのＴＡＧをサポートでき、他のＴＡＧ構成の例も提供することができる。本開示の様々な例では、例示的なメカニズムがｐＴＡＧおよびｓＴＡＧについて説明されている。メカニズムの例のいくつかは、複数のｓＴＡＧを持つ構成に適用できる。
【００８２】
一例では、ｅＮＢは、アクティブ化されたＳＣｅｌｌに対するＰＤＣＣＨ指令を介してＲＡ手順を開始することができる。このＰＤＣＣＨ指令は、このＳＣｅｌｌのスケジューリングセル上で送信できる。セルにクロスキャリアスケジューリングが構成されている場合、スケジューリングセルはプリアンブル送信に用いられるセルとは異なる場合があり、ＰＤＣＣＨ指令にはＳＣｅｌｌインデックスが含まれる場合がある。少なくとも非競合ベースのＲＡ手順は、ｓＴＡＧに割り当てられたＳＣｅｌｌでサポートされ得る。
【００８３】
図９は、本発明の実施形態の態様にかかる、セカンダリＴＡＧにおけるランダムアクセスプロセスにおける例示的なメッセージフローである。ｅＮＢは、アクティベーションコマンド６００を送信して、ＳＣｅｌｌをアクティブ化する。プリアンブル６０２（Ｍｓｇ１）は、ｓＴＡＧに属するＳＣｅｌｌ上のＰＤＣＣＨ指令６０１に応答してＵＥによって送信されてもよい。例示的な実施形態では、ＳＣｅｌｌのプリアンブル送信は、ＰＤＣＣＨフォーマット１Ａを使用するネットワークによって制御されてもよい。ＳＣｅｌｌ上のプリアンブル送信に応答するＭｓｇ２メッセージ６０３（ＲＡＲ：ランダムアクセス応答）は、ＰＣｅｌｌ共通探索空間（ＣＳＳ）内のＲＡ−ＲＮＴＩにアドレス指定され得る。アップリンクパケット６０４は、プリアンブルが送信されたＳＣｅｌｌ上で送信されてもよい。
【００８４】
実施形態の様々な態様のいくつかによれば、ランダムアクセス手順を通じて初期タイミングアライメントを達成することができる。これには、ランダムアクセスプリアンブルを送信するＵＥと、ランダムアクセス応答ウィンドウ内で、初期ＴＡコマンドＮＴＡ（タイミングアドバンスの量）で応答するｅＮＢが含まれる。ランダムアクセスプリアンブルの開始は、ＮＴＡ＝０と仮定して、ＵＥでの対応するアップリンクサブフレームの開始と整合させることができる。ｅＮＢは、ＵＥによって送信されたランダムアクセスプリアンブルからアップリンクタイミングを推定することができる。ＴＡコマンドは、所望のＵＬタイミングと実際のＵＬタイミング間の差の推定に基づいてｅＮＢによって導出されてもよい。ＵＥは、プリアンブルが送信されるｓＴＡＧの対応するダウンリンクに対する初期アップリンク送信タイミングを決定することができる。
【００８５】
サービングセルのＴＡＧへのマッピングは、ＲＲＣシグナリングを備えたサービングｅＮＢによって構成することができる。ＴＡＧ構成および再構成のメカニズムは、ＲＲＣシグナリングに基づいてもよい。実施形態の様々な態様のうちのいくつかによれば、ｅＮＢがＳＣｅｌｌ追加構成を実行するとき、関連するＴＡＧ構成がＳＣｅｌｌ用に構成されてもよい。例示的な実施形態では、ｅＮＢは、ＳＣｅｌｌを除去（解放）し、更新されたＴＡＧ  ＩＤで新しいＳＣｅｌｌ（同じ物理セルＩＤおよび周波数を有する）を追加（構成）することにより、ＳＣｅｌｌのＴＡＧ構成を修正することができる。更新されたＴＡＧ  ＩＤを持つ新しいＳＣｅｌｌは、更新されたＴＡＧ  ＩＤが割り当てられた後、最初は非アクティブであってもよい。ｅＮＢは、更新された新しいＳＣｅｌｌをアクティブ化し、アクティブ化されたＳＣｅｌｌ上でパケットのスケジューリングを開始することができる。実装例では、ＳＣｅｌｌに関連付けられているＴＡＧを変更できない場合があるが、ＳＣｅｌｌを削除し、新しいＳＣｅｌｌを他のＴＡＧに追加する必要があり得る。例えば、ＳＣｅｌｌをｓＴＡＧからｐＴＡＧに移動する必要がある場合、少なくとも１つのＲＲＣメッセージ、例えば少なくとも１つのＲＲＣ再構成メッセージをＵＥに送信して、ＳＣｅｌｌを解放することによってＴＡＧ構成を再構成し、次に、ＳＣｅｌｌをｐＴＡＧの一部として構成することができる（ＴＡＧインデックスなしでＳＣｅｌｌを追加／構成する場合、ＳＣｅｌｌをｐＴＡＧに明示的に割り当てることができる）。ＰＣｅｌｌはそのＴＡグループを変更せず、ｐＴＡＧのメンバーである場合がある。
【００８６】
ＲＲＣ接続再構成手順の目的は、ＲＲＣ接続を修正する（例えば、ＲＢを確立、修正、および／または解放する、ハンドオーバーを実行する、測定を設定、修正、および／または解放する、ＳＣｅｌｌを追加、修正、および／または解放する）ことである。受信したＲＲＣ接続再構成メッセージにｓＣｅｌｌＴｏＲｅｌｅａｓｅＬｉｓｔが含まれている場合、ＵＥはＳＣｅｌｌリリースを実行できる。受信したＲＲＣ接続再構成メッセージにｓＣｅｌｌＴｏＡｄｄＭｏｄＬｉｓｔが含まれている場合、ＵＥはＳＣｅｌｌの追加または修正を実行できる。
【００８７】
ＬＴＥ  リリース−１０およびリリース−１１  ＣＡでは、ＰＵＣＣＨはＰＣｅｌｌ（ＰＳＣｅｌｌ）でのみｅＮＢに送信される。ＬＴＥ−リリース１２以前では、ＵＥは１つのセル（ＰＣｅｌｌまたはＰＳＣｅｌｌ）上でＰＵＣＣＨ情報を所定のｅＮＢに送信できる。
【００８８】
ＣＡ対応ＵＥの数および集約されたキャリアの数も増加すると、ＰＵＣＣＨの数およびＰＵＣＣＨペイロードサイズも増加する可能性がある。ＰＣｅｌｌでＰＵＣＣＨ送信に対応すると、ＰＣｅｌｌで高いＰＵＣＣＨ負荷が発生する可能性がある。ＳＣｅｌｌ上のＰＵＣＣＨを導入して、ＰＣｅｌｌからＰＵＣＣＨリソースをオフロードできる。例えば、ＰＣｅｌｌ上のＰＵＣＣＨとＳＣｅｌｌ上の他のＰＵＣＣＨなど、２つ以上のＰＵＣＣＨを構成することができる。例示的な実施形態では、ＣＳＩ／ＡＣＫ／ＮＡＣＫを基地局に送信するためのＰＵＣＣＨリソースで１つ、２つ、またはそれ以上のセルを構成することができる。セルは複数のＰＵＣＣＨグループにグループ化することができ、グループ内の１つ以上のセルはＰＵＣＣＨで構成することができる。構成例では、１つのＳＣｅｌｌが１つのＰＵＣＣＨグループに属する場合がある。基地局に送信される構成されたＰＵＣＣＨを有するＳＣｅｌｌは、ＰＵＣＣＨ  ＳＣｅｌｌと呼ばれる場合があり、同じ基地局に送信された共通のＰＵＣＣＨリソースを有するセルグループは、ＰＵＣＣＨグループと呼ばれる場合がある。
【００８９】
例示的な実施形態では、ＭＡＣエンティティは、ＴＡＧごとに構成可能なタイマｔｉｍｅＡｌｉｇｎｍｅｎｔＴｉｍｅｒを有することができる。ｔｉｍｅＡｌｉｇｎｍｅｎｔＴｉｍｅｒは、ＭＡＣエンティティが関連するＴＡＧに属するサービングセルをアップリンクの時間整合されていると見なす時間を制御するために使用できる。ＭＡＣエンティティは、タイミングアドバンスコマンドのＭＡＣ制御要素を受信すると、指定されたＴＡＧにタイミングアドバンスコマンドを適用して、指定されたＴＡＧに関連付けられたｔｉｍｅＡｌｉｇｎｍｅｎｔＴｉｍｅｒを開始または再起動することができる。ＭＡＣエンティティは、ＴＡＧに属するサービングセルのランダムアクセス応答メッセージでタイミングアドバンスコマンドを受信した場合、および／またはランダムアクセスプリアンブルがＭＡＣエンティティによって選択されなかった場合、このＴＡＧにタイミングアドバンスコマンドを適用して、このＴＡＧに関連付けられたｔｉｍｅＡｌｉｇｎｍｅｎｔＴｉｍｅｒを開始または再起動することができる。そうではなく、このＴＡＧに関連付けられたｔｉｍｅＡｌｉｇｎｍｅｎｔＴｉｍｅｒが実行されていない場合、このＴＡＧのタイミングアドバンスコマンドが適用され、このＴＡＧに関連付けられたｔｉｍｅＡｌｉｇｎｍｅｎｔＴｉｍｅｒが開始され得る。競合解決が成功しなかったと見なされると、このＴＡＧに関連付けられたｔｉｍｅＡｌｉｇｎｍｅｎｔＴｉｍｅｒが停止する場合がある。そうでない場合、ＭＡＣエンティティは受信したタイミングアドバンスコマンドを無視する場合がある。
【００９０】
例示的な実施形態では、タイマは、開始されると、停止されるか期限切れになるまで実行されるか、そうでない場合、実行されていない場合がある。タイマは、実行されていない場合は開始でき、実行中の場合は再起動できる。例えば、タイマは、初期値から開始または再起動できる。
【００９１】
本発明の例示的な実施形態は、マルチキャリア通信の動作を可能にし得る。他の例示的な実施形態は、マルチキャリア通信の動作を引き起こすために１つ以上のプロセッサによって実行可能な命令を含む非一時的な有形のコンピュータ可読媒体を含むことができる。さらに他の例示的な実施形態は、プログラム可能なハードウェアが装置（例えば、無線通信機、ＵＥ、基地局など）にマルチキャリア通信の動作を可能にし得るために符号化された命令を有する非一時的な有形のコンピュータ可読機械アクセス可能媒体を含む製品を含むことができる。装置は、プロセッサ、メモリ、インターフェースなどを含むことができる。他の例示的な実施形態は、基地局、無線装置（またはユーザ機器：ＵＥ）、サーバ、スイッチ、アンテナなどの装置を含む通信ネットワークを含むことができる。
【００９２】
図１１Ａ、図１１Ｂ、図１１Ｃ、図１１Ｄ、図１１Ｅ、および図１１Ｆは、本発明の実施形態の態様にかかる、５Ｇ  ＲＡＮとＬＴＥ  ＲＡＮとの間の緊密な相互作用のアーキテクチャの例示的な図である。緊密な相互作用により、ＲＲＣ＿ＣＯＮＮＥＣＴＥＤの複数のＲＸ／ＴＸ  ＵＥは、非理想的または理想的なバックホールを介して、ＬＴＥ  ｅＮＢとｇＮＢとの間のＸｘインターフェース、またはｅＬＴＥ  ｅＮＢとｇＮＢとの間のＸｎインターフェースを介して接続された２つの基地局（例えば、（ｅ）ＬＴＥ  ｅＮＢおよびｇＮＢ）にある２つのスケジューラによって提供される無線リソースを利用するように構成することができる。特定のＵＥの緊密な相互作用に関与する基地局は、２つの異なる役割を引き受けており、基地局は、マスタ基地局またはセカンダリ基地局として機能する。緊密な相互作用では、ＵＥは１つのマスタ基地局と１つのセカンダリ基地局に接続される。緊密な相互作用で実装されるメカニズムは、３つ以上の基地局をカバーするように拡張されてもよい。
【００９３】
図１１Ａおよび図１１Ｂでは、マスタ基地局は、ＥＰＣノード（例えば、Ｓ１−Ｃインターフェースを介してＭＭＥに、およびＳ１−Ｕインターフェースを介してＳ−ＧＷに）に接続され得るＬＴＥ  ｅＮＢとすることができ、かつ、セカンダリ基地局はｇＮＢとすることができ、それは、ＬＴＥ  ｅＮＢへのＸｘ−Ｃインターフェースを介して制御プレーン接続を有する非スタンドアロンノードとすることができる。図１１Ａの緊密な相互作用アーキテクチャでは、ｇＮＢのユーザプレーンは、ＬＴＥ  ｅＮＢとｇＮＢとの間のＸｘ−ＵインターフェースおよびＬＴＥ  ｅＮＢとＳ−ＧＷとの間のＳ１−Ｕインターフェースを介したＬＴＥ  ｅＮＢを通じて、Ｓ−ＧＷに接続され得る。図１１Ｂのアーキテクチャでは、ｇＮＢのユーザプレーンは、ｇＮＢとＳ−ＧＷとの間のＳ１−Ｕインターフェースを介してＳ−ＧＷに直接接続され得る。
【００９４】
図１１Ｃおよび図１１Ｄでは、マスタ基地局は、ＮＧＣノード（例えば、ＮＧ−Ｃインターフェースを介して制御プレーンコアノードに、ＮＧ−Ｕインターフェースを介してユーザプレーンコアノードに）に接続され得るｇＮＢとすることができ、かつ、セカンダリ基地局は、ｅＬＴＥ  ｅＮＢとすることができ、それは、Ｘｎ−Ｃインターフェースを介してｇＮＢへの制御プレーン接続を有する非スタンドアロンノードとすることができる。図１１Ｃの緊密な相互作用アーキテクチャでは、ｅＬＴＥ  ｅＮＢのユーザプレーンは、ｅＬＴＥ  ｅＮＢとｇＮＢとの間のＸｎ−ＵインターフェースおよびｇＮＢとユーザプレーンコアノードとの間のＮＧ−Ｕインターフェースを介したｇＮＢを通じて、ユーザプレーンコアノードに接続され得る。図１１Ｄのアーキテクチャでは、ｅＬＴＥ  ｅＮＢのユーザプレーンは、ｅＬＴＥ  ｅＮＢとユーザプレーンコアノードとの間のＮＧ−Ｕインターフェースを介してユーザプレーンコアノードに直接接続され得る。
【００９５】
図１１Ｅおよび図１１Ｆでは、マスタ基地局は、ＮＧＣノード（例えば、ＮＧ−Ｃインターフェースを介して制御プレーンコアノードに、ＮＧ−Ｕインターフェースを介してユーザプレーンコアノードに）に接続され得るｅＬＴＥ  ｅＮＢとすることができ、かつ、セカンダリ基地局は、ｇＮＢとすることができ、それは、Ｘｎ−Ｃインターフェースを介してｅＬＴＥ  ｅＮＢへの制御プレーン接続を有する非スタンドアロンノードとすることができる。図１１Ｅの緊密な相互作用アーキテクチャでは、ｅＬＴＥ  ｅＮＢとｇＮＢとの間のＸｎ−ＵインターフェースおよびｅＬＴＥ  ｅＮＢとユーザプレーンコアノードとの間のＮＧ−Ｕインターフェースを介したｅＬＴＥ  ｅＮＢを通じてユーザプレーンコアノードに接続され得る。図１１Ｆのアーキテクチャでは、ｇＮＢのユーザプレーンは、ｇＮＢとユーザプレーンコアノードとの間のＮＧ−Ｕインターフェースを介してユーザプレーンコアノードに直接接続され得る。
【００９６】
図１２Ａ、図１２Ｂ、および図１２Ｃは、本発明の実施形態の態様にかかる、緊密な相互作用ベアラの無線プロトコル構造の例示的な図である。図１２Ａでは、ＬＴＥ  ｅＮＢはマスタ基地局であり得、ｇＮＢはセカンダリ基地局であり得る。図１２Ｂでは、ｇＮＢはマスタ基地局であり得、ｅＬＴＥ  ｅＮＢはセカンダリ基地局であり得る。図１２Ｃでは、ｅＬＴＥ  ｅＮＢはマスタ基地局であり得、ｇＮＢはセカンダリ基地局であり得る。５Ｇネットワークでは、特定のベアラが使用する無線プロトコルアーキテクチャは、ベアラの設定によって異なる場合がある。図１２Ａ、図１２Ｂ、および図１２Ｃに示すように、ＭＣＧベアラ、ＳＣＧベアラ、およびスプリットベアラの３つの代替手段が存在し得る。ＮＲ  ＲＲＣは、マスタ基地局に配置することができ、ＳＲＢは、ＭＣＧベアラタイプとして構成することができ、マスタ基地局の無線リソースを使用することができる。緊密な相互作用は、セカンダリ基地局によって提供される無線リソースを使用するように構成された少なくとも１つのベアラを持つものとして説明することもできる。本発明の例示的な実施形態では、緊密な相互作用を構成／実装してもしなくてもよい。
【００９７】
緊密な相互作用の場合、ＵＥは２つのＭＡＣエンティティで構成することができ、１つのＭＡＣエンティティはマスタ基地局用であり、もう１つのＭＡＣエンティティは、セカンダリ基地局用である。緊密な相互作用では、ＵＥのサービングセルの構成されたセットは、２つのサブセットで構成され、マスタ基地局のサービングセルを含むマスタセルグループ（ＭＣＧ）、およびセカンダリ基地局のサービングセルを含むセカンダリセルグループ（ＳＣＧ）である。ＳＣＧの場合、次の１つ以上、すなわち、ＳＣＧの少なくとも１つのセルが構成されたＵＬ  ＣＣを有し、ＰＳＣｅｌｌ（またはＳＣＧのＰＣｅｌｌ、またはＰＣｅｌｌと呼ばれることもある）という名前のそれらの１つにＰＵＣＣＨリソースが構成されている、ＳＣＧが構成されている場合、少なくとも１つのＳＣＧベアラまたは１つのスプリットベアラがある、ＰＳＣｅｌｌでの物理レイヤの問題またはランダムアクセスの問題の検出時、またはＳＣＧに関連付けられた（ＮＲ）ＲＬＣ再送信の最大数に到達したとき、またはＳＣＧの追加またはＳＣＧの変更中にＰＳＣｅｌｌでアクセス問題が検出されたとき、ＲＲＣ接続の再確立手順がトリガされない場合があり、ＳＣＧのセルへのＵＬ送信が停止され、マスタ基地局は、スプリットベアラについて、ＳＣＧ障害タイプをＵＥによって通知される場合があり、マスタ基地局を介したＤＬデータ転送が維持される、ＲＬＣ  ＡＭベアラは、スプリットベアラ用に構成することができる、ＰＣｅｌｌと同様に、ＰＳＣｅｌｌは非アクティブ化できない、ＰＳＣｅｌｌは、ＳＣＧの変更（例えば、セキュリティキーの変更やＲＡＣＨ手順）により変更できる、および／またはスプリットベアラとＳＣＧベアラ間の直接ベアラタイプの変更も、ＳＣＧとスプリットベアラの同時構成もサポートされない、を適用できる。
【００９８】
マスタ基地局とセカンダリ基地局との間の相互作用に関して、次の原則のうちの１つ以上、すなわち、マスタ基地局は、ＵＥのＲＲＭ測定構成を維持し、（例えば、受信した測定レポート、トラフィック状態、またはベアラタイプに基づいて）、セカンダリ基地局にＵＥに追加のリソース（サービングセル）を提供するよう依頼することを決定する、マスタ基地局から要求を受信すると、セカンダリ基地局は、ＵＥの追加のサービングセルの構成をもたらすコンテナを作成する（または、利用可能なリソースがないと判断する）ことができる、ＵＥ機能調整の場合、マスタ基地局はＡＳ構成とＵＥ機能（およびそれらの一部）をセカンダリ基地局に提供することができる、マスタ基地局とセカンダリ基地局は、ＸｎまたはＸｘメッセージで搬送されるＲＲＣコンテナ（ノード間メッセージ）を用いることにより、ＵＥ構成に関する情報を交換できる、セカンダリ基地局は、その既存のサービングセルの再構成を開始することができる（例えば、セカンダリ基地局へのＰＵＣＣＨ）、セカンダリ基地局は、どのセルがＳＣＧ内のＰＳＣｅｌｌであるかを決定できる、マスタ基地局は、セカンダリ基地局によって提供されるＲＲＣ構成の内容を変更しない場合がある、ＳＣＧの追加およびＳＣＧ  ＳＣｅｌｌの追加の場合、マスタ基地局はＳＣＧセルの最新の測定結果を提供することができる、マスタ基地局およびセカンダリ基地局の両方が、ＯＡＭによって互いのＳＦＮとサブフレームオフセットを知っている場合がある（例えば、ＤＲＸアライメントと測定ギャップの識別のため）、を適用することができる。一例では、新しいＳＣＧ  ＳＣｅｌｌを追加するとき、ＳＣＧのＰＳＣｅｌｌのＭＩＢから取得したＳＦＮを除いて、ＣＡの場合にセルの必要なシステム情報を送信するために専用ＲＲＣシグナリングを使用できる。
【００９９】
図１３Ａおよび図１３Ｂは、本発明の実施形態の態様にかかる、ｇＮＢ配備シナリオの例示的な図である。図１３Ａの非中央型配備シナリオでは、完全なプロトコルスタック（例えば、ＮＲ  ＲＲＣ、ＮＲ  ＰＤＣＰ、ＮＲ  ＲＬＣ、ＮＲ  ＭＡＣ、およびＮＲ  ＰＨＹ）が１つのノードでサポートされてもよい。図１３Ｂの中央型配備シナリオでは、ｇＮＢの上層は中央ユニット（ＣＵ）に位置し、ｇＮＢの下層は分散ユニット（ＤＵ）に位置してもよい。ＣＵとＤＵを接続するＣＵ−ＤＵインターフェース（例えば、Ｆｓインターフェース）は理想的である場合、または理想的ではない場合がある。Ｆｓ−ＣはＦｓインターフェースを介してコントロールプレーン接続を提供し、Ｆｓ−ＵはＦｓインターフェースを介してユーザプレーン接続を提供することができる。中央型配備では、ＣＵとＤＵで異なるプロトコル層（ＲＡＮ機能）を位置づけることにより、ＣＵとＤＵ間で異なる機能スプリットオプションが可能になる場合がある。機能スプリットは、サービス要件やネットワーク環境に応じて、ＣＵとＤＵとの間でＲＡＮ機能を移動する柔軟性をサポートすることができる。機能スプリットオプションは、Ｆｓインターフェースの設定手順後の動作中に変更される場合があり、または、Ｆｓ設定手順（つまり、Ｆｓ設定手順後の動作中の静的）中でのみ変更される場合がある。
【０１００】
図１４は、本発明の実施形態の態様にかかる、中央型ｇＮＢ配備シナリオの異なる機能スプリットオプションの例示的な図である。スプリットオプションの例１では、ＮＲ  ＲＲＣはＣＵにあり得、ＮＲ  ＰＤＣＰ、ＮＲ  ＲＬＣ、ＮＲ  ＭＡＣ、ＮＲ  ＰＨＹ、およびＲＦはＤＵにあり得る。スプリットオプションの例２では、ＮＲ  ＲＲＣおよびＮＲ  ＰＤＣＰはＣＵにあり得、ＮＲ  ＲＬＣ、ＮＲ  ＭＡＣ、ＮＲ  ＰＨＹ、およびＲＦはＤＵにあり得る。スプリットオプションの例３では、ＮＲ  ＲＲＣ、ＮＲ  ＰＤＣＰ、およびＮＲ  ＲＬＣの部分的な機能はＣＵにあり得、ＮＲ  ＲＬＣ、ＮＲ  ＭＡＣ、ＮＲ  ＰＨＹ、およびＲＦの他の部分的な機能はＤＵにあり得る。スプリットオプションの例４では、ＮＲ  ＲＲＣ、ＮＲ  ＰＤＣＰ、およびＮＲ  ＲＬＣはＣＵにあり得、ＮＲ  ＭＡＣ、ＮＲ  ＰＨＹ、およびＲＦはＤＵにあり得る。スプリットオプション例の５では、ＮＲ  ＲＲＣ、ＮＲ  ＰＤＣＰ、ＮＲ  ＲＬＣ、およびＮＲ  ＭＡＣの部分的な機能はＣＵにあり得、ＮＲ  ＭＡＣ、ＮＲ  ＰＨＹ、およびＲＦの他の部分的な機能はＤＵにあり得る。スプリットオプションの例６では、ＮＲ  ＲＲＣ、ＮＲ  ＰＤＣＰ、ＮＲ  ＲＬＣ、およびＮＲ  ＭＡＣはＣＵにあり得、ＮＲ  ＰＨＹおよびＲＦはＤＵにあり得る。スプリットオプションの例７では、ＮＲ  ＲＲＣ、ＮＲ  ＰＤＣＰ、ＮＲ  ＲＬＣ、ＮＲ  ＭＡＣ、およびＮＲ  ＰＨＹの部分的な機能がＣＵにあり得、ＮＲ  ＰＨＹおよびＲＦの他の部分的な機能がＤＵにあり得る。スプリットオプションの例８では、ＮＲ  ＲＲＣ、ＮＲ  ＰＤＣＰ、ＮＲ  ＲＬＣ、ＮＲ  ＭＡＣ、およびＮＲ  ＰＨＹはＣＵにあり得、ＲＦはＤＵにあり得る。
【０１０１】
機能スプリットは、ＣＵごと、ＤＵごと、ＵＥごと、ベアラごと、スライスごと、または他の粒度で構成されてもよい。ＣＵごとのスプリットでは、ＣＵに固定スプリットがあり、ＤＵはＣＵのスプリットオプションに一致するように構成することができる。ＤＵスプリットごとに、各ＤＵは異なるスプリットで構成でき、ＣＵは異なるＤＵに異なるスプリットオプションを提供することができる。ＵＥごとのスプリットでは、ｇＮＢ（ＣＵおよびＤＵ）が異なるＵＥに異なるスプリットオプションを提供することができる。ベアラごとのスプリットでは、異なるベアラタイプに異なるスプリットオプションを使用できる。スライスごとのスプライスでは、異なるスライスに異なるスプリットオプションを適用できる。
【０１０２】
例示的な実施形態では、新無線アクセスネットワーク（新ＲＡＮ）は異なるネットワークスライスをサポートし、エンドツーエンドスコープで異なるサービス要件をサポートするようにカスタマイズされた差別化された処理を可能にし得る。新ＲＡＮは、事前構成され得る異なるネットワークスライスのトラフィックの差別化された処理を提供し得、単一のＲＡＮノードが複数のスライスをサポートすることを可能にし得る。新ＲＡＮは、ＵＥまたはＮＧＣ（例えば、ＮＧ  ＣＰ）によって提供される１つ以上のスライスＩＤまたはＮＳＳＡＩによって、所定のネットワークスライスのＲＡＮ部分の選択をサポートすることができる。スライスＩＤまたはＮＳＳＡＩは、ＰＬＭＮ内の事前構成されたネットワークスライスの１つ以上を識別できる。初期接続では、ＵＥはスライスＩＤおよび／またはＮＳＳＡＩを提供し、ＲＡＮノード（例えば、ｇＮＢ）は、初期ＮＡＳシグナリングをＮＧＣコントロールプレーン機能（例えば、ＮＧ  ＣＰ）にルーティングするために、スライスＩＤまたはＮＳＳＡＩを使用することができる。ＵＥがスライスＩＤまたはＮＳＳＡＩを提供しない場合、ＲＡＮノードはＮＡＳシグナリングをデフォルトのＮＧＣコントロールプレーン機能に送信できる。後続のアクセスでは、ＵＥはスライス識別用の一時ＩＤを提供することができ、スライス識別はＮＧＣ制御プレーン機能によって割り当てられ、ＲＡＮノードがＮＡＳメッセージを関連するＮＧＣ制御プレーン機能にルーティングできるようにする。新ＲＡＮは、スライス間のリソース分離をサポートすることができる。ＲＡＮリソース分離は、１つのスライス内の共有リソースの不足が他のスライスのサービスレベルアグリーメントに違反することを回避することで実現できる。
【０１０３】
セルラネットワークを介して送信されるデータトラフィックの量は、今後何年も増加すると予想されている。ユーザ／装置の数は増加しており、各ユーザ／装置は、ビデオ配信、大きなファイル、画像など、ますます多くの種類のサービスにアクセスしている。これには、ネットワークの大容量だけでなく、双方向性と応答性に関する顧客の期待に応えるために、非常に高いデータレートを提供する必要がある。したがって、携帯電話事業者が増加する需要を満たすためには、より多くのスペクトルが必要である。シームレスなモビリティとともに高いデータレートに対するユーザの期待を考慮すると、セルラシステムのスモールセルと同様にマクロセルを展開するためにより多くのスペクトルを利用できるようにすることが有益である。
【０１０４】
市場の需要に応えるために、無認可スペクトルを利用してトラフィックの増加に対応する補完的なアクセスを展開することに、事業者からの関心が高まっている。これは、事業者が展開する多数のＷｉ−Ｆｉネットワークと、ＬＴＥ／ＷＬＡＮインターワーキングソリューションの３ＧＰＰ標準化によって実証されている。この関心は、無認可スペクトルが存在する場合、ホットスポットエリアなどのいくつかのシナリオでトラフィックの爆発的増加に対処するのに役立つ携帯電話事業者のライセンススペクトルを効果的に補完できることを示す。ＬＡＡは、事業者が１つの無線ネットワークを管理しながら、無認可スペクトルを利用するための代替手段を提供し、ネットワークの効率を最適化する新しい可能性を提供する。
【０１０５】
例示的な実施形態では、ＬＡＡセルでの送信のためにリッスンビフォアトーク（クリアチャネルアセスメント）を実装することができる。リッスンビフォアトーク（ＬＢＴ）手順では、チャネルを使用する前に、機器がクリアチャネルアセスメント（ＣＣＡ）チェックを適用する場合がある。例えば、ＣＣＡは、少なくともエネルギ検出を利用して、チャネル上の他の信号の有無を判断し、チャネルが占有されているか、クリアであるかをそれぞれ判断する。例えば、ヨーロッパと日本の規制では、無認可帯域でのＬＢＴの使用が義務付けられている。規制要件とは別に、ＬＢＴを介したキャリアセンシングは、無認可スペクトルを公平に共有するための１つの方法である。
【０１０６】
例示的な実施形態では、最大送信期間が制限された無認可キャリアでの不連続送信が有効にされてもよい。これらの機能の一部は、不連続ＬＡＡダウンリンク送信の開始から送信される１つ以上の信号によってサポートされる場合がある。チャネル予約は、成功したＬＢＴ動作を介してチャネルアクセスを取得した後、ＬＡＡノードによる信号の送信によって有効になり、特定の閾値を超えるエネルギで送信信号を受信する他のノードが占有されるチャネルを感知できるようにする。不連続ダウンリンク送信でのＬＡＡ動作のために１つ以上の信号でサポートする必要がある機能には、ＵＥによるＬＡＡダウンリンク送信（セル識別を含む）の検出、ＵＥの時間と周波数の同期のうちの１つ以上が含まれる。
【０１０７】
例示的な実施形態では、ＤＬ  ＬＡＡ設計は、ＣＡによって集約されたサービングセルにわたるＬＴＥ−Ａキャリアアグリゲーションタイミング関係にしたがってサブフレーム境界アライメントを用いてもよい。これは、ｅＮＢ送信がサブフレーム境界でのみ開始できることを意味しない場合がある。ＬＡＡは、ＬＢＴにしたがってサブフレーム内の全てのＯＦＤＭシンボルを送信できるわけではない場合、ＰＤＳＣＨの送信をサポートする場合がある。ＰＤＳＣＨに必要な制御情報の配信もサポートされる場合がある。
【０１０８】
ＬＢＴ手順は、ＬＡＡと他の事業者および無認可スペクトルで動作する技術との公正かつ友好的な共存のために用いられる場合がある。無認可スペクトルにおけるキャリアで送信しようとするノードでのＬＢＴ手順では、ノードがクリアチャネルアセスメントを実行して、チャネルが使用できるかどうかを判断する必要がある。ＬＢＴ手順には、チャネルが使用されているかどうかを判断するための少なくともエネルギ検出が含まれる場合がある。例えば、ヨーロッパなど一部の地域の規制要件では、ノードがこの閾値を超えるエネルギを受け取る場合、ノードはチャネルが空いていないと仮定するように、エネルギ検出閾値を指定する。ノードはこのような規制要件にしたがってもよく、オプションで、規制要件で指定された閾値よりも低い閾値をエネルギ検出に使用してもよい。一例では、ＬＡＡは、エネルギ検出閾値を適応的に変更するメカニズムを用いてもよく、例えば、ＬＡＡは、上限からエネルギ検出閾値を適応的に低下させるメカニズムを用いてもよい。適応メカニズムは、閾値の静的または半静的な設定を妨げない場合がある。一例では、カテゴリ４ＬＢＴメカニズムまたは他のタイプのＬＢＴメカニズムを実装することができる。
【０１０９】
様々な例のＬＢＴメカニズムを実装することができる。一例では、一部の信号、一部の実装シナリオ、一部の状況、および／または一部の周波数では、送信エンティティによってＬＢＴ手順が実行されない場合がある。一例では、カテゴリ２（例えば、ランダムバックオフのないＬＢＴ）を実装することができる。送信エンティティが送信する前にチャネルがアイドル状態であると感知される期間は、決定論的であり得る。一例では、カテゴリ３（例えば、固定サイズのコンテンションウィンドウを使用したランダムバックオフのＬＢＴ）を実装することができる。ＬＢＴ手順には、そのコンポーネントの１つとして次の手順がある。送信エンティティは、コンテンションウィンドウ内で乱数Ｎを描画できる。コンテンションウィンドウのサイズは、Ｎの最小値と最大値で指定できる。コンテンションウィンドウのサイズは、固定とすることができる。乱数Ｎは、送信エンティティがチャネル上で送信する前に、チャネルがアイドルであると感知される期間を決定するためにＬＢＴ手順で用いられてもよい。一例では、カテゴリ４（例えば、可変サイズのコンテンションウィンドウを使用したランダムバックオフのＬＢＴ）を実装することができる。送信エンティティは、コンテンションウィンドウ内で乱数Ｎを描画できる。コンテンションウィンドウのサイズは、Ｎの最小値および最大値によって指定できる。送信エンティティは、乱数Ｎを描画するときにコンテンションウィンドウのサイズを変更できる。乱数Ｎは、送信エンティティがチャネルで送信する前に、チャネルがアイドルであると感知される期間を決定するためにＬＢＴ手順で使用される。
【０１１０】
ＬＡＡはＵＥでアップリンクＬＢＴを用いることができる。ＵＬ  ＬＢＴスキームは、例えば、ＬＡＡ  ＵＬがＵＥのチャネル競合機会に影響を及ぼすスケジュールされたアクセスに基づいているため、（例えば、異なるＬＢＴメカニズムまたはパラメータを使用することにより）ＤＬ  ＬＢＴスキームと異なる場合がある。異なるＵＬ  ＬＢＴスキームを動機付けるその他の考慮事項には、単一のサブフレームでの複数のＵＥの多重化が含まれるが、これらに限定されない。
【０１１１】
一例では、ＤＬ送信バーストは、同じＣＣ上の同じノードからの直前または直後に送信がないＤＬ送信ノードからの連続送信とすることができる。ＵＥの観点からのＵＬ送信バーストは、同じＣＣ上の同じＵＥからの直前または直後に送信がないＵＥからの連続送信とすることができる。一例では、ＵＥの観点からＵＬ送信バーストが定義される。一例では、ＵＬ送信バーストは、ｅＮＢの観点から定義されてもよい。一例では、同じ無認可キャリア上でＤＬ＋ＵＬ  ＬＡＡを動作するｅＮＢの場合、ＬＡＡ上のＤＬ送信バーストおよびＵＬ送信バーストは、同じ無認可キャリア上で、ＴＤＭ方式でスケジュールされ得る。例えば、ある瞬間は、ＤＬ送信バーストまたはＵＬ送信バーストの一部とすることができる。
【０１１２】
既存の技術では、ｇＮＢがｇＮＢ−ＣＵとｇＮＢ−ＤＵとにスプリットされる場合、ｇＮＢ−ＣＵは、少なくともＲＲＣレイヤを提供することができ、ｇＮＢ−ＤＵは、物理レイヤおよび／またはＭＡＣレイヤの少なくとも１つを提供することができる。既存の技術の実装では、ｇＮＢ−ＣＵは、パケット送信ステータス（例えば、ＰＤＣＰレイヤパケット送信または受信監視に基づく）および／またはネットワークトラフィック負荷情報（例えば、ｇＮＢ−ＣＵ負荷ステータスに基づくおよび／またはＰＤＣＰレイヤパケット監視に基づく）の情報を有することができる。ｇＮＢ−ＣＵは、ＵＥおよび／またはｇＮＢ−ＤＵからチャネル測定レポートを受信することができる。ＵＥの少なくとも１つのベアラについてＰＤＣＰパケット複製が構成されている場合、ｇＮＢ−ＤＵは、アップリンク複製アクティブ化／非アクティブ化指示をＵＥに送信することができる。既存の技術の実装では、ｇＮＢ−ＣＵは、ｇＮＢ−ＤＵおよび／またはＵＥへの複製ＰＤＣＰパケットの送信を開始することにより、ダウンリンクＰＤＣＰパケット複製をアクティブ化／非アクティブ化することができる。ＰＤＣＰパケット複製をサポートするために、ｇＮＢ−ＤＵは、パケット送信および／または複製パケット送信のためにセルを構成することができる。既存の技術の実装では、ｇＮＢ−ＣＵのトラフィックステータスまたは測定情報と、ｇＮＢ−ＤＵのアップリンクＰＤＣＰパケット複製アクティブ化／非アクティブ化がずれている場合がある。既存の技術では、ｇＮＢ−ＣＵのダウンリンクＰＤＣＰパケット複製アクティブ化／非アクティブ化が、パケット送信のためのｇＮＢ−ＤＵの適切なセル調整を妨害することがある。ステータス測定情報、パケット複製アクティブ化／非アクティブ化、および／またはセル構成間の不整合は、不適切なＰＤＣＰパケット複製動作を増加させることがある。既存の技術は、パケット伝送の信頼性とリソース利用効率とを低下させることがある。ｇＮＢ−ＣＵおよび／またはｇＮＢ−ＤＵがＰＤＣＰパケット複製を適切にアクティブ化／非アクティブ化し、パケット複製用のセルを構成することができるように、ｇＮＢ−ＣＵ、ｇＮＢ−ＤＵ、および無線装置間でシグナリングメカニズムを開発する必要がある。
【０１１３】
例示的な実施形態は、ｇＮＢ−ＤＵがｇＮＢの下位レイヤ機能を提供するときに、ｇＮＢ−ＣＵおよび／またはｇＮＢ−ＤＵのＰＤＣＰパケット複製アクティブ化／非アクティブ化メカニズムを強化する。例示的な実施形態は、ＵＥのＰＤＣＰパケット複製アクティブ化／非アクティブ化のトラフィックステータスおよび／またはチャネルステータスを考慮するために、ｇＮＢ−ＣＵおよびｇＮＢ−ＤＵの相互作用を強化することができる。例示的な実施形態は、ｇＮＢ−ＣＵおよびｇＮＢ−ＤＵの通信を改善して、ＵＥのＰＤＣＰパケット複製用のセルを構成することができる。例示的な実施形態は、ＵＥのためのｇＮＢ−ＣＵおよびｇＮＢ−ＤＵのパケット複製アクティブ化／非アクティブ化メカニズムを強化することにより、無線装置の接続信頼性およびリソース利用効率を高めることができる。
【０１１４】
例示的な実施形態では、基地局は、ｇＮＢ、ｅＮＢ、ＲＮＣ、ホームｅＮＢ、ホームｇＮＢ、ＮＧ−ｅＮＢ、統合アクセスおよびバックホール（ＩＡＢ）ノード、中継ノード、アクセスポイント、および／または１つ以上の無線装置と通信する基地局またはアクセスポイントの任意のタイプのものを備えることができる。例示的な基地局の例示的な実施形態は、他のタイプの基地局に適用されてもよい。例えば、ｇＮＢの実施形態は、ＩＡＢノードの実装に適用できる。例示的な実施形態では、ｇＮＢ−ＣＵは、中央基地局（例えば、ｅＮＢ−ＣＵ、ＲＮＣ、アクセスポイント中央ユニット、中継ドナーノード、統合アクセスおよびバックホール（ＩＡＢ）ドナーノードなど）として解釈されることができる。例示的な実施形態では、ｇＮＢ−ＤＵは、分散基地局（例えば、ｅＮＢ−ＤＵ、ＲＲＨ、送受信ポイント（ＴＲＰ）、アクセスポイント分散ユニット、中継ノード、ＩＡＢ）ノードなど）として解釈されることができる。
【０１１５】
ＲＲＣによって無線ベアラに複製が構成されている場合、複製ＰＤＣＰ  ＰＤＵを処理するために、追加のＲＬＣエンティティおよび／または追加の論理チャネルが無線ベアラに追加されることができる。したがって、ＰＤＣＰでの複製は、同じＰＤＣＰ  ＰＤＵを２回：元のＲＬＣエンティティで１回および追加のＲＬＣエンティティで２回送信することで構成されることができる。その際、元のＰＤＣＰ  ＰＤＵおよび対応する複製が同じキャリアで送信されないことがある。２つの異なる論理チャネルは、同じＭＡＣエンティティ（ＣＡ、キャリアアグリゲーション）および／または異なるもの（ＤＣ、デュアル接続）に属することができる。前者の場合、論理チャネルマッピングの制限がＭＡＣで使用され、元のＰＤＣＰ  ＰＤＵを伝送する論理チャネルおよび／または対応する複製を伝送する論理チャネルが同じキャリアで送信されないことを保証することができる。
【０１１６】
ＰＤＣＰパケット複製が構成されると、ＭＡＣ制御要素（ＭＡＣ  ＣＥ）を使用してＤＲＢごとに複製がアクティブ化および／または非アクティブ化されることができる。ＣＡでは、複製が非アクティブ化されると、論理チャネルマッピングの制限が解除され、および／またはＤＣでは、ＵＥは、それらの発信元（ＭＣＧまたはＳＣＧ）に関係なくＭＡＣ  ＣＥコマンドを適用することができる。
【０１１７】
一例では、基地局は、中央ＲＡＮエンティティおよび１つ以上の分散ＲＡＮエンティティを備えることができる。１つ以上の分散ＲＡＮエンティティの分散ＲＡＮエンティティは、少なくとも１つのセルにサービスを提供することができる。中央ＲＡＮエンティティは、少なくとも無線リソースコントロール（ＲＲＣ）機能および／またはパケットデータ収束プロトコル（ＰＤＣＰ）レイヤ機能を提供することができる。分散ＲＡＮエンティティは、少なくとも無線リンクコントロール（ＲＬＣ）レイヤ機能、メディアアクセスコントロール（ＭＡＣ）レイヤ機能、および／または物理（ＰＨＹ）レイヤ機能を提供することができる。
【０１１８】
中央ＲＡＮエンティティと分散ＲＡＮエンティティとの間にＦ１インターフェース（例えば、論理的な直接インターフェース）をセットアップすることができる。Ｆ１インターフェースは、ユーザプレーンインターフェースおよび／または制御プレーンインターフェースを備えることができる。ＲＲＣメッセージは、分散ＲＡＮエンティティを介して中央ＲＡＮエンティティから無線装置に、または無線装置から中央ＲＡＮエンティティに送信されることができる。データパケットは、分散ＲＡＮエンティティを介して中央ＲＡＮエンティティから無線装置に、または無線装置から中央ＲＡＮエンティティに送信されることができる。一例では、Ｆ１インターフェースを介して送信されるデータパケットは、ＰＤＣＰレイヤパケットとすることができる。一例では、Ｆ１インターフェースを介して送信されるＲＲＣメッセージは、Ｆ１インターフェースメッセージによって伝えられ、および／またはＦ１インターフェースメッセージによって伝えられるＲＲＣメッセージは、１つ以上のシグナリング無線ベアラに関連付けられた１つ以上のＰＤＣＰレイヤパケットとすることができる。
【０１１９】
例示的な実施形態では、図３１に示すように、パケットデータ収束プロトコル（ＰＤＣＰ）レイヤパケットが複製されることができ、無線インターフェース（エアインターフェース、無線ベアラ、論理チャネル、ＲＬＣチャネルなど）を介して送信されることができる。ベアラのＰＤＣＰパケット複製（例えば、シグナリング無線ベアラ（ＳＲＢ）、データ無線ベアラ、ＳＲＢ０、ＳＲＢ１、ＳＲＢ２など）は、無線装置についての１つ以上の無線リソースコントロール（ＲＲＣ）レイヤシグナリングメッセージを介して、および／または基地局が中央型ＲＡＮエンティティ（ＣＵ、中央ユニット）と１つ以上の分散ＲＡＮエンティティとにスプリットされている場合、分散無線アクセスネットワーク（ＲＡＮ）エンティティ（ＤＵ、分散ユニット）の１つ以上のＲＲＣコントロールシグナリングを介して構成されることができる。ベアラのＰＤＣＰパケット複製が構成されている場合、基地局は、無線チャネルの状態、トラフィック負荷などに基づいてＰＤＣＰパケット複製をアクティブまたは非アクティブにすることができる。一例では、中央ＲＡＮエンティティは、ベアラのダウンリンクパケット送信のＰＤＣＰパケット複製がアクティブまたは非アクティブであることを分散ＲＡＮエンティティに示すことができ、分散ＲＡＮエンティティは、アクティブ化または非アクティブ化の指示に基づいて複製ＰＤＣＰパケットおよび／または元のＰＤＣＰパケットを送信するために使用される１つ以上のセルを判定することができる。
【０１２０】
一例では、図１６、図１７、図１８、および図１９に示すように、第１のＲＡＮエンティティ（例えば、分散ＲＡＮエンティティ、セカンダリ基地局、Ｓノード、Ｓ−ＮＲ−ＲＡＮなど）は、第２のＲＡＮエンティティ（例えば、中央ＲＡＮエンティティ、マスタ基地局、Ｍノード、Ｍ−ＮＲ−ＲＡＮなど）から、無線装置のパケットフロー構成パラメータを含む第１のメッセージを受信することができる。一例では、第１のメッセージは、初期ＵＥコンテキストセットアップ要求メッセージ、ベアラセットアップ要求メッセージ、ベアラ変更要求メッセージ、ＲＲＣコントロールメッセージなどとすることができる。第１のメッセージは、第１のＲＡＮエンティティと第２のＲＡＮエンティティとの間の直接インターフェース（例えば、Ｆ１インターフェース）を介して送信されることができる。第１のメッセージは、さらに、複数のパケットフローの複数のパケットフロー識別子、無線装置の無線装置識別子、複数のパケットフローのＱｏＳ情報、第１のＲＡＮエンティティおよび／または第２のＲＡＮエンティティ内の無線装置の集約最大ビットレート（ＡＭＢＲ）、セキュリティ情報などを含むことができる。
【０１２１】
一例では、図１５に示すように、パケットフロー構成パラメータは、無線装置の複数のパケットフローに関連付けられることができる。パケットフロー構成パラメータは、第１のパケットフロー（例えば、ＲＬＣチャネル、ベアラ、論理チャネル、ＱｏＳフロー、ＰＤＵセッションなど）のパケットが第２のパケットフロー（例えば、ＲＬＣチャネル、ベアラ、論理チャネル、ＱｏＳフロー、ＰＤＵセッションなど）のパケットの複製であることを示すパケット複製指示を含むことができる。一例では、パケットフロー構成パラメータは、さらに、第１のパケットフローおよび第２のパケットフローが第１のベアラ（例えば、無線ベアラ、データ無線ベアラ、シグナリング無線ベアラ、ＱｏＳフロー、ＰＤＵセッションなど）に関連付けられることを示す指示を含むことができる。一例では、第１のパケットフローおよび第２のパケットフローは、複数のパケットフローに属することができる。一例では、第１のパケットフローが使用され、複製ＰＤＣＰパケット（または元のＰＤＣＰパケット）を送信することができ、および／または第２のパケットフローが使用され、元のＰＤＣＰパケット（または複製ＰＤＣＰパケット）を送信することができる。一例では、元のＰＤＣＰパケットと複製ＰＤＣＰパケットとの間に明確な区別がないことがある。
【０１２２】
一例では、第１のパケットフローは、第１のトンネルに関連付けられてもよく、および／または第２のパケットフローは、第２のトンネルに関連付けられてもよい。第１のトンネルおよび／または第２のトンネルは、第１のＲＡＮエンティティと第２のＲＡＮエンティティとの間に確立されることができる。
【０１２３】
一例では、パケットフロー構成パラメータは、１つ以上の第１のセルの１つ以上の第１のセル識別子および／または１つ以上の第２のセルの１つ以上の第２のセル識別子をさらに含むことができる。パケットフロー構成パラメータの１つ以上の情報要素は、１つ以上の第１のセルが第１のパケットフローに関連付けられたパケットの送信に使用されること、および／または１つ以上の第２のセルが第２のパケットフローに関連付けられたパケットの送信に使用されることを示すように構成されてもよい。一例では、１つ以上の第１のセルは、１つ以上の第２のセルと異なっていてもよい。このセル構成は、元のＰＤＣＰパケットおよび複製ＰＤＣＰパケットが異なるキャリア（異なるセル）を介して互いに送信されることをサポートすることができる。元のＰＤＣＰパケットおよび複製ＰＤＣＰパケットを異なるキャリア（異なるセル）を介して送信する利点は、パケット送信の経路（チャネル）を多様化することによるダイバーシティゲインであり得る。一例では、第２のパケットフローの１つ以上の第２のセルのチャネル品質が悪化すると、無線装置は、１つ以上の第１のセルのチャネル品質が良好である場合に、第１のパケットフローの１つ以上の第１のセルを介して複製パケットを受信することができる場合がある。
【０１２４】
一例では、パケットフロー構成パラメータは、第１のパケットフローおよび第２のパケットフローに関連付けられたＰＤＣＰパケット複製が最初にアクティブ化または非アクティブ化されることを示す指示をさらに含むことができる（例えば、第１のＲＡＮエンティティが第２のＲＡＮエンティティから第１のメッセージを受信するとき）。
【０１２５】
一例では、第２のＲＡＮエンティティは、第１のパケットフロー用の１つ以上の第１のＰＤＣＰ  ＰＤＵパケットを生成し、および／または第２のパケットフロー用の１つ以上の第２のＰＤＣＰ  ＰＤＵパケットを生成することができる。１つ以上の第１のＰＤＣＰ  ＰＤＵパケットおよび１つ以上の第２のＰＤＣＰ  ＰＤＵパケットは、第１のパケットフローおよび／または第２のパケットフローに関連付けられた第１のベアラの１つ以上のＰＤＣＰ  ＳＤＵパケットから生成されることができる。一例では、１つ以上の第１のＰＤＣＰ  ＰＤＵパケットおよび１つ以上の第２のＰＤＣＰ  ＰＤＵパケットは、互いに重複している。第２のＲＡＮエンティティは、第１のパケットフローを介して１つ以上の第１のＰＤＣＰ  ＰＤＵパケットおよび／または第２のパケットフローを介して１つ以上の第２のＰＤＣＰ  ＰＤＵパケットを第１のＲＡＮエンティティに送信することができる。
【０１２６】
１つ以上の第１のＰＤＣＰ  ＰＤＵパケットおよび／または１つ以上の第２のＰＤＣＰ  ＰＤＵパケットの受信に応じて、第１のＲＡＮエンティティは、１つ以上の第１のセルを介して第１のパケットフローの第１のＰＤＣＰ  ＰＤＵパケットを、および１つ以上の第２のセルを介して第２のパケットフローの第２のＰＤＣＰ  ＰＤＵパケットを無線装置に送信することができる。一例では、１つ以上の第１のセルは、１つ以上の第２のセルと異なっていてもよい。
【０１２７】
一例では、第１のパケットフローについて、第１のＲＡＮエンティティの第１のＲＬＣエンティティは、Ｆ１インターフェース（第１のＲＡＮエンティティと第２のＲＡＮエンティティとの間の直接インターフェース）を介して１つ以上の第１のＰＤＣＰ  ＰＤＵパケットを受信することができる、および／または１つ以上の第１のＰＤＣＰ  ＰＤＵパケットから生成された１つ以上の第１のＲＬＣ  ＰＤＵパケットを第１のＲＡＮエンティティのＭＡＣエンティティに送信することができる。第２のパケットフローについて、第２のＲＡＮエンティティの第２のＲＬＣエンティティは、Ｆ１インターフェース（第１のＲＡＮエンティティと第２のＲＡＮエンティティとの間の直接インターフェース）を介して１つ以上の第２のＰＤＣＰ  ＰＤＵパケットを受信することができる、および／または１つ以上の第２のＰＤＣＰ  ＰＤＵパケットから生成された１つ以上の第２のＲＬＣ  ＰＤＵパケットを第１のＲＡＮエンティティのＭＡＣエンティティに送信することができる。ＭＡＣエンティティは、１つ以上の第１のＲＬＣ  ＰＤＵパケットを送信するために１つ以上の第１のセルの少なくとも１つを選択してもよく、および／または１つ以上の第２のＲＬＣ  ＰＤＵパケットを送信するために１つ以上の第２のセルの少なくとも１つを選択してもよい。物理レイヤは、１つ以上の第１のセルを介した第１のパケットフローに関連付けられたパケットと、１つ以上の第２のセルを介した第２のパケットフローに関連付けられたパケットを、エアインターフェースを介して無線装置に送信することができる。
【０１２８】
一例では、図２０、図２１、図２２、図２３、図２４、図２５、図２６、および図２７に示すように、第１のＲＡＮエンティティは、第２のＲＡＮエンティティから、第２のパケットフローの複製パケットの非アクティブ化を示すパケット複製非アクティブ化指示（例えば、第２のパケットフローに関連付けられたパケットのみを送信し、第１のパケットフローに関連付けられたパケットを送信しない第１のベアラのＰＤＣＰパケット複製を非アクティブ化する指示など）を受信することができる。一例では、パケット複製非アクティブ化指示は、Ｆ１インターフェースを介して制御プレーンメッセージを介して送信されることができる。制御プレーンメッセージは、パケットフロー（ベアラ）変更メッセージ、パケットフロー（ベアラ）構成更新メッセージ、ＲＲＣコントロールメッセージなどとすることができる。一例では、パケット複製非アクティブ化指示は、ユーザプレーン指示を介して送信されることができる。ユーザプレーン指示は、エンドマーカーパケット（例えば、エンドマーカーＰＤＵタイプパケット）、ＰＤＣＰ  ＰＤＵパケットヘッダ内のエンドマーカー指示などとすることができる。
【０１２９】
一例では、パケット複製非アクティブ化指示の受信に応じて、第１のＲＡＮエンティティは、第２のパケットフローのパケットが１つ以上の第１のセルと１つ以上の第２のセルの双方に送信されることを可能にすることができる。第１のＲＡＮエンティティのＭＡＣエンティティは、１つ以上の第１のセルおよび／または１つ以上の第２のセルのうちの少なくとも１つのセルを選択して、第２のパケットフローに関連付けられたパケットを送信することができる。
【０１３０】
一例では、第１のベアラのＰＤＣＰパケット複製が非アクティブ化されると、第１のＲＡＮエンティティは、第１のパケットフローの構成を維持することができる（例えば、第１のパケットフローの第１のトンネル、第１のパケットフローに関連付けられた１つ以上のＵＥコンテキストなどを保持する）。
【０１３１】
一例では、第１のＲＡＮエンティティは、少なくとも、第１のＲＡＮエンティティのトラフィック負荷ステータス、無線チャネルステータス、パケット送信ポリシーなどに基づいて、第２のパケットフローの複製パケットを非アクティブ化する要求を第２のＲＡＮエンティティに送信してもよい（例えば、第２のパケットフローに関連付けられたパケットのみを送信し、第１のパケットフローに関連付けられたパケットを送信しないために、第１のベアラのＰＤＣＰパケット複製を非アクティブ化するなど）。一例では、ＰＤＣＰパケット複製非アクティブ化の要求の受信に応答して、第２のＲＡＮエンティティは、パケット複製非アクティブ化指示を第１のＲＡＮエンティティに送信することができる。
【０１３２】
一例では、第１のＲＡＮエンティティは、第２のＲＡＮエンティティから、第２のパケットフローの複製パケットのアクティブ化を示すパケット複製アクティブ化指示（例えば、第１のパケットフローに関連付けられたパケットおよび第２のパケットフローに関連付けられたパケットの双方のパケットを送信する第１のベアラのＰＤＣＰパケット複製をアクティブ化する指示など）を受信することができる。一例では、パケット複製アクティブ化指示は、Ｆ１インターフェースによって制御プレーンメッセージを介して送信されることができる。制御プレーンメッセージは、パケットフロー（ベアラ）変更メッセージ、パケットフロー（ベアラ）構成更新メッセージ、ＲＲＣコントロールメッセージなどとすることができる。一例では、パケット複製アクティブ化指示は、ユーザプレーン指示を介して送信されることができる。ユーザプレーン指示は、スタートマーカーパケット（例えば、スタートマーカーＰＤＵタイプパケット）、ＰＤＣＰ  ＰＤＵパケットヘッダ内のスタートマーカー指示などとすることができる。一例では、ユーザプレーン指示は、第１のパケットフローに関連付けられたパケットとすることができる。第１のパケットフローに関連付けられたパケットを受信することにより、第１のＲＡＮエンティティは、第１のベアラのＰＤＣＰパケット複製がアクティブ化されたことを暗黙的に認識することができる。
【０１３３】
一例では、パケット複製アクティブ化指示の受信に応答して、第１のＲＡＮエンティティは、１つ以上の第１のセルを介して第１のパケットフローに関連付けられたパケットを、および１つ以上の第２のセルを介して第２のパケットフローに関連付けられたパケットを無線装置に送信することができる。一例では、１つ以上の第１のセルは、１つ以上の第２のセルと異なっていてもよい。第１のＲＡＮエンティティのＭＡＣエンティティは、第１のパケットフローに関連付けられたパケットを送信するために１つ以上の第１のセルの少なくとも１つのセルを選択することができ、および／または第２のパケットフローに関連付けられたパケットを送信するために１つ以上の第２のセルの少なくとも１つのセルを選択することができる。
【０１３４】
一例では、第１のベアラのＰＤＣＰパケット複製がアクティブ化されると、第１のＲＡＮエンティティは、第１のパケットフロー（例えば、第１のパケットフローの第１のトンネル、第１のパケットフローに関連付けられた１つ以上のＵＥコンテキストなど）に対して維持される構成を利用することができる。
【０１３５】
一例では、第１のＲＡＮエンティティは、少なくとも、第１のＲＡＮエンティティのトラフィック負荷ステータス、無線チャネルステータス、パケット送信ポリシーなどに基づいて、第２のパケットフローの複製パケットをアクティブ化する要求を第２のＲＡＮエンティティに送信してもよい（例えば、第１のベアラのＰＤＣＰパケット複製をアクティブ化するため、第２のパケットフローに関連付けられたパケットおよび第１のパケットフローに関連付けられたパケットの双方のパケットを送信するためなど）。一例では、ＰＤＣＰパケット複製アクティブ化の要求の受信に応答して、第２のＲＡＮエンティティは、パケット複製アクティブ化指示を第１のＲＡＮエンティティに送信することができる。
【０１３６】
一例では、第１のＲＡＮエンティティは、第１のパケットフローおよび／または第２のパケットフローに関連付けられた第１のベアラのアップリンクパケット送信のＰＤＣＰパケット複製をアクティブ化および／または非アクティブ化することができる。第１のＲＡＮエンティティのＭＡＣレイヤは、第１のパケットフローおよび／または第２のパケットフローに関連付けられたアップリンクＰＤＣＰパケット複製のアクティブ化または非アクティブ化を示すように構成されたメディアアクセスコントロール制御要素（ＭＡＣ  ＣＥ）メッセージを無線装置に送信することができる。ＭＡＣ  ＣＥメッセージの受信に応じて、無線装置は、アクティブ化（例えば、第１のパケットフローおよび第２のパケットフローに関連付けられた複製アップリンクＰＤＣＰパケットおよび元のアップリンクＰＤＣＰパケットを送信する）または非アクティブ化（例えば、第１のパケットフローまたは第２のパケットフローのいずれかに関連付けられたアップリンクＰＤＣＰパケットの送信を一時停止／停止する）することができる。
【０１３７】
一例では、第１のＲＡＮエンティティは、第１のパケットフローおよび／または第２のパケットフローに関連付けられた第１のベアラのアップリンクパケット送信のＰＤＣＰパケット複製のアクティブ化または非アクティブ化を示す第１の指示を第２のＲＡＮエンティティに送信することができる。第１の指示は、ベアラ（パケットフロー）変更要求メッセージ、ベアラ（パケットフロー）構成変更メッセージ、ＲＲＣコントロール変更メッセージなどを介して送信されることができる。
【０１３８】
一例では、ＭＡＣ  ＣＥメッセージの受信に応答して、無線装置は、第１のパケットフローおよび／または第２のパケットフローに関連付けられた第１のベアラのアップリンクパケット送信のＰＤＣＰパケット複製のアクティブ化または非アクティブ化を示す第２の指示を第２のＲＡＮエンティティに送信することができる。第２の指示は、ユーザプレーン指示を介して送信されることができる。アクティブ化の場合、ユーザプレーン指示は、スタートマーカーパケット（例えば、スタートマーカーＰＤＵタイプパケット）、ＰＤＣＰ  ＰＤＵパケットヘッダ内のスタートマーカー指示などとすることができる。一例では、ユーザプレーン指示は、第１のパケットフローに関連付けられたパケットとすることができる。一例では、ユーザプレーン指示は、第１のパケットフローに関連付けられたパケットとすることができる。第１のパケットフローに関連付けられたパケットを受信することにより、第２のＲＡＮエンティティは、第１のベアラのアップリンクＰＤＣＰパケット複製がアクティブ化されたことを暗黙的に認識することができる。非アクティブ化の場合、ユーザプレーン指示は、エンドマーカーパケット（例えば、エンドマーカーＰＤＵタイプパケット）、ＰＤＣＰ  ＰＤＵパケットヘッダ内のエンドマーカー表示などとすることができる。
【０１３９】
一例では、少なくとも第１の指示および／または第２の指示に基づいて、第２の基地局は、第１のベアラ、第１のパケットフロー、および／または第２のパケットフロー、ＰＤＣＰ複製構成、および／または同様の構成パラメータに関連付けられたさらなる構成を判定することができる。
【０１４０】
一例では、第１のＲＡＮエンティティは、第２のＲＡＮエンティティから、無線装置の複数のパケットフローに関連付けられたパケットフロー構成パラメータを受信することができる。パケットフロー構成パラメータは、第１のパケットフローのパケットが第２のパケットフローのパケットの複製であることを示すパケット複製指示を備えてもよく、第１のパケットフローおよび第２のパケットフローは、複数のパケットフローのものであってもよい。第１のＲＡＮエンティティは、１つ以上の第１のセルを介して第１のパケットフローの第１のパケットを、および１つ以上の第２のセルを介して第２のパケットフローの第２のパケットを無線装置に送信することができ、１つ以上の第１のセルは、１つ以上の第２のセルと異なっている。第１のＲＡＮエンティティは、第２のパケットフローの複製パケットの非アクティブ化を示すパケット複製非アクティブ化指示を受信することができる。第１のＲＡＮエンティティは、パケット複製非アクティブ化指示に応答して、１つ以上の第１のセルのうちの１つを介して第２のパケットフローに関連付けられた少なくとも１つのパケットを送信することができる。
【０１４１】
一例では、第１のＲＡＮエンティティは、第２のＲＡＮエンティティから、第２のパケットフローの複製パケットのアクティブ化を示すパケット複製アクティブ化指示を受信することができる。第１のＲＡＮエンティティは、１つ以上の第１のセルを介して第１のパケットフローの第１のパケットを、および１つ以上の第２のセルを介して第２のパケットフローの第２のパケットを無線装置に送信することができる。一例では、第１のパケットフローは、第１のトンネルに関連付けられることができ、および／または第２のパケットフローは、第２のトンネルに関連付けられることができ、第１のＲＡＮエンティティと第２のＲＡＮエンティティとの間に第１のトンネルおよび第２のトンネルが確立されることができる。パケットフロー構成パラメータは、第２のパケットフローの複製パケットのアクティブ化を示すパケット複製アクティブ化指示をさらに含むことができる。パケットフロー構成パラメータは、第２のパケットフローの複製パケットの非アクティブ化を示すパケット複製非アクティブ化指示をさらに含むことができる。一例では、第１のＲＡＮエンティティは、パケット複製非アクティブ化指示を受信したときに、第１のパケットフローに関連付けられた構成を保持することができる。第１のＲＡＮエンティティは、分散ＲＡＮエンティティであってもよく、および／または第２のＲＡＮエンティティは、中央ＲＡＮエンティティであってもよい。
【０１４２】
既存の技術では、デュアル接続（例えば、マルチ接続）に基づいてＵＥの少なくとも１つのベアラにＰＤＣＰパケット複製が構成されている場合、少なくとも１つのベアラのパケットは、マスタ基地局（例えばＭｇＮＢ、ＭｅＮＢ、Ｍノード、マスタｇＮＢ）を介して送信されることがあり、パケットの複製は、セカンダリ基地局（例えば、ＳｇＮＢ、ＳｅＮＢ、Ｓノード、セカンダリｇＮＢ）を介して送信されることがある。既存の技術では、セカンダリ基地局は、マスタ基地局から受信したＵＥのＡＭＢＲに基づいてＵＥのパケット転送レートを制限することがある。基地局から同じＰＤＣＰパケットを受信すると、ＵＥは、後で到来した複製パケットを破棄することがある。ＵＥから同じＰＤＣＰパケットを受信すると、基地局は、後で到来した複製パケットを破棄することがある。複数の同じパケットが送信される場合、レシーバ（ダウンリンクの場合はＵＥ、アップリンクの場合は基地局）において実際に受信されたパケットレートは、破棄されたパケットを計数せずに判定される。既存の技術の実装では、セカンダリ基地局が複製ＰＤＣＰパケットを含むＵＥのパケット転送レートを制限する場合、レシーバの実際のパケット受信レートは、ＵＥのＡＭＢＲよりも低くなることがある。複製パケットフローのパケットのパケット転送レートを制限すると、パケット転送レートと伝送の信頼性が低下することがある。既存の技術は、ＵＥのサービス品質とサービス公平性を低下させることがある。ＰＤＣＰパケット複製用のセカンダリ基地局のトラフィック制御メカニズムの強化を開発する必要がある。
【０１４３】
例示的な実施形態は、セカンダリ基地局がＵＥの複製ＰＤＣＰパケットを送信するとき、セカンダリ基地局のトラフィック制御を強化する。例示的な実施形態は、ＰＤＣＰパケット複製が無線装置に対して構成されている場合、パケット送信制限メカニズムを改善することができる。例示的な実施形態は、セカンダリ基地局の複製ＰＤＣＰパケット制御メカニズムを強化することにより、無線装置のパケット転送信頼性およびサービス品質を向上させることができる。
【０１４４】
一例では、ｅＮＢは、ＧＢＲベアラに関連付けられたダウンリンクＧＢＲを保証することができ、ＧＢＲベアラに関連付けられたダウンリンクＭＢＲを実施することができ、および／または非ＧＢＲベアラのグループに関連付けられたダウンリンクＡＭＢＲを実施することができる。
【０１４５】
一例では、ＵＥは、無線ベアラ間のアップリンクリソースの共有を管理することができるアップリンクレート制御機能を有することができる。ＲＲＣは、各ベアラに優先度および優先ビットレート（ＰＢＲ）を与えることにより、アップリンクレート制御機能を制御することができる。シグナリングされる値は、Ｓ１（ＮＧインターフェース）を介してｅＮＢ（ｇＮＢ、基地局）にシグナリングされる値に関連しないことがある。
【０１４６】
アップリンクレート制御機能は、ＵＥが以下の順序で無線ベアラにサービスを提供することを保証することができる：最大でそれらのＰＢＲまで優先順位を下げる無線ベアラ、および／または許可によって割り当てられた残りのリソースの優先順位を下げる無線ベアラ。
【０１４７】
ＰＢＲが全てゼロに設定されている場合、最初のアクションはスキップされることができ、無線ベアラは、厳密な優先順位でサービス提供されることができる：ＵＥは、より高い優先順位のデータの送信を最大化することができる。ＵＥへの総許可を制限することにより、ｅＮＢは、ＵＥ−ＡＭＢＲにＭＢＲの合計を加えたものを超えないことを保証することができる。上位レイヤが輻輳指示に応答する場合、ｅＮＢ（ｇＮＢ、基地局）は、上位レイヤへの輻輳指示をトリガし、Ｓ１インターフェース（ＮＧインターフェース）へのデータレートをシェーピングすることにより、アップリンク無線ベアラのＭＢＲを実施することができる。複数の無線ベアラが同じ優先度を有する場合、ＵＥは、これらの無線ベアラに等しくサービスを提供することができる。
【０１４８】
ＤＣ（デュアル接続、マルチ接続、緊密な相互作用など）では、ＭｅＮＢ（Ｍノード、マスタ基地局、Ｍ−ＮＲ−ＲＡＮなど）は、ＵＥ−ＡＭＢＲが以下によって超えないことを保証することができる：ＭＣＧでＵＥに割り当てるリソースを制限する；および／またはひいてはＳｅＮＢもまたこの制限が超えないことを保証することができるようにＳｅＮＢ（Ｓノード、セカンダリ基地局、Ｓ−ＮＲ−ＲＡＮなど）に制限を示す。スプリットベアラの場合、ＳｅＮＢは、指示されたダウンリンクＵＥ−ＡＭＢＲを無視することがある。ＳｅＮＢがスプリットベアラのアップリンクをサービス提供するように構成されていない場合、ＳｅＮＢは、指示されたアップリンクＵＥ−ＡＭＢＲを無視することがある。
【０１４９】
例示的な実施形態では、パケットデータ収束プロトコル（ＰＤＣＰ）レイヤパケットが複製され、無線インターフェースを介して送信される場合、無線装置にサービスを提供する基地局は、基地局が少なくとも無線装置に許可されるビットレート（例えば、ＵＥ集約最大ビットレート、ＵＥ−ＡＭＢＲ）に基づいてパケット送信ビットレートを制限するときに複製ＰＤＣＰパケットを考慮することができる。一例では、複製ＰＤＣＰパケットに関連付けられたパケットフローを基地局が認識すると、基地局は、無線装置の集約ビットレートが無線装置に許可されたビットレートよりも低いと判定した場合、パケットフローを無視することができる。
【０１５０】
キャリアアグリゲーション（ＣＡ）ベースのＰＤＣＰパケット複製の場合、基地局は、無線装置の集約ビットレートが無線装置に許可されているビットレートよりも低いと判定することができ、および／または許可されているビットレートよりも低いように集約ビットレートを制御することができる。デュアル接続（ＤＣ、マルチ接続、緊密な相互作用など）ベースのＰＤＣＰパケット複製の場合、セカンダリ基地局（ＳｇＮＢ、非スタンドアロン基地局、ＳｇＮＢ、Ｓノードなど）は、セカンダリ基地局における無線装置の集約ビットレートがセカンダリ基地局において無線装置に許可されているビットレートよりも低いと判定することができ、および／またはセカンダリ基地局において許可されているビットレートよりも低いように集約ビットレートを制御することができる。セカンダリ基地局は、無線装置に関連付けられたマスタ基地局からセカンダリ基地局で許可されているビットレートを受信してもよい。
【０１５１】
一例では、図２８に示すように、第２の基地局は、無線装置の第１のベアラ（例えば、データ無線ベアラ、シグナリング無線ベアラなど）のＰＤＣＰパケット複製を可能にすることを決定することができる。一例では、第１のベアラを介して送信される１つ以上のパケットは、例えば、レイテンシーセンシティブ、パケットロスセンシティブ、パケットディレイセンシティブなどのサービス（例えば、Ｖ２Ｘサービス、車両通信サービス、医療管理サービス、輸送管理サービス、緊急サービス、公安サービスなど）をサポートするために高い信頼性を必要とする場合がある。ＰＤＣＰパケット複製を有効にすると、ＰＤＣＰレイヤでのパケットロス率が低下することがあり、および／または基地局（アップリンク送信の場合）または無線装置（ダウンリンク送信の場合）が元のＰＤＣＰパケットおよび複製ＰＤＣＰパケットのうち先に到来したＰＤＣＰパケットを受信することができることから、ＰＤＣＰレイヤにおけるパケット送信レイテンシィが低下することがある。
【０１５２】
一例では、第１のベアラのＰＤＣＰパケット複製を可能にするために、第２の基地局は、元のＰＤＣＰパケットのパケットフローとは異なる（または独立した）複製ＰＤＣＰパケットのパケットフロー（例えば、ＲＬＣチャネル、無線ベアラ、論理チャネルなど）を確立することにより、ＣＡベースのＰＤＣＰパケット複製を開始することができる。第２の基地局は、複製ＰＤＣＰパケット用のＲＬＣエンティティを作成することにより、ＣＡベースのＰＤＣＰパケット複製を開始することができ、ＲＬＣエンティティは、元のＰＤＣＰパケット用のＲＬＣエンティティとは異なる（または独立している）。一例では、パケットフロー（例えば、ＲＬＣチャネル、無線ベアラ、論理チャネルなど）および／または複製ＰＤＣＰパケットおよび／または元のＰＤＣＰパケットのＲＬＣエンティティは、第２の基地局で確立されることができる。一例では、元のＰＤＣＰパケットおよび複製ＰＤＣＰパケットは、第２の基地局を介して送信されることができる。一例では、第１のベアラの複製ＰＤＣＰパケットは、第１のベアラの元のＰＤＣＰパケットが送信されるセルとは異なる１つ以上のセルを介して送信されることができる。
【０１５３】
一例では、図２９および図３０に示すように、第１のベアラのＰＤＣＰパケット複製を可能にするために、第２の基地局（例えば、マスタ基地局）は、第１の基地局の複製ＰＤＣＰパケットおよび／または元のＰＤＣＰパケットの少なくとも１つについてのパケットフロー（例えば、ＲＬＣチャネル、無線ベアラ、論理チャネルなど）を確立することにより、および／または第１の基地局における複製ＰＤＣＰパケットおよび／または元のＰＤＣＰパケットの少なくとも１つについてのＲＬＣエンティティを作成することにより、第１の基地局（例えば、セカンダリ基地局、非スタンドアロン基地局、ＳｇＮＢ、Ｓノードなど）を使用することができる。一例では、元のＰＤＣＰパケットは、第２の基地局を介して送信されてもよく、複製ＰＤＣＰパケットは、第１の基地局を介して送信されてもよい。一例では、複製ＰＤＣＰパケットは、第２の基地局を介して送信されてもよく、元のＰＤＣＰパケットは、第１の基地局を介して送信されてもよい。一例では、元のＰＤＣＰパケットおよび複製ＰＤＣＰパケットは、第１の基地局（例えば、セカンダリ基地局、非スタンドアロン基地局、ＳｇＮＢ、Ｓノードなど）を介して送信されることができる。一例では、第１のベアラの複製ＰＤＣＰパケットは、第１のベアラの元のＰＤＣＰパケットが送信されるセルとは異なる１つ以上のセルを介して送信されることができる。
【０１５４】
一例では、第２の基地局は、第１のベアラのＰＤＣＰパケット複製を可能にするとき、第１の基地局との無線装置のデュアル接続（例えば、ＤＣ、マルチ接続、緊密な相互作用など）を開始することができる。一例では、第２の基地局は、第１のベアラのＰＤＣＰパケット複製を可能にする前に、第１の基地局との無線装置に対してデュアル接続（例えば、ＤＣ、マルチ接続、緊密な相互作用など）を有することができ、ＰＤＣＰパケット複製のための第１の基地局との既存のデュアル接続（例えば、ＤＣ、マルチ接続、緊密な相互作用など）を使用することができる。
【０１５５】
一例では、第２の基地局（例えば、マスタ基地局、スタンドアロン基地局、ＭｇＮＢ、Ｍノード、Ｍ−ＮＧ−ＲＡＮなど）は、第１の基地局を介したＰＤＣＰパケット複製を可能にするために、無線装置に関連付けられた第１のメッセージを第１の基地局（例えば、セカンダリ基地局、非スタンドアロン基地局、ＳｇＮＢ、Ｓノード、Ｓ−ＮＧ−ＲＡＮなど）に送信することができる。第１のメッセージは、第２の基地局と第１の基地局との間の直接インターフェース（例えば、Ｘｎインターフェース、Ｘ２インターフェース、Ｘｘインターフェースなど）を介して送信されることができる。一例では、第１のメッセージは、第１の基地局との無線装置のデュアル接続（例えば、ＤＣ、マルチ接続、緊密な相互作用など）を開始するように構成されることができるＳノード（ＳｅＮＢ、ＳｇＮＢ、Ｓ−ＮＧ−ＲＡＮ、セカンダリ基地局）追加要求メッセージとすることができる。一例では、第１のメッセージは、第１の基地局との無線装置の既存のデュアル接続（例えば、ＤＣ、マルチ接続、緊密な相互作用など）を変更するように構成されることができるＳノード（ＳｅＮＢ、ＳｇＮＢ、Ｓ−ＮＧ−ＲＡＮ、セカンダリ基地局）変更要求メッセージとすることができる。
【０１５６】
一例では、第１のメッセージは、無線装置の無線装置（ＵＥ）識別子、無線装置セキュリティ機能情報、セカンダリ基地局セキュリティキー情報、サービングＰＬＭＮ情報、無線リソースコントロール（ＲＲＣ）構成情報（例えば、ＭｇＮＢからＳｇＮＢコンテナ、ＳＣＧ構成情報メッセージなど）、クローズドセルグループ（ＣＳＧ）メンバーシップステータス情報、セカンダリ基地局無線装置集約最大ビットレート（例えば、ＳｇＮＢ／ＳｅＮＢ  ＵＥ  ＡＭＢＲ、第１の基地局における無線装置の集約最大ビットレート（ＡＭＢＲ））、１つ以上のパケットフロー構成パラメータなどのうちの少なくとも１つを含むことができる。
【０１５７】
一例では、第１のメッセージは、第１のパケットフローについての１つ以上のパケットフロー構成パラメータ（例えば、ＲＬＣチャネル、無線ベアラ、論理チャネルなど）を含むことができる。一例では、１つ以上のパケットフロー構成パラメータは、第１のパケットフローのパケットデータ収束プロトコル（ＰＤＣＰ）パケット複製指示、ＰＤＵセッション識別子、ＰＤＵセッションＱｏＳパラメータ、アップリンクＧＴＰトンネルエンドポイント識別子（例えば、ユーザプレーンコアネットワークエンティティ、および／またはＵＰＦ）などを含むことができる。一例では、１つ以上のパケットフロー構成パラメータは、ＳＣＧベアラ（例えば、コアネットワークから第１の基地局に直接確立されるベアラ）、スプリットベアラ（例えば、コアネットワークから第１の基地局に第２の基地局を介して間接的に確立されるスプリットベアラ、他のスプリットベアラ（ベアラの他の部分）のパケットは、コアネットワークエンティティから第２の基地局および無線装置に直接送信される）、ＳＣＧスプリットベアラ（例えば、コアネットワークから第１基地局に直接確立されるベアラ、他のスプリットベアラ（ベアラの他の部分）のパケットは、第１の基地局を介してコアネットワークエンティティから第２基地局に間接的に送信される）、複製ＰＤＣＰベアラ（例えば、複製ＰＤＣＰパケットのベアラ、または元のＰＤＣＰパケットのベアラ）、元のＰＤＣＰベアラ（例えば、ＰＤＣＰ複製の場合の元のＰＤＣＰパケット用）などのために構成されることができる。一例では、複製ＰＤＣＰパケットのベアラと元のＰＤＣＰパケットのベアラは、双方とも、第１の基地局（例えば、セカンダリ基地局、Ｓノード、Ｓ−ＮＧ−ＲＡＮ、ＳｇＮＢなど）を介して確立されることができる。
【０１５８】
一例では、ＰＤＣＰパケット複製指示は、第１のパケットフローが複製ＰＤＣＰパケットを送信することおよび／または元のＰＤＣＰパケットを送信することであることを示すことができる。ＰＤＣＰパケット複製指示は、第１のパケットフローが第１のベアラに関連付けられた複製ＰＤＣＰパケットを送信すること、および／または第１のベアラに関連付けられた元のＰＤＣＰパケットを送信することをさらに示すことができる。一例では、複製パケットと元のパケットとを区別しない場合がある。複製パケットは、元のパケットと見なされる場合があり、および／またはＰＤＣＰパケット複製が適用される場合、元のパケットは、複製パケットと見なされる場合がある。ＰＤＣＰパケット複製指示は、第１のパケットフローがＰＤＣＰパケット複製に関連付けられていることを示すことができる。ＰＤＣＰパケット複製指示は、第１のパケットフローが第１のベアラのＰＤＣＰパケット複製に関連付けられていることを示すことができる。
【０１５９】
一例では、第１の基地局（例えば、セカンダリ基地局）における無線装置のＡＭＢＲ（例えば、ＳｇＮＢ／ＳｅＮＢ／Ｓノード／Ｓ−ＮＧ−ＲＡＮ  ＵＥ  ＡＭＢＲ）は、無線装置の第１の基地局において許可されるビットレートを示すことができる。ＡＭＢＲは、第２の基地局（例えば、マスタ基地局、Ｍノード、Ｍ−ＮＧ−ＲＡＮなど）によって判定されてもよい。
【０１６０】
一例では、第１のメッセージの受信に応答して、第１の基地局は、１つ以上のコンテキスト、１つ以上の第１のパケットフローの構成を構成することができる。一例では、第１のメッセージの受信に応答して、第１の基地局は、第１のメッセージの１つ以上の要素の確認を示すように構成される第２のメッセージを第２の基地局に送信することができる。第２のメッセージは、第１のメッセージがＳノード（ＳｅＮＢ、ＳｇＮＢ、Ｓ−ＮＧ−ＲＡＮ、セカンダリ基地局）追加要求メッセージである場合、Ｓノード（ＳｅＮＢ、ＳｇＮＢ、Ｓ−ＮＧ−ＲＡＮ、セカンダリ基地局）追加要求承認メッセージとすることができる。第２のメッセージは、第１のメッセージがＳノード（ＳｅＮＢ、ＳｇＮＢ、Ｓ−ＮＧ−ＲＡＮ、セカンダリ基地局）変更要求メッセージである場合、Ｓノード（ＳｅＮＢ、ＳｇＮＢ、Ｓ−ＮＧ−ＲＡＮ、セカンダリ基地局）変更要求承認メッセージとすることができる。一例では、第２のメッセージは、セットアップされる１つ以上の許可されたベアラ（パケットフロー、ＱｏＳフロー、ＲＬＣチャネル、論理チャネル、ＰＤＵセッションなど）リスト、許可されないベアラの１つ以上の拒否ベアラリストなどを含むことができる。
【０１６１】
一例では、第１の基地局は、第２の基地局から、Ｘｎインターフェースを介して第１のパケットフローに関連付けられた１つ以上のダウンリンクパケットを受信し、および／または１つ以上の無線インターフェースを介して１つ以上のダウンリンクパケットを無線装置に送信することができる。第１の基地局は、無線装置から、１つ以上の無線インターフェースを介して第１のパケットフローに関連付けられた１つ以上のアップリンクパケットを受信し、および／またはＸｎインターフェースを介して１つ以上のアップリンクパケットを第２の基地局に送信することができる。
【０１６２】
一例では、第１の基地局は、第１の基地極における無線装置の集約ビットレートが少なくともＰＤＣＰパケット複製指示に基づいてＡＭＢＲよりも小さいことを判定したとき、第１のパケットフローに関連付けられた１つ以上のアップリンクパケットおよび第１のパケットフローに関連付けられた１つ以上のダウンリンクパケットを無視することができる。一例では、第１の基地局は、無線装置の集約ビットレートを制限するときに、第１のパケットフローに関連付けられた１つ以上のアップリンクパケットおよび１つ以上のダウンリンクパケットを計数しなくてもよい。一例では、無線装置の他のパケットフローのビットレートの合計（例えば、アップリンクおよび／またはダウンリンク）が第１の基地局における無線装置のＡＭＢＲと同じ場合、第１の基地局は、第１のパケットフローに関連付けられたアップリンクおよび／またはれたダウンリンクパケットを第２の基地局および／または無線装置に送信することができる。
【０１６３】
一例では、第１の基地局は、分散ＲＡＮエンティティとすることができ、第２の基地局は、中央ＲＡＮエンティティとすることができる。分散ＲＡＮエンティティが第１のパケットフローに関連付けられた１つ以上のパケットを受信および／または送信する場合、分散ＲＡＮエンティティは、分散ＲＡＮエンティティにおける無線装置の集約ビットレートが分散ＲＡＮエンティティにおける無線装置のＡＭＢＲを超えていないことを判定したとき、１つ以上のパケットを無視することができる。
【０１６４】
一例では、第１の基地局は、第２の基地局から、無線装置の第１のメッセージを受信することができ、第１のメッセージは、第１の基地局における無線装置の集約最大ビットレート（ＡＭＢＲ）、および／または第１のパケットフローが複製ＰＤＣＰパケットを送信することであることを示すパケットデータ収束プロトコル（ＰＤＣＰ）パケット複製指示を含む。第１の基地局は、第１のパケットフローに関連付けられた１つ以上のパケットを無線装置に送信することができる。第１の基地局は、無線装置から、第１のパケットフローに関連付けられた１つ以上のパケットを受信することができる。一例では、第１の基地局は、少なくともＰＤＣＰパケット複製指示に基づいて、無線装置のビットレートがＡＭＢＲよりも低いと判定したとき、１つ以上のパケットを無視することができる。一例では、第１の基地局は、第２の基地局に／第２の基地局から１つ以上のパケットを送信／受信することができる。
【０１６５】
一例では、第１の基地局は、無線装置から、第１のパケットフローに関連付けられた１つ以上のアップリンクパケットを受信し、および／または１つ以上のアップリンクパケットを第２の基地局に送信することができる。第１の基地局は、ＡＭＢＲに基づいて無線装置のビットレートを制限するとき、１つ以上のアップリンクパケットを無視することができる。一例では、第１のメッセージは、以下のうちの少なくとも１つとすることができる：デュアル／マルチ接続開始要求メッセージ、および／またはデュアル／マルチ接続変更要求メッセージ。一例では、第１のパケットフローは、無線リンクコントロール（ＲＬＣ）チャネル、論理チャネル、無線ベアラ、および／またはＱｏＳチャネルのうちの少なくとも１つとすることができる。
【０１６６】
様々な実施形態によれば、例えば、無線装置、基地局、基地局中央ユニット、基地局分散ユニット、コアネットワークエンティティなどの装置は、１つ以上のプロセッサおよびメモリを含むことができる。メモリは、１つ以上のプロセッサによって実行されると、装置に一連のアクションを実行させる命令を記憶することができる。例示的なアクションの実施形態は、添付の図および明細書に示されている。様々な実施形態の特徴を組み合わせて、さらなる実施形態を作成することができる。
【０１６７】
図３２は、本開示の実施形態の態様にかかる例示的なフロー図である。３２１０では、基地局分散ユニットは、基地局中央ユニットから情報要素を受信することができる。情報要素は、パケットデータ収束プロトコル（ＰＤＣＰ）パケット複製が無線装置の少なくとも１つの第１のベアラについて構成されることを示す少なくとも１つのベアラ構成情報要素を含むことができる。情報要素は、少なくとも１つの第１のベアラのＰＤＣＰパケット複製のアクティブ化を示す少なくとも１つの情報要素を含むことができる。３２２０では、基地局分散ユニットは、ＰＤＣＰパケット複製のアクティブ化を示す少なくとも１つの情報要素に応答して、メディアアクセスコントロール制御要素を無線装置に送信することができる。メディアアクセスコントロール制御要素は、少なくとも１つの第１のベアラのＰＤＣＰパケット複製のアクティブ化を示すことができる。３２３０では、基地局分散ユニットは、メディアアクセスコントロール制御要素に基づいて、少なくとも１つの第１のベアラのＰＤＣＰパケットを受信することができる。基地局分散ユニットは、メディアアクセスコントロール制御要素に基づいて、少なくとも１つの第１のベアラの複製ＰＤＣＰパケットを受信することができる。
【０１６８】
例示的な実施形態によれば、無線装置は、メディアアクセスコントロール制御要素に応答して、少なくとも１つの第１のベアラのＰＤＣＰパケットを複製することにより、少なくとも１つの第１のベアラの複製ＰＤＣＰパケットを生成することができる。例示的な実施形態によれば、少なくとも１つのベアラ構成情報要素は、ＰＤＣＰパケットについての第１のトンネルおよび複製ＰＤＣＰパケットについての第２のトンネルを示すことができる。例示的な実施形態によれば、第１のトンネルおよび第２のトンネルは、少なくとも１つのベアラ構成情報要素に応答して、基地局分散ユニットと基地局中央ユニットとの間に確立されることができる。例示的な実施形態によれば、基地局分散ユニットは、１つ以上の第１のセルを介してＰＤＣＰパケットを受信することができる。例示的な実施形態によれば、基地局分散ユニットは、１つ以上の第２のセルを介して複製ＰＤＣＰパケットを受信することができる。例示的な実施形態によれば、１つ以上の第１のセルは、１つ以上の第２のセルとは異なる。例示的な実施形態によれば、ＰＤＣＰパケット複製のアクティブ化を示す少なくとも１つの情報要素は、基地局中央ユニットのトラフィック負荷ステータスに基づいている。例示的な実施形態によれば、基地局分散ユニットは、少なくとも１つの第１のベアラのＰＤＣＰパケットの複製をアクティブ化または非アクティブ化する複製アクティブ化または非アクティブ化要求を示す要求メッセージを基地局中央ユニットに送信することができる。例示的な実施形態によれば、複製アクティブ化または非アクティブ化要求は、ダウンリンクＰＤＣＰパケットについてのものとすることができる。例示的な実施形態によれば、複製アクティブ化または非アクティブ化要求は、アップリンクＰＤＣＰパケットについてのものとすることができる。例示的な実施形態によれば、複製アクティブ化または非アクティブ化要求は、基地局分散ユニットのステータス情報に基づくことができる。例示的な実施形態によれば、ステータス情報は、トラフィック負荷ステータス、無線チャネルステータス、またはパケット送信ポリシーのうちの少なくとも１つを含むことができる。
【０１６９】
例示的な実施形態によれば、基地局中央ユニットは、要求メッセージに基づいて、ＰＤＣＰパケット複製のアクティブ化を示す少なくとも１つの情報要素を送信することができる。例示的な実施形態によれば、基地局分散ユニットは、少なくとも１つの第１のベアラのＰＤＣＰパケット複製の非アクティブ化を示す少なくとも１つの第２のパラメータを基地局中央ユニットから受信することができる。例示的な実施形態によれば、少なくとも１つの第１のベアラのＰＤＣＰパケット複製の非アクティブ化は、ダウンリンクＰＤＣＰパケットまたはアップリンクＰＤＣＰパケットの少なくとも１つについてのものとすることができる。例示的な実施形態によれば、少なくとも１つの第２のパラメータは、少なくとも１つの第１のベアラのユーザプレーンデータパケットのエンドマーカーパケットを含むことができる。例示的な実施形態によれば、基地局中央ユニットは、第２の要求メッセージに基づいて少なくとも１つの第２のパラメータを送信することができる。例示的な実施形態によれば、第２の要求メッセージは、少なくとも１つの第１のベアラのＰＤＣＰパケットの複製を非アクティブ化する複製非アクティブ化要求を示すフィールド、トラフィック負荷ステータス、無線チャネルステータス、またはパケット送信ポリシーの少なくとも１つを含むことができる。例示的な実施形態によれば、少なくとも１つの第１のベアラのＰＤＣＰパケットの複製を非アクティブ化する非アクティブ化要求は、ダウンリンクＰＤＣＰパケットまたはアップリンクＰＤＣＰパケットの少なくとも１つについてのものとすることができる。
【０１７０】
例示的な実施形態によれば、基地局分散ユニットは、少なくとも１つの第１のベアラのＰＤＣＰパケット複製の非アクティブ化を示す少なくとも１つの第２のパラメータを基地局中央ユニットから受信することができる。例示的な実施形態によれば、基地局分散ユニットは、少なくとも１つの第２のパラメータに応答して、第２のメディアアクセスコントロール制御要素を無線装置に送信することができる。例示的な実施形態によれば、第２のメディアアクセスコントロール制御要素は、少なくとも１つの第１のベアラのＰＤＣＰパケット複製の非アクティブ化を示すことができる。例示的な実施形態によれば、基地局分散ユニットは、第２のメディアアクセスコントロール制御要素に応答して、１つ以上の第１のセルおよび１つ以上の第２のセルのうちの少なくとも一方を介して、少なくとも１つの第１のベアラの少なくとも１つのＰＤＣＰパケットを受信することができる。例示的な実施形態によれば、基地局は、基地局中央ユニットおよび基地局分散ユニットを備えることができる。例示的な実施形態によれば、基地局中央ユニットは、無線装置用の無線リソースコントロール機能または無線装置用のパケットデータ収束プロトコル機能の少なくとも一方を備えてもよい。例示的な実施形態によれば、基地局分散ユニットは、無線装置用のメディアアクセスコントロールレイヤ機能または無線装置用の物理レイヤ機能の少なくとも一方を備えてもよい。例示的な実施形態によれば、情報要素は、Ｆ１インターフェースを介して受信されることができる。例示的な実施形態によれば、少なくとも１つの第１のベアラの複製ＰＤＣＰパケットは、ＰＤＣＰパケットをアップリンクしてもよい。
【０１７１】
図３３は、本開示の実施形態の態様にかかる例示的なフロー図である。３３１０では、基地局分散ユニットは、基地局中央ユニットから情報要素を受信することができる。情報要素は、パケットデータ収束プロトコル（ＰＤＣＰ）パケット複製が無線装置の少なくとも１つの第１のベアラについて構成されることを示す少なくとも１つのベアラ構成情報要素を含むことができる。情報要素は、少なくとも１つの第１のベアラのＰＤＣＰパケット複製のアクティブ化を示す少なくとも１つの情報要素を含むことができる。３３２０では、基地局分散ユニットは、無線リソースコントロールメッセージを無線装置に送信することができる。ＲＲＣメッセージは、ＰＤＣＰパケット複製が少なくとも１つの第１のベアラについて構成されていることを示す少なくとも１つの構成パラメータを含むことができる。３３３０では、基地局分散ユニットは、ＰＤＣＰパケット複製のアクティブ化に基づいて、少なくとも１つの第１のベアラのＰＤＣＰパケットおよび少なくとも１つの第１のベアラの複製ＰＤＣＰパケットを受信することができる。
【０１７２】
図３４は、本開示の実施形態の態様にかかる例示的なフロー図である。３４１０では、基地局分散ユニットは、基地局中央ユニットから第１のメッセージを受信することができる。第１のメッセージは、無線装置の第１のベアラのパケットデータ収束プロトコル（ＰＤＣＰ）パケット複製のためのベアラ構成パラメータを含むことができる。３４２０では、基地局分散ユニットは、基地局中央ユニットから第２のメッセージを受信することができる。第２のメッセージは、第１のベアラのＰＤＣＰパケット複製のアクティブ化を示す少なくとも１つのパラメータを含むことができる。３４３０では、基地局分散ユニットは、ＰＤＣＰパケット複製のアクティブ化に基づいて、第１のベアラのＰＤＣＰパケットおよび第１のベアラの複製ＰＤＣＰパケットを送信することができる。
【０１７３】
例示的な実施形態によれば、基地局中央ユニットは、第１のベアラのＰＤＣＰパケットを複製することにより、第１のベアラの複製ＰＤＣＰパケットを生成することができる。例示的な実施形態によれば、基地局分散ユニットは、無線装置への送信を実行することができる。例示的な実施形態によれば、基地局分散ユニットは、基地局中央ユニットへの送信を実行することができる。例示的な実施形態によれば、第１のメッセージは、ＰＤＣＰパケットの第１のトンネルを示すことができる。例示的な実施形態によれば、第１のメッセージは、複製ＰＤＣＰパケットの第２のトンネルを示すことができる。例示的な実施形態によれば、第１のトンネルおよび第２のトンネルは、第１のメッセージに応答して、基地局分散ユニットと基地局中央ユニットとの間に確立されることができる。例示的な実施形態によれば、基地局分散ユニットは、１つ以上の第１のセルを介してＰＤＣＰパケットを送信することができる。例示的な実施形態によれば、基地局分散ユニットは、１つ以上の第２のセルを介して複製ＰＤＣＰパケットを送信することができる。例示的な実施形態によれば、１つ以上の第１のセルは、１つ以上の第２のセルと異なっていてもよい。例示的な実施形態によれば、基地局分散ユニットは、第２のメッセージの受信に応答して、メディアアクセスコントロール制御要素を無線装置に送信することができる。メディアアクセスコントロール制御要素は、第１のベアラのＰＤＣＰパケット複製のアクティブ化を示すことができる。
【０１７４】
例示的な実施形態によれば、ベアラ構成パラメータは、第１のベアラのＰＤＣＰパケット複製のアクティブ化を示す複製アクティブ化パラメータ、または第１のベアラのＰＤＣＰパケット複製の非アクティブ化を示す複製非アクティブ化パラメータの少なくとも１つを含むことができる。例示的な実施形態によれば、ベアラ構成パラメータは、複製パラメータをさらに含むことができる。複製パラメータは、第１のベアラのＰＤＣＰパケット複製のアクティブ化または第１のベアラのＰＤＣＰパケット複製の非アクティブ化を示すことができる。例示的な実施形態によれば、第２のメッセージの少なくとも１つのパラメータは、基地局中央ユニットのトラフィック負荷ステータスに基づくことができる。例示的な実施形態によれば、基地局分散ユニットは、第１のベアラのＰＤＣＰパケットの複製をアクティブ化または非アクティブ化する複製アクティブ化または非アクティブ化要求を示す要求メッセージを基地局中央ユニットに送信することができる。複製アクティブ化または非アクティブ化要求は、ダウンリンクＰＤＣＰパケットまたはアップリンクＰＤＣＰパケットの少なくとも１つについてのものとすることができる。例示的な実施形態によれば、複製アクティブ化または非アクティブ化要求は、基地局分散ユニットのステータス情報に基づくことができる。ステータス情報は、トラフィック負荷ステータス、無線チャネルステータス、またはパケット送信ポリシーのうちの少なくとも１つを含むことができる。
【０１７５】
例示的な実施形態によれば、基地局中央ユニットは、要求メッセージに基づいて第２のメッセージを送信することができる。例示的な実施形態によれば、基地局分散ユニットは、基地局中央ユニットから少なくとも１つの第２のパラメータを受信することができる。少なくとも１つの第２のパラメータは、ダウンリンクＰＤＣＰパケットまたはアップリンクＰＤＣＰパケットの少なくとも１つについての第１のベアラのＰＤＣＰパケット複製の非アクティブ化を示すことができる。例示的な実施形態によれば、少なくとも１つの第２のパラメータは、第１のベアラのユーザプレーンデータパケットのエンドマーカーパケットを含むことができる。例示的な実施形態によれば、基地局中央ユニットは、第２の要求メッセージに基づいて少なくとも１つの第２のパラメータを送信することができる。第２の要求メッセージは、第１のベアラのＰＤＣＰパケットの複製を非アクティブ化する複製非アクティブ化要求を示すフィールド、トラフィック負荷ステータス、無線チャネルステータス、またはパケット送信ポリシーのうちの少なくとも１つを含むことができる。第１のベアラのＰＤＣＰパケットの複製を非アクティブ化する複製非アクティブ化要求を示すフィールドの少なくとも１つは、ダウンリンクＰＤＣＰパケットまたはアップリンクＰＤＣＰパケットの少なくとも１つについてのものとすることができる。例示的な実施形態によれば、基地局分散ユニットは、基地局中央ユニットから、第１のベアラのＰＤＣＰパケット複製の非アクティブ化を示す少なくとも１つの第２のパラメータを受信することができる。例示的な実施形態によれば、基地局分散ユニットは、少なくとも１つの第２のパラメータの受信に応答して、少なくとも１つの第１のベアラの少なくとも１つのＰＤＣＰパケットを送信することができる。基地局分散ユニットは、１つ以上の第１のセルおよび１つ以上の第２のセルの少なくとも１つを介して少なくとも１つの第１のベアラの少なくとも１つのＰＤＣＰパケットを送信することができる。
【０１７６】
例示的な実施形態によれば、基地局は、基地局中央ユニットおよび基地局分散ユニットを備えることができる。例示的な実施形態によれば、基地局中央ユニットは、無線装置用の無線リソースコントロール機能または無線装置用のパケットデータ収束プロトコル機能の少なくとも一方を備えてもよい。例示的な実施形態によれば、基地局分散ユニットは、無線装置用のメディアアクセスコントロールレイヤ機能または無線装置用の物理レイヤ機能の少なくとも一方を備えてもよい。例示的な実施形態によれば、第１のメッセージおよび第２のメッセージは、Ｆ１インターフェースを介して受信されることができる。例示的な実施形態によれば、第１のベアラの複製ＰＤＣＰパケットは、アップリンクＰＤＣＰパケットまたはダウンリンクＰＤＣＰパケットのうちの少なくとも１つを含むことができる。
【０１７７】
図３５は、本開示の実施形態の態様にかかる例示的なフロー図である。３５１０では、基地局分散ユニットは、基地局中央ユニットから、第１のメッセージを受信することができる。第１のメッセージは、無線装置の第１のベアラのパケットデータ収束プロトコル（ＰＤＣＰ）パケット複製についてのベアラ構成パラメータを含むことができる。３５２０では、基地局分散ユニットは、基地局中央ユニットから第２のメッセージを受信することができる。第２のメッセージは、第１のベアラのＰＤＣＰパケット複製のアクティブ化を示す少なくとも１つのパラメータを含むことができる。３５３０では、基地局分散ユニットは、第２のメッセージに応答して、メディアアクセスコントロール制御要素を無線装置に送信することができる。メディアアクセスコントロール制御要素は、第１のベアラのＰＤＣＰパケット複製のアクティブ化を示すことができる。３５４０では、基地局分散ユニットは、無線装置から、第１のベアラの複製ＰＤＣＰパケットを受信することができる。
【０１７８】
図３６は、本開示の実施形態の態様にかかる例示的なフロー図である。３６１０では、基地局分散ユニットは、基地局中央ユニットから第１のメッセージを受信することができる。第１のメッセージは、無線装置のベアラのパケットデータ収束プロトコル（ＰＤＣＰ）パケット複製についてのベアラ構成パラメータを含むことができる。３６２０では、基地局分散ユニットは、基地局中央ユニットから第２のメッセージを受信することができる。第２のメッセージは、第１のベアラのＰＤＣＰパケット複製の非アクティブ化を示す少なくとも１つのパラメータを含むことができる。３６３０では、基地局分散ユニットは、ＰＤＣＰパケット複製の非アクティブ化に基づいて、第１のベアラの少なくとも１つの複製ＰＤＣＰパケットの無線装置への送信を停止することができる。
【０１７９】
図３７は、本開示の実施形態の態様にかかる例示的なフロー図である。３７１０では、基地局分散ユニットは、基地局中央ユニットから、第１のメッセージを受信することができる。第１のメッセージは、無線装置の第１のベアラのパケットデータ収束プロトコル（ＰＤＣＰ）パケット複製のためのベアラ構成パラメータを含むことができる。３７２０では、基地局分散ユニットは、基地局中央ユニットから第２のメッセージを受信することができる。第２のメッセージは、第１のベアラのＰＤＣＰパケット複製の非アクティブ化を示す少なくとも１つのパラメータを含むことができる。３７３０では、基地局分散ユニットは、ＰＤＣＰパケット複製の非アクティブ化に基づいて、第１のベアラの少なくとも１つの複製ＰＤＣＰパケットの基地局中央ユニットへの送信を停止することができる。
【０１８０】
図３８は、本開示の実施形態の態様にかかる例示的なフロー図である。３８１０では、基地局中央ユニットは、第１のメッセージを基地局分散ユニットに送信する。第１のメッセージは、無線装置の第１のベアラのパケットデータ収束プロトコル（ＰＤＣＰ）パケット複製のためのベアラ構成パラメータを含むことができる。３８２０では、基地局中央ユニットは、第２のメッセージを基地局分散ユニットに送信することができる。第２のメッセージは、第１のベアラのＰＤＣＰパケット複製のアクティブ化を示す少なくとも１つのパラメータを含むことができる。３８３０では、基地局中央ユニットは、ＰＤＣＰパケット複製のアクティブ化に基づいて、第１のベアラの複製ＰＤＣＰパケットを基地局分散ユニットに送信することができる。
【０１８１】
図３９は、本開示の実施形態の態様にかかる例示的なフロー図である。３９１０では、基地局分散ユニットは、基地局中央ユニットから、第１のメッセージを受信することができる。第１のメッセージは、無線装置の第１のベアラのパケットデータ収束プロトコル（ＰＤＣＰ）パケット複製のためのベアラ構成パラメータを含むことができる。３９２０では、基地局分散ユニットは、基地局中央ユニットから第２のメッセージを受信することができる。第２のメッセージは、少なくとも１つのパラメータを含むことができる。少なくとも１つのパラメータは、第１のベアラのＰＤＣＰパケット複製のアクティブ化を示すことができる。３９３０では、基地局分散ユニットは、ＰＤＣＰパケット複製のアクティブ化に基づいて、第１のベアラの複製ＰＤＣＰパケットを送信することができる。
【０１８２】
図４０は、本開示の実施形態の態様にかかる例示的なフロー図である。４０１０では、基地局分散ユニットは、基地局中央ユニットから、第１のメッセージを受信することができる。第１のメッセージは、無線装置の少なくとも１つの第１のベアラについてパケットデータ収束プロトコル（ＰＤＣＰ）パケット複製が構成されていることを示す少なくとも１つのベアラ構成パラメータを含むことができる。４０２０では、基地局分散ユニットは、基地局中央ユニットから第２のメッセージを受信することができる。第２のメッセージは、少なくとも１つの第１のベアラのＰＤＣＰパケット複製のアクティブ化を示す少なくとも１つのパラメータを含むことができる。４０３０では、基地局分散ユニットは、ＰＤＣＰパケット複製のアクティブ化を示す少なくとも１つのパラメータに基づいて、少なくとも１つの第１のベアラのＰＤＣＰパケットを送信することができる。基地局分散は、ＰＤＣＰパケット複製のアクティブ化を示す少なくとも１つのパラメータに基づいて、少なくとも１つの第１のベアラの複製ＰＤＣＰパケットを送信することができる。
【０１８３】
図４１は、本開示の実施形態の態様にかかる例示的なフロー図である。４１１０では、基地局分散ユニットは、基地局中央ユニットから、情報要素を受信することができる。情報要素は、少なくとも１つのベアラ構成情報要素を含むことができる。ベアラ構成情報要素は、パケットデータ収束プロトコル（ＰＤＣＰ）パケット複製が無線装置の少なくとも１つの第１のベアラについて構成されていることを示すことができる。情報要素は、少なくとも１つの第１のベアラのＰＤＣＰパケット複製のアクティブ化を示す少なくとも１つの情報要素を含むことができる。４１２０では、基地局分散ユニットは、情報要素に基づいて、少なくとも１つの第１のベアラのＰＤＣＰパケットを送信することができる。基地局分散ユニットは、情報要素に基づいて、少なくとも１つの第１のベアラの複製ＰＤＣＰパケットを送信することができる。
【０１８４】
例示的な実施形態によれば、基地局中央ユニットは、少なくとも１つの第１のベアラのＰＤＣＰパケットを複製することにより、少なくとも１つの第１のベアラの複製ＰＤＣＰパケットを生成することができる。例示的な実施形態によれば、基地局分散ユニットは、無線装置への送信を実行することができる。例示的な実施形態によれば、基地局分散ユニットは、基地局中央ユニットへの送信を実行することができる。例示的な実施形態によれば、少なくとも１つのベアラ構成情報要素は、ＰＤＣＰパケットについての第１のトンネルおよび複製ＰＤＣＰパケットについての第２のトンネルを示すことができる。例示的な実施形態によれば、第１のトンネルおよび第２のトンネルは、少なくとも１つのベアラ構成情報要素に応答して、基地局分散ユニットと基地局中央ユニットとの間に確立されることができる。例示的な実施形態によれば、基地局分散ユニットは、１つ以上の第１のセルを介してＰＤＣＰパケットを、および１つ以上の第２のセルを介して複製ＰＤＣＰパケットを送信することができる。例示的な実施形態によれば、１つ以上の第１のセルは、１つ以上の第２のセルと異なっていてもよい。例示的な実施形態によれば、基地局分散ユニットは、ＰＤＣＰパケット複製のアクティブ化を示す少なくとも１つの情報要素の受信に応答して、メディアアクセスコントロール制御要素を無線装置に送信することができる。メディアアクセスコントロール制御要素は、少なくとも１つの第１のベアラのＰＤＣＰパケット複製のアクティブ化を示すことができる。
【０１８５】
例示的な実施形態によれば、少なくとも１つの情報要素は、ＰＤＣＰパケット複製のアクティブ化が基地局中央ユニットのトラフィック負荷ステータスに基づいていることを示すことができる。例示的な実施形態によれば、基地局分散ユニットは、基地局中央ユニットに要求メッセージを送信することができる。要求メッセージは、少なくとも１つの第１のベアラのＰＤＣＰパケットの複製をアクティブ化または非アクティブ化するための複製アクティブ化または非アクティブ化要求を示すことができる。例示的な実施形態によれば、複製アクティブ化または非アクティブ化要求は、ダウンリンクＰＤＣＰパケットまたはアップリンクＰＤＣＰパケットのうちの少なくとも１つについてのものとすることができる。例示的な実施形態によれば、複製アクティブ化または非アクティブ化要求は、基地局分散ユニットのステータス情報に基づくことができる。ステータス情報は、トラフィック負荷ステータス、無線チャネルステータス、またはパケット送信ポリシーのうちの少なくとも１つを含むことができる。例示的な実施形態によれば、基地局中央ユニットは、要求メッセージに基づいて、少なくとも１つの情報要素を送信することができる。少なくとも１つの情報要素は、ＰＤＣＰパケット複製のアクティブ化を示すことができる。例示的な実施形態によれば、基地局分散ユニットは、基地局中央ユニットから、ダウンリンクＰＤＣＰパケットまたはアップリンクＰＤＣＰパケットの少なくとも１つについての少なくとも１つの第１のベアラのＰＤＣＰパケット複製の非アクティブ化を示す少なくとも１つの第２のパラメータを受信することができる。例示的な実施形態によれば、少なくとも１つの第２のパラメータは、少なくとも１つの第１のベアラのユーザプレーンデータパケットのエンドマーカーパケットを含むことができる。例示的な実施形態によれば、基地局中央ユニットは、第２の要求メッセージに基づいて少なくとも１つの第２のパラメータを送信することができる。第２の要求メッセージは、少なくとも１つの第１のベアラのＰＤＣＰパケットの複製を非アクティブ化する複製非アクティブ化要求を示すフィールド、トラフィック負荷ステータス、無線チャネルステータス、またはパケット送信ポリシーの少なくとも１つを含むことができる。少なくとも１つの第１のベアラのＰＤＣＰパケットの複製を非アクティブ化するための複製非アクティブ化要求を示すフィールドは、ダウンリンクＰＤＣＰパケットまたはアップリンクＰＤＣＰパケットの少なくとも１つについてのものとすることができる。
【０１８６】
例示的な実施形態によれば、基地局分散ユニットは、少なくとも１つの第１のベアラのＰＤＣＰパケット複製の非アクティブ化を示す少なくとも１つの第２のパラメータを基地局中央ユニットから受信することができる。例示的な実施形態によれば、基地局分散ユニットは、少なくとも１つの第２のパラメータの受信に応答して、１つ以上の第１のセルおよび１つ以上の第２のセルのうちの少なくとも１つを介して、少なくとも１つの第１のベアラの少なくとも１つのＰＤＣＰパケットを送信することができる。例示的な実施形態によれば、基地局は、基地局中央ユニットおよび基地局分散ユニットを備えることができる。例示的な実施形態によれば、基地局中央ユニットは、無線装置用の無線リソースコントロール機能または無線装置用のパケットデータ収束プロトコル機能の少なくとも一方を備えてもよい。例示的な実施形態によれば、基地局分散ユニットは、無線装置用のメディアアクセスコントロールレイヤ機能または無線装置用の物理レイヤ機能の少なくとも一方を備えてもよい。例示的な実施形態によれば、情報要素は、Ｆ１インターフェースを介して受信されることができる。例示的な実施形態によれば、少なくとも１つの第１のベアラの複製ＰＤＣＰパケットは、アップリンクＰＤＣＰパケットまたはダウンリンクＰＤＣＰパケットのうちの少なくとも１つを含むことができる。
【０１８７】
図４２は、本開示の実施形態の態様にかかる例示的なフロー図である。４２１０では、基地局分散ユニットは、基地局中央ユニットから、情報要素を受信することができる。情報要素は、パケットデータ収束プロトコル（ＰＤＣＰ）パケット複製が無線装置の少なくとも１つの第１のベアラについて構成されることを示す少なくとも１つのベアラ構成情報要素を含むことができる。情報要素は、少なくとも１つの第１のベアラのＰＤＣＰパケット複製のアクティブ化を示す少なくとも１つの情報要素を含むことができる。４２２０では、基地局分散ユニットは、ＰＤＣＰパケット複製のアクティブ化を示す少なくとも１つの情報要素に基づいて、少なくとも１つの第１のベアラのＰＤＣＰパケットを送信することができる。基地局分散ユニットは、ＰＤＣＰパケット複製のアクティブ化を示す少なくとも１つの情報要素に基づいて、少なくとも１つの第１のベアラの複製ＰＤＣＰパケットを送信することができる。
【０１８８】
図４３は、本開示の実施形態の態様にかかる例示的なフロー図である。４３１０では、基地局分散ユニットは、基地局中央ユニットから、情報要素を受信することができる。情報要素は、少なくとも１つのベアラ構成情報要素を含むことができる。ベアラ構成情報要素は、パケットデータ収束プロトコル（ＰＤＣＰ）パケット複製が無線装置の少なくとも１つの第１のベアラについて構成されていることを示すことができる。情報要素は、少なくとも１つの情報要素を含むことができる。少なくとも１つの情報要素は、少なくとも１つの第１のベアラのＰＤＣＰパケット複製のアクティブ化を示すことができる。４３２０では、基地局分散ユニットは、無線リソースコントロールメッセージを無線装置に送信することができる。無線リソースコントロールメッセージは、少なくとも１つの構成パラメータを含むことができる。少なくとも１つの構成パラメータは、少なくとも１つの第１のベアラについてのＰＤＣＰパケット複製が構成されていることを示すことができる。４３３０では、基地局分散ユニットは、ＰＤＣＰパケット複製のアクティブ化を示す少なくとも１つの情報要素に応答して、メディアアクセスコントロール制御要素を無線装置に送信することができる。メディアアクセスコントロール制御要素は、少なくとも１つの第１のベアラのＰＤＣＰパケット複製のアクティブ化を示すことができる。４３４０では、基地局分散ユニットは、メディアアクセスコントロール制御要素に基づいて、少なくとも１つの第１のベアラのＰＤＣＰパケットを受信することができる。基地局分散ユニットは、メディアアクセスコントロール制御要素に基づいて、少なくとも１つの第１のベアラの複製ＰＤＣＰパケットを受信することができる。
【０１８９】
例示的な実施形態によれば、無線装置は、メディアアクセスコントロール制御要素に応答して、少なくとも１つの第１のベアラのＰＤＣＰパケットを複製することにより、少なくとも１つの第１のベアラの複製ＰＤＣＰパケットを生成することができる。例示的な実施形態によれば、少なくとも１つのベアラ構成情報要素は、ＰＤＣＰパケットについての第１のトンネルおよび複製ＰＤＣＰパケットについての第２のトンネルを示すことができる。例示的な実施形態によれば、第１のトンネルおよび第２のトンネルは、少なくとも１つのベアラ構成情報要素に応答して、基地局分散ユニットと基地局中央ユニットとの間に確立されることができる。例示的な実施形態によれば、基地局分散ユニットは、１つ以上の第１のセルを介してＰＤＣＰパケットを受信することができる。基地局分散ユニットは、１つ以上の第２のセルを介して複製ＰＤＣＰパケットを受信することができる。例示的な実施形態によれば、１つ以上の第１のセルは、１つ以上の第２のセルと異なっていてもよい。例示的な実施形態によれば、少なくとも１つの情報要素は、ＰＤＣＰパケット複製のアクティブ化が基地局中央ユニットのトラフィック負荷ステータスに基づいていることを示すことができる。例示的な実施形態によれば、基地局分散ユニットは、少なくとも１つの第１のベアラのＰＤＣＰパケットの複製をアクティブ化または非アクティブ化する複製アクティブ化または非アクティブ化要求を示す要求メッセージを基地局中央ユニットに送信することができる。例示的な実施形態によれば、複製アクティブ化または非アクティブ化要求は、ダウンリンクＰＤＣＰパケットまたはアップリンクＰＤＣＰパケットのうちの少なくとも１つについてのものとすることができる。例示的な実施形態によれば、複製アクティブ化または非アクティブ化要求は、基地局分散ユニットのステータス情報に基づくことができる。ステータス情報は、トラフィック負荷ステータス、無線チャネルステータス、またはパケット送信ポリシーのうちの少なくとも１つを含むことができる。
【０１９０】
例示的な実施形態によれば、基地局中央ユニットは、要求メッセージに基づいて、少なくとも１つの情報要素を送信することができる。少なくとも１つの情報要素は、ＰＤＣＰパケット複製のアクティブ化を示すことができる。例示的な実施形態によれば、基地局分散ユニットは、基地局中央ユニットから少なくとも１つの第２のパラメータを受信することができる。少なくとも１つの第２のパラメータは、ダウンリンクＰＤＣＰパケットまたはアップリンクＰＤＣＰパケットの少なくとも１つについての少なくとも１つの第１のベアラのＰＤＣＰパケット複製の非アクティブ化を示すことができる。例示的な実施形態によれば、少なくとも１つの第２のパラメータは、少なくとも１つの第１のベアラのユーザプレーンデータパケットのエンドマーカーパケットを含むことができる。例示的な実施形態によれば、基地局中央ユニットは、第２の要求メッセージに基づいて少なくとも１つの第２のパラメータを送信することができる。第２の要求メッセージは、少なくとも１つの第１のベアラのＰＤＣＰパケットの複製を非アクティブ化する複製非アクティブ化要求を示すフィールド、トラフィック負荷ステータス、無線チャネルステータス、またはパケット送信ポリシーの少なくとも１つを含むことができる。例示的な実施形態によれば、基地局分散ユニットは、基地局中央ユニットから少なくとも１つの第２のパラメータを受信することができる。第２のパラメータは、少なくとも１つの第１のベアラのＰＤＣＰパケット複製の非アクティブ化を示すことができる。例示的な実施形態によれば、基地局分散ユニットは、少なくとも１つの第２のパラメータに応答して、第２のメディアアクセスコントロール制御要素を無線装置に送信することができる。第２のメディアアクセスコントロール制御要素は、少なくとも１つの第１のベアラのＰＤＣＰパケット複製の非アクティブ化を示すことができる。
【０１９１】
例示的な実施形態によれば、基地局分散ユニットは、第２のメディアアクセスコントロール制御要素に応答して、少なくとも１つの第１のベアラの少なくとも１つのＰＤＣＰパケットを受信することができる。例示的な実施形態によれば、基地局は、基地局中央ユニットおよび基地局分散ユニットを備えることができる。例示的な実施形態によれば、基地局中央ユニットは、無線装置用の無線リソースコントロール機能または無線装置用のパケットデータ収束プロトコル機能の少なくとも一方を備えてもよい。例示的な実施形態によれば、基地局分散ユニットは、無線装置用のメディアアクセスコントロールレイヤ機能または無線装置用の物理レイヤ機能の少なくとも一方を備えてもよい。例示的な実施形態によれば、情報要素は、Ｆ１インターフェースを介して受信されることができる。例示的な実施形態によれば、少なくとも１つの第１のベアラの複製ＰＤＣＰパケットは、アップリンクＰＤＣＰパケットを含むことができる。
【０１９２】
図４４は、本開示の実施形態の態様にかかる例示的なフロー図である。４４１０では、基地局分散ユニットは、基地局中央ユニットから、少なくとも１つの情報要素を受信することができる。少なくとも１つの情報要素は、無線装置の少なくとも１つの第１のベアラのパケットデータ収束プロトコル（ＰＤＣＰ）パケット複製のアクティブ化を示すことができる。４４２０では、基地局分散ユニットは、ＰＤＣＰパケット複製のアクティブ化を示す少なくとも１つの情報要素に応答して、メディアアクセスコントロール制御要素を無線装置に送信することができる。メディアアクセスコントロール制御要素は、少なくとも１つの第１のベアラのＰＤＣＰパケット複製のアクティブ化を示すことができる。４４３０では、基地局分散ユニットは、メディアアクセスコントロール制御要素に基づいて、少なくとも１つの第１のベアラのＰＤＣＰパケットを受信することができる。基地局分散ユニットは、メディアアクセスコントロール制御要素に基づいて、少なくとも１つの第１のベアラの複製ＰＤＣＰパケットを受信することができる。
【０１９３】
図４５は、本開示の実施形態の態様にかかる例示的なフロー図である。４５１０では、基地局分散ユニットは、基地局中央ユニットから、少なくとも１つの情報要素を受信することができる。少なくとも１つの情報要素は、無線装置の少なくとも１つの第１のベアラのパケットデータ収束プロトコル（ＰＤＣＰ）パケット複製のアクティブ化を示すことができる。４５２０では、基地局分散ユニットは、アクティブ化に基づいて、少なくとも１つの第１のベアラのＰＤＣＰパケットを送信することができる。基地局分散ユニットは、アクティブ化に基づいて、少なくとも１つの第１のベアラの複製ＰＤＣＰパケットを送信することができる。
【０１９４】
図４６は、本開示の実施形態の態様にかかる例示的なフロー図である。４６１０では、基地局分散ユニットは、基地局中央ユニットから、第１のメッセージを受信することができる。第１のメッセージは、無線装置の少なくとも１つの第１のベアラについてパケットデータ収束プロトコル（ＰＤＣＰ）パケット複製が構成されていることを示す少なくとも１つのベアラ構成パラメータを含むことができる。４６２０では、基地局分散ユニットは、基地局中央ユニットから第２のメッセージを受信することができる。第２のメッセージは、少なくとも１つのパラメータを含むことができる。少なくとも１つのパラメータは、少なくとも１つの第１のベアラのＰＤＣＰパケット複製の非アクティブ化を示すことができる。４６３０では、基地局分散ユニットは、ＰＤＣＰパケット複製の非アクティブ化を示す少なくとも１つのパラメータに基づいて、少なくとも１つの第１のベアラの複製ＰＤＣＰパケットの送信を停止することができる。
【０１９５】
図４７は、本開示の実施形態の態様にかかる例示的なフロー図である。４７１０では、基地局分散ユニットは、基地局中央ユニットから、情報要素を受信することができる。情報要素は、パケットデータ収束プロトコル（ＰＤＣＰ）パケット複製が無線装置の少なくとも１つの第１のベアラについて構成されることを示す少なくとも１つのベアラ構成情報要素を含むことができる。情報要素は、少なくとも１つの第１のベアラのＰＤＣＰパケット複製の非アクティブ化を示す少なくとも１つの情報要素を含むことができる。４７２０では、基地局分散ユニットは、ＰＤＣＰパケット複製の非アクティブ化を示す少なくとも１つの情報要素に基づいて、少なくとも１つの第１のベアラの複製ＰＤＣＰパケットの送信を停止することができる。
【０１９６】
図４８は、本開示の実施形態の態様にかかる例示的なフロー図である。４８１０では、基地局分散ユニットは、基地局中央ユニットから、情報要素を受信することができる。情報要素は、パケットデータ収束プロトコル（ＰＤＣＰ）パケット複製が無線装置の少なくとも１つの第１のベアラについて構成されることを示す少なくとも１つのベアラ構成情報要素を含むことができる。情報要素は、少なくとも１つの第１のベアラのＰＤＣＰパケット複製の非アクティブ化を示す少なくとも１つの情報要素を含むことができる。４８２０では、基地局分散ユニットは、無線装置に無線リソースコントロールメッセージを送信することができる。無線リソースメッセージは、少なくとも１つの構成パラメータを含むことができる。少なくとも１つの構成パラメータは、少なくとも１つの第１のベアラについてのＰＤＣＰパケット複製が構成されていることを示すことができる。４８３０では、基地局分散ユニットは、ＰＤＣＰパケット複製の非アクティブ化を示す少なくとも１つの情報要素に応答して、メディアアクセスコントロール制御要素を無線装置に送信することができる。メディアアクセスコントロール制御要素は、少なくとも１つの第１のベアラのＰＤＣＰパケット複製の非アクティブ化を示すことができる。４８４０では、基地局分散ユニットは、ＰＤＣＰパケット複製の非アクティブ化に基づいて、少なくとも１つの第１のベアラの複製ＰＤＣＰパケットの送信を停止することができる。
【０１９７】
図４９は、本開示の実施形態の態様にかかる例示的なフロー図である。４９１０では、基地局分散ユニットは、基地局中央ユニットから、少なくとも１つの情報要素を受信することができる。少なくとも１つの情報要素は、無線装置の少なくとも１つの第１のベアラのパケットデータ収束プロトコル（ＰＤＣＰ）パケット複製の非アクティブ化を示すことができる。４９２０では、基地局分散ユニットは、ＰＤＣＰパケット複製の非アクティブ化を示す少なくとも１つの情報要素に応答して、メディアアクセスコントロール制御要素を無線装置に送信することができる。メディアアクセスコントロール制御要素は、少なくとも１つの第１のベアラのＰＤＣＰパケット複製の非アクティブ化を示すことができる。４９３０では、基地局分散ユニットは、メディアアクセスコントロール制御要素に基づいて、少なくとも１つの第１のベアラの複製ＰＤＣＰパケットの送信を停止することができる。
【０１９８】
図５０は、本開示の実施形態の態様にかかる例示的なフロー図である。５０１０では、基地局分散ユニットは、基地局中央ユニットから、少なくとも１つの情報要素を受信することができる。少なくとも１つの情報要素は、無線装置の少なくとも１つの第１のベアラのパケットデータ収束プロトコル（ＰＤＣＰ）パケット複製の非アクティブ化を示すことができる。５０２０では、基地局分散ユニットは、非アクティブ化に基づいて、少なくとも１つの第１のベアラの複製ＰＤＣＰパケットの送信を停止することができる。
【０１９９】
図５１は、本開示の実施形態の態様にかかる例示的なフロー図である。５１１０では、基地局中央ユニットは、第２の基地局から少なくとも１つの第１のメッセージを受信することができる。少なくとも１つの第１のメッセージは、無線装置用とすることができる。少なくとも１つの第１のメッセージは、第１の基地局における無線装置の第１の集約最大ビットレートを含むことができる。少なくとも１つの第１のメッセージは、無線装置用とすることができる。少なくとも１つの第１のメッセージは、第１のパケットフローが複製ＰＤＣＰパケットを含むことができることを示すパケットデータ収束プロトコル（ＰＤＣＰ）パケット複製パラメータを含むことができる。５１２０では、第１の基地局は、第２の基地局から第１のパケットフローの複製ＰＤＣＰパケットを受信する。５１３０では、第１の基地局は、複製ＰＤＣＰパケットを無線装置に送信することができる。５１４０では、第１の基地局は、無線装置と第１の基地局との間のビットレートが第１の集約最大ビットレートを超えることを判定することができる。判定は、ＰＤＣＰパケット複製パラメータに基づいて、複製ＰＤＣＰパケットを無視することができる。５１５０では、第１の基地局は、判定に基づいて、無線装置と第１の基地局との間のビットレートを制限することができる。
【０２００】
例示的な実施形態によれば、第１の基地局は、無線装置についてのセカンダリ基地局を備えることができる。例示的な実施形態によれば、第２の基地局は、無線装置についてのマスタ基地局を備えることができる。例示的な実施形態によれば、制限は、ビットレートが第１の集約最大ビットレートを超えることを防止することができる。例示的な実施形態によれば、第１の基地局は、無線装置から第１のパケットフローのパケットを受信することができる。例示的な実施形態によれば、第１の基地局は、無線装置から第１のパケットフローのアップリンクパケットを受信することができる。第１の基地局は、アップリンクパケットを第２の基地局に送信することができる。例示的な実施形態によれば、第１の基地局は、無線装置と第１の基地局との間のビットレートを第１の集約最大ビットレートに制限するとき、アップリンクパケットを無視することができる。
【０２０１】
例示的な実施形態によれば、第１の基地局は、第２の基地局から第１のパケットフローのダウンリンクパケットを受信することができる。第１の基地局は、ダウンリンクパケットを無線装置に送信することができる。第１の基地局は、無線装置と第１の基地局との間のビットレートを第１の集約最大ビットレートに制限するとき、ダウンリンクパケットを無視することができる。例示的な実施形態によれば、少なくとも１つの第１のメッセージは、セカンダリ基地局追加要求メッセージを含むことができる。少なくとも１つの第１のメッセージは、セカンダリ基地局変更要求メッセージを含むことができる。
【０２０２】
例示的な実施形態によれば、第１のパケットフローは、無線リンク制御チャネルを含むことができる。例示的な実施形態によれば、第１のパケットフローは、論理チャネルを含むことができる。例示的な実施形態によれば、第１のパケットフローは、無線ベアラを含むことができる。例示的な実施形態によれば、第１のパケットフローは、サービス品質フローを含むことができる。例示的な実施形態によれば、第１のパケットフローは、パケットデータユニットセッションを含むことができる。
【０２０３】
例示的な実施形態によれば、第１の集約最大ビットレートは、セカンダリ基地局ユーザ機器の集約最大ビットレートを含むことができる。例示的な実施形態によれば、少なくとも１つの第１のメッセージは、セカンダリセルグループベアラ用に構成された１つ以上のパケットフロー構成パラメータを含むことができる。例示的な実施形態によれば、少なくとも１つの第１のメッセージは、スプリットベアラ用に構成された１つ以上のパケットフロー構成パラメータを含むことができる。例示的な実施形態によれば、少なくとも１つの第１のメッセージは、セカンダリセルグループスプリットベアラ用に構成された１つ以上のパケットフロー構成パラメータを含むことができる。例示的な実施形態によれば、少なくとも１つの第１のメッセージは、複製ＰＤＣＰベアラ用に構成された１つ以上のパケットフロー構成パラメータを含むことができる。例示的な実施形態によれば、少なくとも１つの第１のメッセージは、ＰＤＣＰ複製のための元のＰＤＣＰベアラについて構成された１つ以上のパケットフロー構成パラメータを含むことができる。
【０２０４】
例示的な実施形態によれば、少なくとも１つの第１のメッセージは、無線装置の識別子を含むことができる。例示的な実施形態によれば、少なくとも１つの第１のメッセージは、無線装置のセキュリティ能力情報を含むことができる。例示的な実施形態によれば、少なくとも１つの第１のメッセージは、セカンダリ基地局セキュリティキー情報を含むことができる。例示的な実施形態によれば、少なくとも１つの第１のメッセージは、無線装置の公衆陸上モバイルネットワーク情報を提供することを含むことができる。例示的な実施形態によれば、少なくとも１つの第１のメッセージは、無線装置の無線リソースコントロール構成情報を含むことができる。例示的な実施形態によれば、少なくとも１つの第１のメッセージは、無線装置のセカンダリセルグループ構成情報を含むことができる。例示的な実施形態によれば、少なくとも１つの第１のメッセージは、無線装置のクローズドセルグループメンバーシップステータス情報を含むことができる。
【０２０５】
例示的な実施形態によれば、少なくとも１つの第１のメッセージは、パケットデータユニットセッションのパケットデータユニットセッション識別子を含むことができる。例示的な実施形態によれば、少なくとも１つの第１のメッセージは、パケットデータユニットセッションのサービス品質パラメータを含むことができる。例示的な実施形態によれば、少なくとも１つの第１のメッセージは、パケットデータユニットセッションのためのアップリンク一般パケット無線サービストンネリングプロトコルトンネルエンドポイント識別子を含むことができる。例示的な一般パケット無線サービストンネリングプロトコルはＧＴＰである。例示的な実施形態によれば、第１の基地局をさらに備えることは、第２の基地局から第２のメッセージを受信することができる。第２のメッセージは、第１のパケットフローのＰＤＣＰパケット複製のアクティブ化を示すことができる。
【０２０６】
例示的な実施形態によれば、第１の基地局は、第２のメッセージに応答して、第１のパケットフローのダウンリンクパケットを無線装置に送信することができる。例示的な実施形態によれば、第１の基地局は、無線装置と第１の基地局との間のビットレートを第１の集約最大ビットレートに制限するとき、ダウンリンクパケットを無視することができる。例示的な実施形態によれば、第１の基地局は、第２の基地局から、第１のパケットフローのＰＤＣＰパケット複製の非アクティブ化を示す第２のメッセージを受信することができる。例示的な実施形態によれば、第１の基地局は、第２のメッセージに応答して、第１のパケットフローのダウンリンクパケットの無線装置への送信を停止することができる。例示的な実施形態によれば、第２の基地局は、第１のパケットフローの元のＰＤＣＰパケットを無線装置に送信することができる。例示的な実施形態によれば、第２の基地局は、無線装置から第１のパケットフローの元のＰＤＣＰパケットを受信することができる。
【０２０７】
図５２は、本開示の実施形態の態様にかかる例示的なフロー図である。５２１０では、基地局中央ユニットは、第２の基地局から少なくとも１つの第１のメッセージを受信することができる。少なくとも１つの第１のメッセージは、無線装置用とすることができる。少なくとも１つの第１のメッセージは、第１の基地局における無線装置の第１の集約最大ビットレートを含むことができる。少なくとも１つの第１のメッセージは、無線装置用とすることができる。少なくとも１つの第１のメッセージは、第１のパケットフローが複製ＰＤＣＰパケットを含むことができることを示すパケットデータ収束プロトコル（ＰＤＣＰ）パケット複製パラメータを含むことができる。５２２０では、第１の基地局は、第２の基地局から第１のパケットフローのパケットを受信する。５２３０では、第１の基地局は、パケットを無線装置に送信することができる。５２４０では、第１の基地局は、無線装置のビットレートが第１の集約最大ビットレートを超えることを判定することができる。判定は、ＰＤＣＰパケット複製パラメータに基づいて、第１のパケットフローのパケットを無視することができる。５２５０では、第１の基地局は、判定に基づいて、無線装置へのデータ転送のビットレートを制限することができる。
【０２０８】
例示的な実施形態によれば、第１の基地局は、無線装置についてのセカンダリ基地局を備えることができる。例示的な実施形態によれば、第２の基地局は、無線装置についてのマスタ基地局を備えることができる。例示的な実施形態によれば、制限は、ビットレートが第１の集約最大ビットレートを超えることを防止することができる。
【０２０９】
例示的な実施形態によれば、第１の基地局は、無線装置から第１のパケットフローのパケットを受信することができる。例示的な実施形態によれば、第１の基地局は、無線装置から第１のパケットフローのアップリンクパケットを受信することができる。例示的な実施形態によれば、第１の基地局は、アップリンクパケットを第２の基地局に送信することができる。例示的な実施形態によれば、第１の基地局は、無線装置と第１の基地局との間のビットレートを第１の集約最大ビットレートに制限するとき、アップリンクパケットを無視することができる。
【０２１０】
例示的な実施形態によれば、第１の基地局は、第２の基地局から第１のパケットフローのダウンリンクパケットを受信することができる。例示的な実施形態によれば、第１の基地局は、ダウンリンクパケットを無線装置に送信することができる。例示的な実施形態によれば、無線装置と第１の基地局との間のビットレートを第１の集約最大ビットレートに制限するとき、ダウンリンクパケットは無視されることができる。
【０２１１】
例示的な実施形態によれば、少なくとも１つの第１のメッセージは、セカンダリ基地局追加要求メッセージを含むことができる。例示的な実施形態によれば、少なくとも１つの第１のメッセージは、セカンダリ基地局変更要求メッセージを含むことができる。
【０２１２】
例示的な実施形態によれば、第１のパケットフローは、無線リンクコントロールチャネルを含むことができる。例示的な実施形態によれば、第１のパケットフローは、論理チャネルを含むことができる。例示的な実施形態によれば、第１のパケットフローは、無線ベアラを含むことができる。例示的な実施形態によれば、第１のパケットフローは、サービス品質フローを含むことができる。例示的な実施形態によれば、第１のパケットフローは、パケットデータユニットセッションを含むことができる。例示的な実施形態によれば、第１の集約最大ビットレートは、セカンダリ基地局ユーザ機器の集約最大ビットレートを含むことができる。
【０２１３】
例示的な実施形態によれば、少なくとも１つの第１のメッセージは、１つ以上のパケットフロー構成パラメータを含むことができる。１つ以上のパケットフロー構成パラメータは、セカンダリセルグループベアラについて構成されることができる。
【０２１４】
１つ以上のパケットフロー構成パラメータは、スプリットベアラについて構成されることができる。１つ以上のパケットフロー構成パラメータは、セカンダリセルグループスプリットベアラについて構成されることができる。１つ以上のパケットフロー構成パラメータは、複製ＰＤＣＰベアラについて構成されることができる。１つ以上のパケットフロー構成パラメータは、ＰＤＣＰ複製の元のＰＤＣＰベアラについて構成されてもよい。
【０２１５】
例示的な実施形態によれば、少なくとも１つの第１のメッセージは、無線装置の識別子を含むことができる。例示的な実施形態によれば、少なくとも１つの第１のメッセージは、無線装置のセキュリティ能力情報を含むことができる。例示的な実施形態によれば、少なくとも１つの第１のメッセージは、セカンダリ基地局セキュリティキー情報を含むことができる。例示的な実施形態によれば、少なくとも１つの第１のメッセージは、無線装置の公衆陸上モバイルネットワーク情報を提供することを含むことができる。例示的な実施形態によれば、少なくとも１つの第１のメッセージは、無線装置の無線リソースコントロール構成情報を含むことができる。例示的な実施形態によれば、少なくとも１つの第１のメッセージは、無線装置のセカンダリセルグループ構成情報を含むことができる。例示的な実施形態によれば、少なくとも１つの第１のメッセージは、無線装置のクローズドセルグループメンバーシップステータス情報を含むことができる。例示的な実施形態によれば、少なくとも１つの第１のメッセージは、パケットデータユニットセッションのパケットデータユニットセッション識別子を含むことができる。例示的な実施形態によれば、少なくとも１つの第１のメッセージは、パケットデータユニットセッションのサービス品質パラメータを含むことができる。例示的な実施形態によれば、少なくとも１つの第１のメッセージは、パケットデータユニットセッションのためのアップリンク一般パケット無線サービストンネリングプロトコルトンネルエンドポイント識別子を含むことができる。例示的な一般パケット無線サービストンネリングプロトコルはＧＴＰである。
【０２１６】
例示的な実施形態によれば、第１の基地局は、第２の基地局から、第１のパケットフローのＰＤＣＰパケット複製のアクティブ化を示す第２のメッセージを受信することができる。例示的な実施形態によれば、第２のメッセージに応答して、第１の基地局は、第１のパケットフローのパケットを無線装置に送信し、ダウンリンクすることができる。例示的な実施形態によれば、無線装置と第１の基地局との間のビットレートを第１の集約最大ビットレートに制限するとき、ダウンリンクパケットは無視されることができる。例示的な実施形態によれば、第１の基地局は、第２の基地局から、第１のパケットフローのＰＤＣＰパケット複製の非アクティブ化を示す第２のメッセージを受信することができる。例示的な実施形態によれば、第２のメッセージに応答して、第１の基地局は、無線装置への第１のパケットフローのダウンリンクパケットの送信を停止することができる。例示的な実施形態によれば、第２の基地局は、第１のパケットフローの元のＰＤＣＰパケットを無線装置に送信することができる。例示的な実施形態によれば、第２の基地局は、無線装置から第１のパケットフローの元のＰＤＣＰパケットを受信することができる。
【０２１７】
図５３は、本開示の実施形態の態様にかかる例示的なフロー図である。５３１０では、第１の基地局は、第２の基地局から少なくとも１つの第１のメッセージを受信することができる。少なくとも１つの第１のメッセージは、無線装置用とすることができる。少なくとも１つの第１のメッセージは、第１の基地局における無線装置の第１の集約最大ビットレートを含むことができる。少なくとも１つの第１のメッセージは、無線装置用とすることができる。少なくとも１つの第１のメッセージは、第１のパケットフローが複製ＰＤＣＰパケットを含むことができることを示すパケットデータ収束プロトコル（ＰＤＣＰ）パケット複製パラメータを含むことができる。５３２０では、第１の基地局は、第２の基地局から第１のパケットフローの複製ＰＤＣＰパケットを受信することができる。５３３０では、第１の基地局は、複製ＰＤＣＰパケットを無線装置に送信することができる。５３４０では、第１の基地局は、無線装置のビットレートが第１の集約最大ビットレートを超えることを判定することができる。判定は、ＰＤＣＰパケット複製パラメータに基づいて、複製ＰＤＣＰパケットを無視することができる。５３５０では、第１の基地局は、判定に基づいて無線装置のビットレートを制限することができる。
【０２１８】
実施形態は、必要に応じて動作するように構成されてもよい。開示されたメカニズムは、例えば、無線装置、基地局、無線環境、ネットワーク、上記の組み合わせなどで、特定の基準が満たされたときに実行され得る。例示的な基準は、例えば、無線装置またはネットワークノード構成、トラフィック負荷、初期システム設定、パケットサイズ、トラフィック特性、上記の組み合わせなどに少なくとも部分的に基づいてもよい。１つ以上の基準が満たされると、様々な例示的な実施形態が適用され得る。したがって、開示されたプロトコルを選択的に実装する例示的な実施形態を実装することが可能であり得る。
【０２１９】
基地局は、様々な無線装置と通信することができる。無線装置および／または基地局は、複数のテクノロジー、および／または同じテクノロジーの複数のリリースをサポートすることができる。無線装置は、無線装置のカテゴリおよび／または機能に応じて、いくつかの特定の機能を有してもよい。基地局は、複数のセクタを含んでもよい。本開示が複数の無線装置と通信する基地局に言及する場合、本開示は、カバレッジエリア内の全無線装置のサブセットに言及し得る。本開示は、例えば、所定の能力を備え、基地局の所定のセクタにある、所定のＬＴＥまたは５Ｇリリースの複数の無線装置に言及し得る。本開示における複数の無線装置は、選択された複数の無線装置、および／または開示された方法などにしたがって実行するカバレッジエリア内の全無線装置のサブセットを指し得る。例えば、それらの無線装置または基地局は、ＬＴＥまたは５Ｇ技術の古いリリースに基づいて実行されるため、開示された方法に準拠しない場合があるカバレッジエリアに複数の基地局または複数の無線装置が存在し得る。
【０２２０】
本開示では、「ａ」および「ａｎ」および同様のフレーズは、「少なくとも１つ」および「１つ以上」と解釈されるべきである。同様に、接尾辞「（ｓ）」で終わる任意の用語は、「少なくとも１つ」および「１つ以上」と解釈されるべきである。本開示では、用語「ｍａｙ」は、「例えば、できる」と解釈されるべきである。換言すれば、用語「ｍａｙ」は、用語「ｍａｙ」に続くフレーズが様々な実施形態の１つ以上に使用される場合とされない場合とがある多数の適切な可能性の１つの例であることを示す。
【０２２１】
ＡおよびＢがセットであり、Ａの全ての要素がＢの要素でもある場合、ＡはＢのサブセットと呼ばれる。本明細書では、非空集合およびサブセットのみが考慮される。例えば、Ｂ＝｛ｃｅｌｌ１，ｃｅｌｌ２｝の可能なサブセットは、｛ｃｅｌｌ１｝、｛ｃｅｌｌ２｝、および｛ｃｅｌｌ１，ｃｅｌｌ２｝である。「に基づいて」（または同等に「に少なくとも基づいて」）というフレーズは、用語「に基づいて」に続くフレーズが様々な実施形態の１つ以上に使用される場合とされない場合とがある多数の適切な可能性の１つの例であることを示す。「に応答して」（または同等に「に少なくとも応答して」）というフレーズは、フレーズ「に応答して」に続くフレーズが様々な実施形態の１つ以上に使用される場合とされない場合とがある多数の適切な可能性の１つの例であることを示す。フレーズ「に応じて」（または同等に「に少なくとも応じて」）は、フレーズ「に応じて」に続くフレーズが様々な実施形態の１つ以上に使用される場合とされない場合とがある多数の適切な可能性の１つの例であることを示す。フレーズ「採用／使用」（または同等に「少なくとも採用／使用」）は、フレーズ「採用／使用」に続くフレーズが様々な実施形態の１つ以上に使用される場合とされない場合とがある多数の適切な可能性の１つの例であることを示す。
【０２２２】
用語「構成された」は、装置が動作状態にあるか非動作状態にあるかにかかわらず、装置の容量に関連する場合がある。「構成された」とは、装置が動作状態にあるか非動作状態にあるかにかかわらず、装置の動作特性に影響する装置の特定の設定を指す場合もある。換言すれば、ハードウェア、ソフトウェア、ファームウェア、レジスタ、メモリ値などは、装置に特定の特性を提供するために、装置が動作状態または非動作状態にあるかどうかにかかわらず、装置内で「構成」され得る。「装置において発生する制御メッセージ」などの用語は、装置が動作状態か非動作状態かにかかわらず、制御メッセージが装置における特定の特性を構成するために使用できるまたは装置における特定のアクションを実装するために使用できるパラメータを有することを意味することができる。
【０２２３】
本開示では、様々な実施形態が開示されている。開示された例示的な実施形態からの制限、特徴、および／または要素が組み合わせられ、本開示の範囲内でさらなる実施形態を作成することができる。
【０２２４】
本開示では、パラメータ（または同等にフィールド、または情報要素：ＩＥと呼ばれる）は、１つ以上の情報オブジェクトを含むことができ、情報オブジェクトは、１つ以上の他のオブジェクトを含むことができる。例えば、パラメータ（ＩＥ）Ｎがパラメータ（ＩＥ）Ｍを含み、パラメータ（ＩＥ）Ｍがパラメータ（ＩＥ）Ｋを含み、パラメータ（ＩＥ）Ｋがパラメータ（情報要素）Ｊを含む場合、例えば、ＮはＫを含み、ＮはＪを含む。例示的な実施形態では、１つ以上（または少なくとも１つ）のメッセージが複数のパラメータを含む場合、複数のパラメータ内のパラメータが１つ以上のメッセージの少なくとも１つにあるが、１つ以上のメッセージのそれぞれにある必要がないことを意味する。例示的な実施形態では、１つ以上（または少なくとも１つ）のメッセージが値、イベントおよび／または状態を示すとき、値、イベントおよび／または状態が１つ以上のメッセージの少なくとも１つによって示されるが、１つ以上のメッセージのそれぞれによって示される必要はないことを意味する。
【０２２５】
さらにまた、上記で提示された多くの特徴は、「ｍａｙ」の使用または括弧の使用により任意であるものとして説明されている。簡潔さおよび読みやすさのために、本開示は、任意の特徴のセットから選択することによって得られることがあるありとあらゆる順列を明示的に記載していない。しかしながら、本開示は、そのような全ての順列を明示的に開示していると解釈されるべきである。例えば、３つの任意の特徴を有するものとして説明されたシステムは、７つの異なる方法、すなわち、３つの可能な特徴の１つのみ、３つの特徴のいずれか２つ、または３つの特徴の３つ全てによって具現化されることができる。
【０２２６】
開示される実施形態で説明される要素の多くは、モジュールとして実装されてもよい。ここでモジュールは、定義された機能を実行し、他の要素への定義されたインターフェースを有する要素として定義される。本開示で説明されるモジュールは、ハードウェア、ハードウェアと組み合わせたソフトウェア、ファームウェア、ウェットウェア（すなわち、生物学的要素を備えたハードウェア）、またはそれらの組み合わせで実装されてもよく、それらの全ては、挙動的に等価とすることができる。例えば、モジュールは、ハードウェアマシン（Ｃ、Ｃ＋＋、Ｆｏｒｔｒａｎ、Ｊａｖａ（登録商標）、Ｂａｓｉｃ、Ｍａｔｌａｂなど）もしくはＳｉｍｕｌｉｎｋ、Ｓｔａｔｅｆｌｏｗ、ＧＮＵ  Ｏｃｔａｖｅ、またはＬａｂＶＩＥＷＭａｔｈＳｃｒｉｐｔで実行されるように構成されたコンピュータ言語で記述されたソフトウェアルーチンで実装されてもよい。さらに、ディスクリートまたはプログラム可能なアナログ、デジタル、および／または量子ハードウェアを組み込んだ物理ハードウェアを使用してモジュールを実装することも可能である。プログラム可能なハードウェアの例には、コンピュータ、マイクロコントローラ、マイクロプロセッサ、特定用途向け集積回路（ＡＳＩＣ）、フィールドプログラマブルゲートアレイ（ＦＰＧＡ）、コンプレックスプログラマブルロジックデバイス（ＣＰＬＤ）が含まれる。コンピュータ、マイクロコントローラ、およびマイクロプロセッサは、アセンブリ、Ｃ、Ｃ＋＋などの言語を使用してプログラムされる。ＦＰＧＡ、ＡＳＩＣ、ＣＰＬＤは、多くの場合、プログラマブルデバイスの機能が少ない内部ハードウェアモジュール間の接続を構成するＶＨＳＩＣハードウェア記述言語（ＶＨＤＬ）またはＶｅｒｉｌｏｇなどのハードウェア記述言語（ＨＤＬ）を使用してプログラムされる。機能モジュールの結果を達成するために、上記の技術がしばしば組み合わせて使用される。
【０２２７】
この特許文書の開示には、著作権保護の対象となる資料が組み込まれている。著作権所有者は、特許商標局の特許ファイルまたは記録にあるように、法律で要求される限られた目的のために、特許文書または特許開示のいずれかによるファクシミリ複製に異議を唱えないが、それ以外は全ての著作権を留保する。
【０２２８】
様々な実施形態が上記で説明されたが、それらは例として提示されており、限定ではないことを理解されたい。当業者には、範囲から逸脱することなく、形態および詳細の様々な変更を行うことができることは明らかであろう。実際、上記の説明を読んだ後、代替の実施形態を実装する方法が関連技術の当業者に明らかになるであろう。したがって、本実施形態は、上述の例示的な実施形態のいずれによっても限定されるべきではない。
【０２２９】
さらに、機能と利点を強調する図は、例示のみを目的として提示されていることを理解する必要がある。開示されたアーキテクチャは、示されている以外の方法で利用できるように、十分に柔軟で構成可能である。例えば、任意のフローチャートにリストされたアクションは、いくつかの実施形態で並べ替えられ、またはオプションとしてのみ使用されてもよい。
【０２３０】
さらに、開示の要約の目的は、米国特許商標局および一般の人々、特に特許または法的用語または語法に精通していない科学者、エンジニアおよび実務家が、アプリケーションの技術的開示の性質と本質を迅速に判断することである。開示の要約は、いかなる意味においても範囲を限定することを意図したものではない。
【０２３１】
最後に、米国特許法第１１２条の下で、「のための手段」または「のためのステップ」という表現を含むクレームのみを解釈することが出願人の意図である。「のための手段」または「のためのステップ」のフレーズを明示的に含まないクレームは、米国特許法第１１２条の下で解釈されるべきではない。
【図１】
0006881724.tif 000002
【図２】
0006881724.tif 000003
【図３】
0006881724.tif 000004
【図４】
0006881724.tif 000005
【図５Ａ】
0006881724.tif 000006
【図５Ｂ】
0006881724.tif 000007
【図５Ｃ】
0006881724.tif 000008
【図５Ｄ】
0006881724.tif 000009
【図６】
0006881724.tif 000010
【図７】
0006881724.tif 000011
【図８】
0006881724.tif 000012
【図９】
0006881724.tif 000013
【図１０Ａ】
0006881724.tif 000014
【図１０Ｂ】
0006881724.tif 000015
【図１１Ａ】
0006881724.tif 000016
【図１１Ｂ】
0006881724.tif 000017
【図１１Ｃ】
0006881724.tif 000018
【図１１Ｄ】
0006881724.tif 000019
【図１１Ｅ】
0006881724.tif 000020
【図１１Ｆ】
0006881724.tif 000021
【図１２Ａ】
0006881724.tif 000022
【図１２Ｂ】
0006881724.tif 000023
【図１２Ｃ】
0006881724.tif 000024
【図１３Ａ】
0006881724.tif 000025
【図１３Ｂ】
0006881724.tif 000026
【図１４】
0006881724.tif 000027
【図１５】
0006881724.tif 000028
【図１６】
0006881724.tif 000029
【図１７】
0006881724.tif 000030
【図１８】
0006881724.tif 000031
【図１９】
0006881724.tif 000032
【図２０】
0006881724.tif 000033
【図２１】
0006881724.tif 000034
【図２２】
0006881724.tif 000035
【図２３】
0006881724.tif 000036
【図２４】
0006881724.tif 000037
【図２５】
0006881724.tif 000038
【図２６】
0006881724.tif 000039
【図２７】
0006881724.tif 000040
【図２８】
0006881724.tif 000041
【図２９】
0006881724.tif 000042
【図３０】
0006881724.tif 000043
【図３１】
0006881724.tif 000044
【図３２】
0006881724.tif 000045
【図３３】
0006881724.tif 000046
【図３４】
0006881724.tif 000047
【図３５】
0006881724.tif 000048
【図３６】
0006881724.tif 000049
【図３７】
0006881724.tif 000050
【図３８】
0006881724.tif 000051
【図３９】
0006881724.tif 000052
【図４０】
0006881724.tif 000053
【図４１】
0006881724.tif 000054
【図４２】
0006881724.tif 000055
【図４３】
0006881724.tif 000056
【図４４】
0006881724.tif 000057
【図４５】
0006881724.tif 000058
【図４６】
0006881724.tif 000059
【図４７】
0006881724.tif 000060
【図４８】
0006881724.tif 000061
【図４９】
0006881724.tif 000062
【図５０】
0006881724.tif 000063
【図５１】
0006881724.tif 000064
【図５２】
0006881724.tif 000065
【図５３】
0006881724.tif 000066